(57)【特許請求の範囲】
【請求項１】
対象における将来の急性腎障害（ＡＫＩ）のリスクを評価するための方法であって、
アッセイ結果を得るために、前記対象から得られた体液試料においてＣ−Ｃモチーフケモカイン１４を検出するように構成されたアッセイを実施するステップであって、前記アッセイ結果が、前記試料におけるＣ−Ｃモチーフケモカイン１４の測定濃度を示す、ステップと；
前記アッセイ結果を、将来のＡＫＩの可能性を示す選択した閾値濃度と比較することによって、前記アッセイ結果を前記対象の将来のＡＫＩのリスクに相関させるステップと、
を含み、
前記相関させるステップが、前記アッセイで得られた測定濃度が前記選択した閾値濃度を超えた場合に前記対象に将来のＡＫＩの可能性の増大を割り付けること、または前記アッセイで得られた測定濃度が前記選択した閾値濃度よりも低い場合に前記対象に将来のＡＫＩの可能性の減少を割り付けることをさらに含む、
方法。
【請求項２】
対象における急性腎障害（ＡＫＩ）の将来の持続のリスクを評価するための方法であって、
アッセイ結果を得るために、前記対象から得られた体液試料においてＣ−Ｃモチーフケモカイン１４を検出するように構成されたアッセイを実施するステップであって、前記アッセイ結果が、前記試料におけるＣ−Ｃモチーフケモカイン１４の測定濃度を示す、ステップと；
前記アッセイ結果を、ＡＫＩの将来の持続の可能性を示す選択した閾値濃度と比較することによって、前記アッセイ結果を前記対象のＡＫＩの将来の持続のリスクに相関させるステップと、
を含み、
前記相関させるステップが、前記アッセイで得られた測定濃度が前記選択した閾値濃度を超えた場合に前記対象にＡＫＩの将来の持続の可能性の増大を割り付けること、または前記アッセイで得られた測定濃度が前記選択した閾値濃度よりも低い場合に前記対象にＡＫＩの将来の持続の可能性の減少を割り付けることをさらに含む、
方法。
【請求項３】
腎前性、腎性または腎後性のＡＫＩまたはＡＫＩの持続に関する１つまたは複数の既知の危険因子が前記対象において以前から存在することに基づいて、または大血管手術、冠動脈バイパス術もしくは他の心臓手術を受けている、もしくは受けたことがあることに基づいて、またはＮＳＡＩＤ、シクロスポリン、タクロリムス、アミノグリコシド、ホスカルネット、エチレングリコール、ヘモグロビン、ミオグロビン、イホスファミド、重金属、メトトレキサート、放射線不透過性造影剤もしくはストレプトゾトシンへの暴露に基づいて、将来のＡＫＩまたはＡＫＩの将来の持続のリスクの評価のために前記対象が選択され、
前記１つまたは複数の既知の危険因子は、うっ血性心不全、子癇前症、子癇、糖尿病、高血圧、冠動脈疾患、タンパク尿、腎不全、正常範囲未満の糸球体濾過値、肝硬変、正常範囲を超える血清クレアチニン、敗血症、腎機能損傷、腎機能低下もしくはＡＲＦのうちの１つもしくは複数の既存の診断から選択される、
請求項１または２に記載の方法。
【請求項４】
前記ＡＫＩまたはＡＫＩの持続が、前記体液試料が得られた時点から７２時間以内に起こる、請求項１〜３のいずれか１項に記載の方法。
【請求項５】
前記ＡＫＩまたはＡＫＩの持続が、前記体液試料が得られた時点から４８時間以内に起こる、請求項１〜３のいずれか１項に記載の方法。
【請求項６】
前記ＡＫＩまたはＡＫＩの持続が、前記体液試料が得られた時点から２４時間以内に起こる、請求項１〜３のいずれか１項に記載の方法。
【請求項７】
前記対象が、ＲＩＦＬＥステージ０である、請求項１または３〜６のいずれか１項に記載の方法。
【請求項８】
前記対象が、ＲＩＦＬＥステージＲである、請求項１〜６のいずれか１項に記載の方法。
【請求項９】
前記対象が、ＲＩＦＬＥステージＩである、請求項１〜６のいずれか１項に記載の方法。
【請求項１０】
前記対象が、ＲＩＦＬＥステージＦである、請求項１〜６のいずれか１項に記載の方法。
【請求項１１】
前記対象に、ＲＩＦＬＥステージＩのＡＫＩの持続の将来的なリスクがある、請求項２〜６のいずれか１項に記載の方法。
【請求項１２】
前記対象に、ＲＩＦＬＥステージＦのＡＫＩの持続の将来的なリスクがある、請求項２〜６のいずれか１項に記載の方法。
【請求項１３】
前記ＡＫＩが、２１日間、１４日間、７日間、５日間、９６時間、７２時間、４８時間、３６時間、２４時間または１２時間にわたって持続することになる、請求項２〜１２のいずれか１項に記載の方法。
【請求項１４】
前記対象が、急性腎不全でない、請求項１〜９のいずれか１項に記載の方法。
【請求項１５】
前記対象が、前記体液試料が得られた時点より前に測定されたベースライン値の１．５倍以上の血清クレアチニン増加に見舞われていない、請求項１または３〜７のいずれか１項に記載の方法。
【請求項１６】
前記対象が、前記体液試料が得られた時点より前の６時間の間の尿量が少なくとも０．５ｍｌ／ｋｇ／時間である、請求項１または３〜７のいずれか１項に記載の方法。
【請求項１７】
前記対象が、前記体液試料が得られた時点より前に測定されたベースライン値よりも０．３ｍｇ／ｄＬ以上の血清クレアチニン増加に見舞われていない、請求項１または３〜７のいずれか１項に記載の方法。
【請求項１８】
前記対象が、（ｉ）前記体液試料が得られた時点より前に測定されたベースライン値の１．５倍以上の血清クレアチニン増加に見舞われておらず、（ｉｉ）前記体液試料が得られた時点より前の６時間の間の尿量が少なくとも０．５ｍｌ／ｋｇ／時間であり、（ｉｉｉ）前記体液試料が得られた時点より前に測定されたベースライン値よりも０．３ｍｇ／ｄＬ以上の血清クレアチニン増加に見舞われていない、請求項１または３〜７のいずれか１項に記載の方法。
【請求項１９】
前記相関させるステップが、前記対象が７２時間以内もしくは４８時間以内もしくは２４時間以内に、（ｉ）前記体液試料が得られた時点より前に測定されたベースライン値の１．５倍以上の血清クレアチニン増加に見舞われる、（ｉｉ）６時間の間の尿量が０．５ｍｌ／ｋｇ／時間未満となる、または（ｉｉｉ）前記体液試料が得られた時点より前に測定されたベースライン値よりも０．３ｍｇ／ｄＬ以上の血清クレアチニン増加に見舞われる、可能性のうちの１つまたは複数を割り付けることを含む、請求項１〜１４のいずれか１項に記載の方法。
【請求項２０】
前記対象が、前記体液試料が得られた時点より前に測定されたベースライン値の２倍以上の血清クレアチニン増加に見舞われていない、請求項１〜７のいずれか１項に記載の方法。
【請求項２１】
前記対象が、前記体液試料が得られた時点より前の１２時間の間の尿量が少なくとも０．５ｍｌ／ｋｇ／時間である、請求項１〜７のいずれか１項に記載の方法。
【請求項２２】
前記対象が、（ｉ）前記体液試料が得られた時点より前に測定されたベースライン値の２倍以上の血清クレアチニン増加に見舞われておらず、（ｉｉ）前記体液試料が得られた時点より前の１２時間の間の尿量が少なくとも０．５ｍｌ／ｋｇ／時間である、請求項１〜７のいずれか１項に記載の方法。
【請求項２３】
前記対象が、前記体液試料が得られた時点より前に測定されたベースライン値の３倍以上の血清クレアチニン増加に見舞われておらず、少なくとも４４μｍｏｌ／Ｌの血清クレアチニン増加を伴う３５５μｍｏｌ／Ｌ以上の血清クレアチニンレベルに見舞われていない、請求項１〜１４のいずれか１項に記載の方法。
【請求項２４】
前記対象が、前記体液試料が得られた時点より前の２４時間の間の尿量が少なくとも０．３ｍｌ／ｋｇ／時間であり、前記体液試料が得られた時点より前の１２時間の間、無尿に見舞われていない、請求項１〜１４のいずれか１項に記載の方法。
【請求項２５】
前記対象が、（ｉ）前記体液試料が得られた時点より前に測定されたベースライン値の３倍以上の血清クレアチニン増加に見舞われておらず、且つ少なくとも４４μｍｏｌ／Ｌの血清クレアチニン増加を伴う３５５μｍｏｌ／Ｌ以上の血清クレアチニンレベルに見舞われておらず、（ｉｉ）前記体液試料が得られた時点より前の２４時間の間の尿量が少なくとも０．３ｍｌ／ｋｇ／時間であり、且つ前記体液試料が得られた時点より前の１２時間の間、無尿に見舞われていない、請求項１〜１４のいずれか１項に記載の方法。
【請求項２６】
前記相関させるステップが、前記対象が７２時間以内もしくは４８時間以内もしくは２４時間以内に、（ｉ）前記体液試料が得られた時点より前に測定されたベースライン値の２倍以上の血清クレアチニン増加に見舞われる、または（ｉｉ）１２時間の間の尿量が０．５ｍｌ／ｋｇ／時間未満となる、可能性のうちの１つまたは複数を割り付けることを含む、請求項１〜１４のいずれか１項に記載の方法。
【請求項２７】
前記相関させるステップが、前記対象が７２時間以内もしくは４８時間以内もしくは２４時間以内に、（ｉ）前記体液試料が得られた時点より前に測定されたベースライン値の３倍以上の血清クレアチニン増加、または少なくとも４４μｍｏｌ／Ｌの血清クレアチニン増加を伴う３５５μｍｏｌ／Ｌ以上の血清クレアチニンレベルに見舞われる、または（ｉｉ）２４時間の間の尿量が０．３ｍｌ／ｋｇ／時間未満となる、もしくは１２時間の間、無尿となる、可能性のうちの１つまたは複数を割り付けることを含む、請求項１〜１４のいずれか１項に記載の方法。
【請求項２８】
前記体液試料が尿試料、血液試料、血清試料または血漿試料である、請求項１〜２７のいずれか１項に記載の方法。
【請求項２９】
将来の急性腎障害（ＡＫＩ）のリスクを評価するためのキットであって、
Ｃ−Ｃモチーフケモカイン１４を検出するように構成されたアッセイを実施するための試薬と、
前記アッセイを実施した結果を、Ｃ−Ｃモチーフケモカイン１４の濃度に相関させるために１つまたは複数のコード化された検量線を含むデバイスと、
を含み、
前記検量線の濃度範囲が、Ｃ−Ｃモチーフケモカイン１４の正常濃度と、ヒトにおける将来のＡＫＩのリスクを示すＣ−Ｃモチーフケモカイン１４の閾値濃度と、を含む、
キット。
【請求項３０】
急性腎障害（ＡＫＩ）の将来の持続のリスクを評価するためのキットであって、
Ｃ−Ｃモチーフケモカイン１４を検出するように構成されたアッセイを実施するための試薬と、
前記アッセイを実施した結果を、Ｃ−Ｃモチーフケモカイン１４の濃度に相関させるために１つまたは複数のコード化された検量線を含むデバイスと、
を含み、
前記検量線の濃度範囲が、Ｃ−Ｃモチーフケモカイン１４の正常濃度と、ヒトにおけるＡＫＩの将来の持続のリスクを示すＣ−Ｃモチーフケモカイン１４の閾値濃度と、を含む、
キット。
【発明の詳細な説明】
【技術分野】
【０００１】
本出願は、２０１４年１０月２０日出願の米国特許仮出願第６２／０６６，３１０号、２０１４年１０月２０日出願の米国特許仮出願第６２／０６６，３１３号、および２０１４年１０月２０日出願の米国特許仮出願第６２／０６６，３１６号の利益を主張するものであり、それらの出願それぞれは、表、図、および特許請求の範囲の全てを含む全体として本明細書に組み入れられる。
【背景技術】
【０００２】
発明の背景
発明の背景の以下の議論は、読み手による本発明の理解を支援するために示されているに過ぎず、本発明の先行技術を記載または構成するために承認されたものではない。
【０００３】
腎臓は、身体からの水および溶質の排出を担う。その機能には、酸−塩基バランスの維持、電解質濃度の調節、血液容量の制御、および血圧の調節がある。そのため、損傷および／または疾患による腎機能の損失は、実質的な疾病率および死亡率につながる。腎障害の詳細な議論が、Ｈａｒｒｉｓｏｎ’ｓ  Ｐｒｉｎｃｉｐｌｅｓ  ｏｆ  Ｉｎｔｅｒｎａｌ  Ｍｅｄｉｃｉｎｅ，  １７ｔｈ  Ｅｄ．，  ＭｃＧｒａｗ  Ｈｉｌｌ，  Ｎｅｗ  Ｙｏｒｋ，ｐ１７４１−１８３０に示されており、それは全体として参照により本明細書に組み入れられる。腎疾患および／または損傷は、急性または慢性であり得る。急性および慢性腎疾患は、以下の通り説明される（全体として参照により本明細書に組み入れられる、Ｃｕｒｒｅｎｔ  Ｍｅｄｉｃａｌ  Ｄｉａｇｎｏｓｉｓ  ＆  Ｔｒｅａｔｍｅｎｔ  ２００８，  ４７ｔｈ  Ｅｄ，  ＭｃＧｒａｗ  Ｈｉｌｌ，  Ｎｅｗ  Ｙｏｒｋ，ｐ７８５−８１５）：「急性腎不全は、数時間から数日にわたって腎機能が増悪し、窒素性老廃物（尿素窒素など）および血中クレアチニンの滞留を生じる。これらの物質の滞留は、高窒素血症と呼ばれる。慢性腎不全（慢性腎疾患）は、数ヶ月から数年にわたる腎機能の異常な損失によってもたらされる」。
【０００４】
急性腎不全（ＡＲＦ。急性腎障害またはＡＫＩとしても知られる）は、糸球体濾過の急激な（典型的には約４８時間〜１週間以内に検出される）減少である。この濾過能力の損失は、腎臓によって正常に排出される窒素性（尿素およびクレアチニン）および非窒素性老廃物の滞留、尿量の減少、またはそれらの両方をもたらす。ＡＲＦは、入院の約５％、心肺バイパス術の４〜１５％、および集中治療室入院の最大３０％において合併することが報告されている。ＡＲＦは、原因として腎前性、腎性、または腎後性として分類され得る。腎性腎疾患は、糸球体、尿細管、間質、および血管の異常にさらに分別され得る。ＡＲＦの主要な原因を、全体として参照により本明細書に組み入れられるＭｅｒｃｋ  Ｍａｎｕａｌ，  １７ｔｈ  ｅｄ．，  Ｃｈａｐｔｅｒ  ２２２から改変された以下の表に記載する。
【表１】
0006792553.tif 000002
0006792553.tif 000003
【０００５】
虚血性ＡＲＦの例では、疾患経過を４期に分別することができる。数時間から数日継続する起動期では、腎灌流の減少が、損傷に発展していく。糸球体限外濾過が低下し、濾液の流れが尿細管内のデブリによって減少して、損傷した上皮による濾液の逆漏れが生じる。腎障害は、この時期に、腎臓の再灌流によって媒介され得る。起動に続いて、継続的な虚血障害および炎症を特徴とし、内皮障害および血管うっ血を含み得る拡大期となる。１〜２週間継続する維持期には、腎細胞の損傷が起こり、糸球体濾過および尿量が最小に達する。腎上皮が修復されてＧＦＲが徐々に回復する回復期が、続いて起こり得る。これにもかかわらず、ＡＲＦの対象の生存率は、約６０％と低くなり得る。
【０００６】
放射線造影剤（造影媒体とも呼ばれる）、ならびにシクロスポリンなどの腎毒素、アミノグリコシドなどの抗生物質、およびシスプラチンなどの抗癌剤によって誘発される急性腎障害は、数日〜約１週間にわたって症状発現する。造影剤腎症（ＣＩＮ。放射線造影剤によって誘発されたＡＫＩ）は、腎内血管収縮によって（虚血性障害に至る）、そして腎尿細管上皮細胞に直接毒性がある活性酸素の発生から誘発されると考えられる。ＣＩＮは従来から、血中尿素窒素および血清クレアチニンの急性（２４〜４８時間以内の発病）で可逆性の（３〜５日後にピークとなり１週間以内に解決）増加として現れる。
【０００７】
ＡＫＩを定義および検出するための一般に報告された基準は、血清クレアチニンの急激な（典型的には約２〜７日以内、または入院期間内の）増加である。ＡＫＩを定義および検出するための血清クレアチニン増加の使用は、確立されているが、ＡＫＩを定義するために測定される血清クレアチニンの増加程度およびその期間は、発行物によって大きく異なる。伝統的には、比較的大きな血清クレアチニン増加、例えば１００％、２００％など、少なくとも１００％から２ｍｇ／ｄＬを超える値までの増加、および他の定義を用いて、ＡＫＩが定義された。しかし近年の傾向は、より小さな血清クレアチニン増加を利用してＡＫＩを定義することに変わりつつある。活性クレアチニン増加と、ＡＫＩと、関連の健康リスクとの関係が、Ｐｒａｕｇｈｔ  ａｎｄ  Ｓｈｌｉｐａｋ，  Ｃｕｒｒ  Ｏｐｉｎ  Ｎｅｐｈｒｏｌ  Ｈｙｐｅｒｔｅｎｓ  １４：２６５−２７０，  ２００５およびＣｈｅｒｔｏｗ  ｅｔ  ａｌ，  Ｊ  Ａｍ  Ｓｏｃ  Ｎｅｐｈｒｏｌ  １６：  ３３６５−３３７０，  ２００５に論評されており、それらは、列挙された参考資料と共に、全体として参照により本明細書に組み入れられる。これらの発行物に記載された通り、急性増悪する腎機能（ＡＫＩ）ならびに死亡および他の有害転帰のリスク上昇は、今日では血清クレアチニンの非常に小さな増加に関連することが知られている。これらの上昇は、相対的（パーセント）値または名目値として判定され得る。損傷前の値からの２０％といった小さな血清クレアチニンの相対的増加は、急性増悪した腎機能（ＡＫＩ）および健康リスク増大を示すことが報告されているが、より一般に報告されたＡＫＩを定義する値、および健康リスクの増大は、少なくとも２５％の相対的上昇である。０．３ｍｇ／ｄＬ、０．２ｍｇ／ｄＬまたは０．１ｍｇ／ｄＬという小さな名目増加が、腎機能増悪および死亡リスク増大を示すことが報告されている。例えば２日、３日、７日、または患者が入院もしくは集中治療室にいる時間と定義された可変的期間の範囲内である、血清クレアチニンがこれらの閾値まで増加する様々な期間を利用して、ＡＫＩが定義されてきた。これらの研究から、腎機能の増悪またはＡＫＩのための特定の閾値血清クレアチニン増加（または増加の期間）は存在せず、むしろ血清クレアチニン増加の程度の増大によるリスクの連続的増加を示している。
【０００８】
ある研究（全体として参照により本明細書に組み入れられるＬａｓｓｎｉｇｇ  ｅｔ  ａｌｌ，  Ｊ  Ａｍ  Ｓｏｃ  Ｎｅｐｈｒｏｌ  １５：１５９７−１６０５，  ２００４）で、血清クレアチニン増加および低下の両方が検討された。心臓手術後に−０．１〜−０．３ｍｇ／ｄＬの血清クレアチニンの軽度低下を有した患者が、最低の死亡率を有した。より大きな血清クレイアチニン低下（−０．４ｍｇ／ｄＬ以上）または任意の血清クレアチニン増加を有した患者は、より大きな死亡率を有した。これらの知見から、著者らは、腎機能の非常に微細な変化（手術の４８時間以内の小さなクレアチニン変化によって検出される）でも患者の転帰に重大な影響を及ぼすと結論づけた。臨床試験および臨床現場においてＡＫＩを定義するための血清クレアチニン利用のための統一された分類システムに関してして合意に至らせるために、全体として参照により本明細書に組み入れられるＢｅｌｌｏｍｏ  ｅｔ  ａｌ．，  Ｃｒｉｔ  Ｃａｒｅ．  ８（４）：Ｒ２０４−１２，  ２００４は、ＡＫＩ患者を層別化するための以下の分類を提案している：
「リスク」：ベースラインから１．５倍の血清クレアチニン増加、または６時間の間、０．５ｍｌ／ｋｇ体重／時間未満の尿産生；
「損傷」：ベースラインから２．０倍の血清クレアチニン増加、または１２時間の間、０．５ｍｌ／ｋｇ体重／時間未満の尿産生；
「不全」；ベースラインから３．０倍の血清クレアチニン増加、または３５５μｍｏｌ／ｌを超えるクレアチニン（４４よりも大きな増加）、または２４時間の間、０．３ｍｌ／ｋｇ／時間未満の尿量、または少なくとも１２時間の無尿；
そして２つの臨床転帰が含まれる：
「損失」：４週間よりも長い腎置換療法の持続的必要性；
「ＥＳＲＤ」：末期腎疾患  −  ３ヶ月を超える透析の必要性。
これらの基準は、ＲＩＦＬＥ基準と呼ばれ、腎臓の状態を分類するための有用な臨床ツールを提供する。それぞれが全体として参照により本明細書に組み入れられる、Ｋｅｌｌｕｍ，  Ｃｒｉｔ．  Ｃａｒｅ  Ｍｅｄ．  ３６：  Ｓ１４１−４５，  ２００８およびＲｉｃｃｉ  ｅｔ  ａｌ．，  Ｋｉｄｎｅｙ  Ｉｎｔ．  ７３，  ５３８−５４６，  ２００８に議論された通り、ＲＩＦＬＥ基準は、数多くの試験で検証されたＡＫＩの統一された定義を提供する。
【０００９】
より近年になり、全体として参照により本明細書に組み入れられるＭｅｈｔａ  ｅｔ  ａｌ．，  Ｃｒｉｔ．  Ｃａｒｅ  １１：Ｒ３１  （ｄｏｉ：１０．１１８６．ｃｃ５７１３），  ２００７には、ＲＩＦＬＥから修正された、ＡＫＩ患者を層別化するための以下の類似の分類が提案されている：
「Ｉ期」：０．３ｍｇ／ｄＬ以上（２６．４μｍｏｌ／Ｌ以上）もしくはベースラインから１５０％（１．５倍）以上の血清クレアチニン増加、または６時間よりも長い間、０．５ｍＬ／ｋｇ／時間未満の尿量；
「ＩＩ期」：ベースラインからの２００％（２倍）を超える血清クレアチニン増加、または１２時間よりも長い間、０．５ｍＬ／ｋｇ／時間未満の尿量；
「ＩＩＩ期」：ベースラインからの３００％を超える（３倍を超える）血清クレアチニン増加、または少なくとも４４μｍｏｌ／Ｌの急性増加を伴う３５４μｍｏｌ／Ｌ以上の血清クレアチニン、または２４時間の間、０．３ｍＬ／ｋｇ／時間未満の尿量、または１２時間の無尿。
【００１０】
ＣＩＮ  Ｃｏｎｓｅｎｓｕｓ  Ｗｏｒｋｉｎｇ  Ｐａｎｅｌ（全体として参照により本明細書に組み入れられるＭｃＣｏｌｌｏｕｇｈ  ｅｔ  ａｌ，  Ｒｅｖ  Ｃａｒｄｉｏｖａｓｃ  Ｍｅｄ．  ２００６；７（４）：１７７−１９７）では、２５％のクレアチニン増加を利用して、造影剤腎症（ＡＫＩの１つの型）が定義されている。様々なグループが、血清クレアチニンを用いてＡＫＩを検出するためのわずかに異なる基準を提案しているが、その合意点は、０．３ｍｇ／ｄＬまたは２５％などの血清クレアチニンの小さな変化がＡＫＩ（腎機能の増悪）を検出するのに十分であること、ならびに血清クレアチニンの変化の程度が、ＡＫＩの重症度および死亡リスクの指標になる、ということである。
【００１１】
数日間にわたる血清クレアチニンの連続測定は、ＡＫＩを検出および診断するための許容された方法であり、ＡＫＩ患者を評価するための最も重要なツールの１つと見なされているが、血清クレアチニンは一般に、ＡＫＩ患者の診断、評定およびモニタリングに複数の制限を有すると考えられている。血清クレアチニンがＡＫＩを診断すると見なされている値（例えば、０．３ｍｇ／ｄＬまたは２５％上昇）まで上昇する期間は、用いられた定義にもよるが４８時間以上になり得る。ＡＫＩにおける細胞傷害は、数時間で起こり得るため、４８時間以上で検出される血清クレアチニン増加は、後期の損傷指標になり得、したがって血清クレアチニンへの依存は、ＡＫＩの診断を遅らせる可能性がある。さらに血清クレアチニンは、腎機機能が急速に変化している時のＡＫＩの最急性期の厳密な腎臓状態および処置の必要性の良好な指標ではない。完全に回復するＡＫＩ患者も、透析が必要な患者も（短期または長期）、死亡、重要な心臓有害事象および慢性腎疾患をはじめとする他の有害転帰を有する患者もいる。血清クレアチニンは、濾過速度のマーカーであるため、ＡＫＩの原因（腎前性、腎性、腎後性閉塞、アテローム閉塞性など）または腎性腎疾患における損傷の分類もしくは位置（例えば、尿細管、糸球体、または臓器の間質）を識別しない。尿量が同様に限定されれば、これらの事柄を知ることが、ＡＫＩ患者を管理および処置する上で極めて重要になり得る。
【００１２】
これらに限定から、特に早期および無症候の段階だけでなく、腎臓の回復および修復が起こり得る後期段階においても、ＡＫＩを検出および評定するためのより良好な方法の必要性が強調される。さらに、ＡＫＩに罹患するリスクがある患者の特定を改善する必要がある。
【発明の概要】
【発明が解決しようとする課題】
【００１３】
本発明の概要
本発明の目的は、対象における腎機能を評価するための方法および組成物を提供することである。本明細書に記載された通り、Ｃ−Ｃモチーフケモカイン１６、Ｃ−Ｃモチーフケモカイン１４およびチロシンプロテインキナーゼ受容体ＵＦＯ（総称としてに「腎障害マーカー」、そして個別に「腎障害マーカー」と称される）からなる群から選択される１種または複数のマーカーの測定が、腎機能損傷、腎機能低下、および／または急性腎不全（急性腎障害とも呼ばれる）に罹患している対象、および／または罹患するリスクのある対象における診断、予後、リスク層別化、ステージ決定、モニタリング、分類、ならびにさらなる診断および処置レジメンの決定に用いられ得る。
【００１４】
これらの腎障害マーカーは、リスクの層別化のため（即ち、将来の腎機能損傷、将来の腎機能低下の予後、将来のＡＲＦへの進行、将来の腎機能改善などについて、リスクのある対象を同定するため）；既存の疾患の診断のため（即ち、腎機能への損傷に罹患した対象、腎機能の低下に進行した対象、ＡＲＦに進行した対象などを同定するため）；腎機能の増悪または改善をモニタリングするため；そして将来の医療転帰、例えば腎機能の改善または増悪、死亡リスクの低下または増大、対象が腎置換療法（即ち、血液透析、腹膜透析、血液濾過、および／または腎移植）を必要とするリスクの低下または増大、対象が腎機能の損傷から回復するリスクの低下または増大、対象がＡＲＦから回復するリスクの低下または増大、対象が末期腎疾患に進行するリスクの低下または増大、対象が慢性腎不全に進行するリスクの低下または増大、対象が移植された腎臓の拒絶を起こすリスクの低下または増大などを予測するために、個別に、または複数の腎障害マーカーを含むパネルで用いられ得る。
【課題を解決するための手段】
【００１５】
第一の態様において、本発明は、対象において腎臓の状態を評価する方法に関する。これらの方法は、対象から得られた体液試料中の本発明の１種または複数の腎障害マーカーを検出するように構成されたアッセイ方法を実施することを含む。アッセイの結果、例えばＣ−Ｃモチーフケモカイン１６、Ｃ−Ｃモチーフケモカイン１４、および／またはチロシンプロテインキナーゼ受容体ＵＦＯからなる群から選択される１種または複数のマーカーの測定濃度を、その後、対照の腎臓状態に相関させる。この腎臓状態への相関は、アッセイの結果を、本明細書に記載された通り対象のリスク層別化、診断、予後、ステージ決定、分類およびモニタリングの１つまたは複数に相関させることを含み得る。したがって本発明は、腎障害の評価のために、本発明の１種または複数の腎障害マーカーを使用する。
【００１６】
特定の実施形態において、本明細書に記載された腎臓状態を評価する方法は、対象のリスク層別化の方法、即ち腎臓状態における１つまたは複数の将来の変化の尤度を対象に割り付ける方法である。これらの実施形態において、該アッセイの結果を、１つまたは複数のそのような将来の変化に相関させる。以下は、好ましいリスク層別化の実施形態である。
【００１７】
好ましいリスク層別化の実施形態において、これらの方法は、対象の将来の腎機能損傷のリスクを判定すること、を含み、アッセイの結果、例えばＣ−Ｃモチーフケモカイン１６、Ｃ−Ｃモチーフケモカイン１４および／またはチロシンプロテインキナーゼ受容体ＵＦＯからなる群から選択される１種または複数のマーカーの測定濃度を、そのような将来の腎機能損傷の尤度に相関させる。例えば測定濃度は、それぞれ閾値に比較され得る。「ポジティブゴーイング（ｐｏｓｉｔｉｖｅ  ｇｏｉｎｇ）」腎障害マーカーについては、測定濃度が閾値より低い場合に割り付けられる尤度に比べて、測定濃度が閾値より高い場合に、将来の腎機能損傷を受ける尤度の上昇が、対象に割り付けられる。「ネガティブゴーイング（ｎｅｇａｔｉｖｅ  ｇｏｉｎｇ）」腎障害マーカーについては、測定濃度が閾値より高い場合に割り付けられる尤度に比べて、測定濃度が閾値より低い場合に、将来の腎機能損傷を受ける尤度の上昇が対象に割り付けられる。
【００１８】
別の好ましいリスク層別化実施形態において、これらの方法は、対象の将来の腎機能低下リスクを判定することを含み、アッセイの結果、例えばＣ−Ｃモチーフケモカイン１６、Ｃ−Ｃモチーフケモカイン１４および／またはチロシンプロテインキナーゼ受容体ＵＦＯからなる群から選択される１種または複数のマーカーの測定濃度を、そのような腎機能低下の尤度に相関させる。例えば測定濃度は、それぞれ閾値と比較され得る。「ポジティブゴーイング」腎障害マーカーについては、測定濃度が閾値より低い場合に割り付けられる尤度に比べて、測定濃度が閾値より高い場合に、将来の腎機能低下を受ける尤度の上昇が対象に割り付けられる。「ネガティブゴーイング」腎障害マーカーについては、測定濃度が閾値より高い場合に割り付けられる尤度に比べて、測定濃度が閾値より低い場合に、将来の腎機能低下を受ける尤度の上昇が対象に割り付けられる。
【００１９】
さらに別の好ましいリスク層別化実施形態において、これらの方法は、対象の将来の腎機能改善の尤度を判定することを含み、アッセイの結果、例えばＣ−Ｃモチーフケモカイン１６、Ｃ−Ｃモチーフケモカイン１４および／またはチロシンプロテインキナーゼ受容体ＵＦＯからなる群から選択される１種または複数のマーカーの測定濃度を、そのような将来の腎機能改善の尤度に相関させる。例えば、測定濃度を、それぞれ閾値と比較し得る。「ポジティブゴーイング」腎障害マーカーについては、測定濃度が閾値より高い場合に割り付けられる尤度に比べて、測定濃度が閾値より低い場合に、将来の腎機能改善の尤度の上昇が対象に割り付けられる。「ネガティブゴーイング」腎障害マーカーについては、測定濃度が閾値より低い場合に割り付けられる尤度に比べて、測定濃度が閾値より高い場合に、将来の腎機能改善の尤度の上昇が対象に割り付けられる。
【００２０】
さらに別の好ましいリスク層別化実施形態において、これらの方法は、対象のＡＲＦ進行リスクを判定することを含み、結果、例えばＣ−Ｃモチーフケモカイン１６、Ｃ−Ｃモチーフケモカイン１４および／またはチロシンプロテインキナーゼ受容体ＵＦＯからなる群から選択される１種または複数のマーカーの測定濃度を、そのようなＡＲＦ進行の尤度に相関させる。例えば、測定濃度を、それぞれ閾値と比較し得る。「ポジティブゴーイング」腎障害マーカーについては、測定濃度が閾値より低い場合に割り付けられる尤度に比べて、測定濃度が閾値より高い場合に、ＡＲＦ進行の尤度の上昇が対象に割り付けられる。「ネガティブゴーイング」腎障害マーカーについては、測定濃度が閾値より高い場合に割り付けられる尤度に比べて、測定濃度が閾値より低い場合に、ＡＲＦ進行の尤度の上昇が対象に割り付けられる。
【００２１】
同じく別の好ましいリスク層別化実施形態において、これらの方法は、対象の転帰リスクを判定することを含み、アッセイの結果、例えばＣ−Ｃモチーフケモカイン１６、Ｃ−Ｃモチーフケモカイン１４および／またはチロシンプロテインキナーゼ受容体ＵＦＯからなる群から選択される１種または複数のマーカーの測定濃度を、対象が受けた腎障害に関連する臨床転帰の発生尤度に相関させる。例えば、測定濃度を、それぞれ閾値と比較し得る。「ポジティブゴーイング」腎障害マーカーについては、測定濃度が閾値より低い場合に割り付けられる尤度に比べて、測定濃度が閾値より高い場合に、急性腎障害、ＡＫＩの増悪ステージへの進行、死亡率、腎置換療法の要求、腎毒素の中止要求、末期腎疾患、心不全、卒中、心筋梗塞、慢性腎疾患への進行などの１つまたは複数の尤度の上昇が対象に割り付けられる。「ネガティブゴーイング」腎障害マーカーについては、測定濃度が閾値より高い場合に割り付けられる尤度に比べて、測定濃度が閾値より低い場合に、急性腎障害、ＡＫＩの増悪ステージへの進行、死亡率、腎置換療法の要求、腎毒素の中止要求、末期腎疾患、心不全、卒中、心筋梗塞、慢性腎疾患への進行などの１つまたは複数の尤度の上昇が対象に割り付けられる。
【００２２】
そのようなリスク層別化実施形態において、好ましくは割り付けられる尤度またはリスクは、該当する事象が、対象から体液試料が得られた後、おおよそ１８０日以内に発生する可能性がある。特に好ましい実施形態において、割り付けられる尤度またはリスクは、より短い期間、例えば１８ヶ月、１２０日、９０日、６０日、４５日、３０日、２１日、１４日、７日、５日、９６時間、７２時間、４８時間、３６時間、２４時間、１２時間、またはそれ未満の期間内に発生する該当する事象に関する。対象から体液試料が得られた後０時間目のリスクは、現在の状態の診断と等しい。
【００２３】
好ましいリスク層別化実施形態において、対象は、腎前性、腎性、または腎後性ＡＲＦに関する１つまたは複数の既知危険因子を有する対象の先在の因子（ｐｒｅ−ｅｘｉｓｔｅｎｃｅ）に基づいてリスク層別化のために選択される。例えば、大血管手術、冠動脈バイパス術、もしくは他の心臓手術を受けている、もしくは受けたことがある対象；既往うっ血性心不全、子癇前症、子癇、糖尿病、高血圧、冠動脈疾患、タンパク尿、腎不全、正常範囲未満の糸球体濾過値、肝硬変、正常範囲を超える血清クレアチニンもしくは敗血症を有する対象；またはＮＳＡＩＤ、シクロスポリン、タクロリムス、アミノグリコシド、ホスカルネット、エチレングリコール、ヘモグロビン、ミオグロビン、イホスファミド、重金属、メトトレキサート、放射線不透過性造影剤もしくはストレプトゾトシンに暴露された対象は全て、本明細書に記載された方法によりリスクをモニタリングするための好ましい対象である。このリストは、限定を意味するものではない。本明細書の文脈における「先在の因子」は、対象から体液試料が得られた時点で危険因子が存在することを意味する。特に好ましい実施形態において、対象は、腎機能損傷、腎機能低下、またはＡＲＦの既存の診断に基づくリスク層別化のために選択される。
【００２４】
他の実施形態において、本明細書に記載された腎臓状態を評価する方法は、対象の腎障害を診断する方法；即ち、対象が腎機能損傷、腎機能低下、またはＡＲＦに罹患しているか否かを評定する方法である。これらの実施形態において、アッセイの結果を、腎臓状態の変化の発生または不発生に相関させる。以下は、好ましい診断の実施形態である。
【００２５】
好ましい診断の実施形態において、これらの方法は、腎機能損傷の発生または不発生を診断することを含み、アッセイの結果、例えばＣ−Ｃモチーフケモカイン１６、Ｃ−Ｃモチーフケモカイン１４および／またはチロシンプロテインキナーゼ受容体ＵＦＯからなる群から選択される１種または複数のマーカーの測定濃度を、そのような損傷の発生または不発生に相関させる。例えば、それぞれの測定濃度を、閾値と比較し得る。ポジティブゴーイングマーカーについては、測定濃度が閾値より高い場合に、（測定濃度が閾値より低い場合に割り付けられる尤度に比べて）腎機能損傷の発生尤度の上昇が対象に割り付けられ；あるいは、測定濃度が閾値より低い場合に、（測定濃度が閾値より高い場合に割り付けられる尤度に比べて）腎機能損傷の不発生尤度の上昇が対象に割り付けられ得る。ネガティブゴーイングマーカーについては、測定濃度が閾値より低い場合に、（測定濃度が閾値より高い場合に割り付けられる尤度に比べて）腎機能損傷の発生尤度の上昇が対象に割り付けられ；あるいは、測定濃度が閾値より高い場合に、（測定濃度が閾値より低い場合に割り付けられる尤度に比べて）腎機能損傷の不発生尤度の上昇が対象に割り付けられ得る。
【００２６】
他の好ましい診断の実施形態において、これらの方法は、腎機能低下の発生または不発生を診断することを含み、アッセイの結果、例えばＣ−Ｃモチーフケモカイン１６、Ｃ−Ｃモチーフケモカイン１４および／またはチロシンプロテインキナーゼ受容体ＵＦＯからなる群から選択される１種または複数のマーカーの測定濃度を、腎機能低下を起こす損傷の発生または不発生に相関させる。例えば、それぞれの測定濃度を、閾値と比較し得る。ポジティブゴーイングマーカーについては、測定濃度が閾値より高い場合に、（測定濃度が閾値より低い場合に割り付けられる尤度に比べて）腎機能低下を起こす損傷の発生尤度の上昇が対象に割り付けられ；あるいは、測定濃度が閾値より低い場合に、（測定濃度が閾値より高い場合に割り付けられる尤度に比べて）腎機能低下を起こす損傷の不発生尤度の上昇が対象に割り付けられ得る。ネガティブゴーイングマーカーについては、測定濃度が閾値より低い場合に、（測定濃度が閾値より高い場合に割り付けられる尤度に比べて）腎機能低下を起こす損傷の発生尤度の上昇が対象に割り付けられ；あるいは、測定濃度が閾値より高い場合に、（測定濃度が閾値より低い場合に割り付けられる尤度に比べて）腎機能低下を起こす損傷の不発生尤度の上昇が対象に割り付けられ得る。
【００２７】
さらに別の好ましい診断の実施形態において、これらの方法は、ＡＲＦの発生または不発生を診断することを含み、アッセイの結果、例えばＣ−Ｃモチーフケモカイン１６、Ｃ−Ｃモチーフケモカイン１４および／またはチロシンプロテインキナーゼ受容体ＵＦＯからなる群から選択される１種または複数のマーカーの測定濃度を、ＡＲＦを起こす損傷の発生または不発生と相関させる。例えば、それぞれの測定濃度を、閾値と比較し得る。ポジティブゴーイングマーカーについては、測定濃度が閾値より高い場合に、（測定濃度が閾値より低い場合に割り付けられる尤度に比べて）ＡＲＦの発生尤度の上昇が対象に割り付けられ；あるいは、測定濃度が閾値より低い場合に、（測定濃度が閾値より高い場合に割り付けられる尤度に比べて）ＡＲＦの不発生尤度の上昇が対象に割り付けられ得る。ネガティブゴーイングマーカーについては、測定濃度が閾値より低い場合に、（測定濃度が閾値より高い場合に割り付けられる尤度に比べて）ＡＲＦの発生尤度の上昇が対象に割り付けられ；あるいは、測定濃度が閾値より高い場合に、（測定濃度が閾値より低い場合に割り付けられる尤度に比べて）ＡＲＦの不発生尤度の上昇が対象に割り付けられ得る。
【００２８】
さらに別の好ましい診断の実施形態において、これらの方法は、腎置換療法を必要としているとして対象を診断することを含み、アッセイの結果、例えばＣ−Ｃモチーフケモカイン１６、Ｃ−Ｃモチーフケモカイン１４および／またはチロシンプロテインキナーゼ受容体ＵＦＯからなる群から選択される１種または複数のマーカーの測定濃度を、腎置換療法の必要性と相関させる。例えば、それぞれの測定濃度を、閾値と比較し得る。ポジティブゴーイングマーカーについては、測定濃度が閾値より高い場合に、（測定濃度が閾値より低い場合に割り付けられる尤度に比べて）腎置換療法の必要性を生じる損傷の発生尤度の上昇が対象に割り付けられ；あるいは、測定濃度が閾値より低い場合に、（測定濃度が閾値より高い場合に割り付けられる尤度に比べて）腎置換療法の必要性を生じる損傷の不発生尤度の上昇が対象に割り付けられ得る。ネガティブゴーイングマーカーについては、測定濃度が閾値より低い場合に、（測定濃度が閾値より高い場合に割り付けられる尤度に比べて）腎置換療法の必要性を生じる損傷の発生尤度の上昇が対象に割り付けられ；あるいは、測定濃度が閾値より高い場合に、（測定濃度が閾値より低い場合に割り付けられる尤度に比べて）腎置換療法の必要性を生じる損傷の不発生尤度の上昇が対象に割り付けられ得る。
【００２９】
さらに別の好ましい診断の実施形態において、これらの方法は、腎移植を必要としているとして対象を診断することを含み、アッセイの結果、例えばＣ−Ｃモチーフケモカイン１６、Ｃ−Ｃモチーフケモカイン１４および／またはチロシンプロテインキナーゼ受容体ＵＦＯからなる群から選択される１種または複数のマーカーの測定濃度を、腎移植の必要性と相関させる。例えば、それぞれの測定濃度を、閾値と比較し得る。ポジティブゴーイングマーカーについては、測定濃度が閾値より高い場合に、（測定濃度が閾値より低い場合に割り付けられる尤度に比べて）腎移植の必要性を生じる損傷の発生尤度の上昇が対象に割り付けられ；あるいは、測定濃度が閾値より低い場合に、（測定濃度が閾値より高い場合に割り付けられる尤度に比べて）腎移植の必要性を生じる損傷の不発生尤度の上昇が対象に割り付けられ得る。ネガティブゴーイングマーカーについては、測定濃度が閾値より低い場合に、（測定濃度が閾値より高い場合に割り付けられる尤度に比べて）腎移植の必要性を生じる損傷の発生尤度の上昇が対象に割り付けられ；あるいは、測定濃度が閾値より高い場合に、（測定濃度が閾値より低い場合に割り付けられる尤度に比べて）腎移植の必要性を生じる損傷の不発生尤度の上昇が対象に割り付けられ得る。
【００３０】
さらなる他の実施形態において、本明細書に記載された腎臓状態を評価する方法は、対象の腎障害をモニタリングする方法；即ち、腎機能損傷、腎機能低下、またはＡＲＦに罹患している対象の腎機能が改善されているか否か、または増悪しているか否かを評価する方法である。これらの実施形態において、アッセイの結果、例えばＣ−Ｃモチーフケモカイン１６、Ｃ−Ｃモチーフケモカイン１４および／またはチロシンプロテインキナーゼ受容体ＵＦＯからなる群から選択される１種または複数のマーカーの測定濃度を、腎臓状態の変化の発生または不発生と相関させる。以下は、好ましいモニタリングの実施形態である。
【００３１】
好ましいモニタリングの実施形態において、これらの方法は、腎機能損傷に罹患している対象の腎臓状態をモニタリングすることを含み、アッセイの結果、例えばＣ−Ｃモチーフケモカイン１６、Ｃ−Ｃモチーフケモカイン１４および／またはチロシンプロテインキナーゼ受容体ＵＦＯからなる群から選択される１種または複数のマーカーの測定濃度を、対象の腎臓状態の変化の発生または不発生と相関させる。例えば、測定濃度を、閾値と比較し得る。ポジティブゴーイングマーカーについては、測定濃度が閾値より高い場合に、腎機能の増悪が対象に割り付けられ得；あるいは、測定濃度が閾値より低い場合に、腎機能の改善が対象に割り付けられ得る。ネガティブゴーイングマーカーについては、測定濃度が閾値より低い場合に、腎機能の増悪が対象に割り付けられ得；あるいは、測定濃度が閾値より高い場合に、腎機能の改善が対象に割り付けられ得る。
【００３２】
他の好ましいモニタリングの実施形態において、これらの方法は、腎機能低下に見舞われた対象の腎臓状態をモニタリングすることを含み、アッセイの結果、例えばＣ−Ｃモチーフケモカイン１６、Ｃ−Ｃモチーフケモカイン１４および／またはチロシンプロテインキナーゼ受容体ＵＦＯからなる群から選択される１種または複数のマーカーの測定濃度を、対象の腎臓状態の変化の発生または不発生と相関させる。例えば、測定濃度を、閾値と比較し得る。ポジティブゴーイングマーカーについては、測定濃度が閾値より高い場合に、腎機能の増悪が対象に割り付けられ得；あるいは、測定濃度が閾値より低い場合に、腎機能の改善が対象に割り付けられ得る。ネガティブゴーイングマーカーについては、測定濃度が閾値より低い場合に、腎機能の増悪が対象に割り付けられ得；あるいは、測定濃度が閾値より高い場合に、腎機能の改善が対象に割り付けられ得る。
【００３３】
さらに別の好ましいモニタリングの実施形態において、これらの方法は、急性腎不全に罹患している対象の腎臓状態をモニタリングすることを含み、アッセイの結果、例えばＣ−Ｃモチーフケモカイン１６、Ｃ−Ｃモチーフケモカイン１４および／またはチロシンプロテインキナーゼ受容体ＵＦＯからなる群から選択される１種または複数のマーカーの測定濃度を、対象の腎臓状態の変化の発生または不発生と相関させる。例えば、測定濃度を、閾値と比較し得る。ポジティブゴーイングマーカーについては、測定濃度が閾値より高い場合に、腎機能の増悪が対象に割り付けられ得；あるいは、測定濃度が閾値より低い場合に、腎機能の改善が対象に割り付けられ得る。ネガティブゴーイングマーカーについては、測定濃度が閾値より低い場合に、腎機能の増悪が対象に割り付けられ得；あるいは、測定濃度が閾値より高い場合に、腎機能の改善が対象に割り付けられ得る。
【００３４】
別のさらなる好ましいモニタリングの実施形態において、これらの方法は、腎前性、腎性、または腎後性ＡＲＦの１つまたは複数の先在の因子による腎機能損傷のリスクのある対象の腎臓状態をモニタリングすることを含み、アッセイの結果、例えばＣ−Ｃモチーフケモカイン１６、Ｃ−Ｃモチーフケモカイン１４および／またはチロシンプロテインキナーゼ受容体ＵＦＯからなる群から選択される１種または複数のマーカーの測定濃度を、対象の腎臓状態の変化の発生または不発生と相関させる。例えば、測定濃度を、閾値と比較し得る。ポジティブゴーイングマーカーについては、測定濃度が閾値より高い場合に、腎機能の増悪が対象に割り付けられ得；あるいは、測定濃度が閾値より低い場合に、腎機能の改善が対象に割り付けられ得る。ネガティブゴーイングマーカーについては、測定濃度が閾値より低い場合に、腎機能の増悪が対象に割り付けられ得；あるいは、測定濃度が閾値より高い場合に、腎機能の改善が対象に割り付けられ得る。
【００３５】
さらに別の好ましいモニタリングの実施形態において、これらの方法は、急性腎障害の将来の持続について腎機能損傷を有する対象、またはそのリスクのある対象において、腎臓状態をモニタリングすることを含む。本明細書で用いられる「将来の持続」は、２１日、１４日、７日、５日、９６時間、７２時間、４８時間、３６時間、２４時間および１２時間からなる群から選択される期間、継続する既存の急性腎障害を指す。特定の実施形態において、対象は、試料が得られた時点で、急性腎障害を有する。これは、試料が得られた時点で対象が急性腎障害を有していなければならない、ということ含むという意味ではなく、むしろ対象が、急性腎障害の発病時に、持続することになる急性腎障害に罹患していることを意味する。様々な実施形態において、アッセイの結果、例えばＣ−Ｃモチーフケモカイン１６、Ｃ−Ｃモチーフケモカイン１４および／またはチロシンプロテインキナーゼ受容体ＵＦＯからなる群から選択される１種または複数のマーカーの測定濃度を、対象の急性腎障害の将来の持続と相関させる。例えば、測定濃度を、閾値と比較し得る。ポジティブゴーイングマーカーについては、測定濃度が閾値より高い場合に、急性腎障害の将来の持続が対象に割り付けられ得；あるいは、測定濃度が閾値より低い場合に、腎機能の将来の改善が対象に割り付けられ得る。ネガティブゴーイングマーカーについては、測定濃度が閾値より低い場合に、急性腎障害の将来の持続が対象に割り付けられ得；あるいは、測定濃度が閾値より高い場合に、腎機能の将来の改善が対象に割り付けられ得る。
【００３６】
さらに別の実施形態において、本明細書に記載された腎臓状態を評価する方法は、対象の腎障害を分類する方法；即ち、対象の腎障害が、腎前性、腎性、もしくは腎後性であるかを判定する方法；および／またはこれらのクラスをサブクラス、例えば、急性尿細管損傷、急性糸球体腎炎、急性尿細管間質性腎炎、急性血管腎症、もしくは浸潤性疾患にさらに細分割する方法；および／または対象が特定のＲＩＦＬＥステージに進行する尤度を割り付ける方法である。これらの実施形態において、アッセイの結果、例えばＣ−Ｃモチーフケモカイン１６、Ｃ−Ｃモチーフケモカイン１４および／またはチロシンプロテインキナーゼ受容体ＵＦＯからなる群から選択される１種または複数のマーカーの測定濃度を、特定のクラスおよび／またはサブクラスに相関させる。以下は、好ましい分類の実施形態である。
【００３７】
好ましい分類の実施形態において、これらの方法は、対象の腎障害が、腎前性、腎性、もしくは腎後性であるかを判定すること；および／またはこれらのクラスをサブクラス、例えば、急性尿細管損傷、急性糸球体腎炎、急性尿細管間質性腎炎、急性血管腎症、もしくは浸潤性疾患にさらに細分割すること；および／または対象が特定のＲＩＦＬＥステージに進行する尤度を割り付けることを含み、アッセイの結果、例えばＣ−Ｃモチーフケモカイン１６、Ｃ−Ｃモチーフケモカイン１４および／またはチロシンプロテインキナーゼ受容体ＵＦＯからなる群から選択される１種または複数のマーカーの測定濃度を、対象の損傷分類と相関させる。例えば、測定濃度を、閾値と比較し得、測定濃度が閾値より高い場合は、特定の分類が割り付けられ；あるいは、測定濃度が閾値より低い場合には、異なる分類を対象が割り付けられ得る。
【００３８】
これらの方法で使用される所望の閾値に到達するために、種々の方法が、当業者により使用され得る。例えば、閾値は、正常な対象で測定された腎障害マーカーの７５、８５、９０、９５、または９９パーセンタイル値を示す濃度を選択することにより、正常対象母集団から、決定することができる。あるいは閾値は、「疾患」対象母集団、例えば、損傷に見舞われている対象、または損傷の素因（例えば、ＡＲＦへの進行、または幾つかの他の臨床転帰、例えば、死亡、透析、腎移植など）を有する対象で測定された腎障害マーカーの７５、８５、９０、９５、または９９パーセンタイル値を示す濃度を選択することにより、前記対象母集団から決定することができる。別の代替法では、閾値は、同じ対象の前回の腎障害マーカーの過去の測定から決定され得、即ち、対象の腎障害マーカーレベルの時間的変化が、対象にリスクを割り付けるのに使用され得る。
【００３９】
しかし、前述の議論は、本発明の腎障害マーカーが、対応する個々の閾値と比較されなければならないことを含むという意味ではない。アッセイ結果を組み合わせる方法は、多変量ロジスティック回帰分析、対数線形モデル、ニューラルネットワーク解析、ｎ−ｏｆ−ｍ解析、決定木解析、マーカー比率の計算などの使用を含み得る。このリストは、限定を意味するものではない。これらの方法では、個々のマーカーを組み合わせることにより決定される複合的結果は、それ自体がマーカーであるように取り扱うことができ；即ち、閾値は、個々のマーカーの本明細書で記載された複合的結果について、そしてこの閾値と比較される個々の患者の複合的結果について決定され得る。
【００４０】
特定の試験が２つの母集団を区別する能力は、ＲＯＣ解析を使って確立され得る。例えば、１つまたは複数の腎臓状態が将来変化する素因がある「第一の」亜集団、およびその素因がない「第二の」亜集団から確立されたＲＯＣ曲線は、ＲＯＣ曲線を計算するのに使用され得、曲線下面積は、試験の品質の尺度を提供する。好ましくは本明細書に記載された試験は、０．５を超える、好ましくは少なくとも０．６、より好ましくは０．７、より好ましくは少なくとも０．８、より好ましくは少なくとも０．９、最も好ましくは少なくとも０．９５のＲＯＣ曲線下面積が得られる。
【００４１】
特定の態様において、１つまたは複数の腎障害マーカー、またはそのようなマーカーの組み合わせの測定濃度が、連続変数として処理され得る。例えば、任意の特定の濃度は、対象の将来の腎機能低下、損傷の発生、分類などの対応する確率に変換され得る。さらに別の代替態様において、閾値は、対象母集団を、「第一の」亜集団（例えば、１つまたは複数の将来の腎臓状態の変化、損傷の発生、分類などの素因を有する）およびそのような素因を有さない「第二の」亜集団などの「ビン」へ分別する上で、許容され得るレベルの特異度および感度を提供し得る。閾値は、下記の試験正確度の測定の１つまたは複数により、この第一および第二の母集団を分別するように選択される：
１を超える、好ましくは少なくとも約２以上または約０．５以下、より好ましくは少なくとも約３以上または約０．３３以下、より好ましくは少なくとも約４以上または約０．２５以下、より好ましくは少なくとも約５以上または約０．２以下、最も好ましくは少なくとも約１０以上または約０．１以下のオッズ比；
０．５を超える、好ましくは少なくとも約０．６、より好ましくは少なくとも約０．７、より好ましくは少なくとも約０．８、より好ましくは少なくとも約０．９、最も好ましくは少なくとも約０．９５の特異度と、０．２を超える、好ましくは約０．３を超える、より好ましくは約０．４を超える、より好ましくは少なくとも約０．５、よりより好ましくは約０．６、より好ましくは約０．７を超える、より好ましくは約０．８を超える、より好ましくは約０．９を超える、最も好ましくは約０．９５を超える対応する感度；
０．５を超える、好ましくは少なくとも約０．６、より好ましくは少なくとも約０．７、より好ましくは少なくとも約０．８、より好ましくは少なくとも約０．９、最も好ましくは少なくとも約０．９５の感度と、０．２を超える、好ましくは約０．３を超える、より好ましくは約０．４を超える、より好ましくは少なくとも約０．５、より好ましくは約０．６、より好ましくは約０．７を超える、より好ましくは約０．８を超える、より好ましくは約０．９を超える、最も好ましくは約０．９５を超える対応する特異度；
少なくとも約７５％の特異度と組み合わされた少なくとも約７５％の感度；
１を超える、少なくとも約２、より好ましくは少なくとも約３、より好ましくは少なくとも約５、最も好ましくは少なくとも約１０の陽性尤度比（感度／（１−特異度）：で計算される）；または
１未満、約０．５以下、より好ましくは約０．３以下、最も好ましくは約０．１以下の陰性尤度比（（１−感度）／特異度：で計算される）。
上記測定値のすべての文脈における用語「約」は、所与の測定値の±５％を指す。
【００４２】
多重閾値もまた、対象の腎臓状態を評定するのに用いられ得る。例えば、１つまたは複数の将来の腎臓状態の変化、損傷の発生、分類などの素因を有する「第一の」亜集団、およびその素因を有さない「第二の」亜集団を、単一の群に組み合わせることが可能である。この群は、その後、３つ以上の均等部分に細区画される（細区画の数に応じて、三分位、四分位、五分位などとして知られる）。オッズ比が、それらが分類される細区画に基づいて対象に割り付けられる。三分位数を検討する場合、最小または最大三分位数が、他の細区画の比較のための参照として用いられ得る。この参照細区画は、オッズ比１に割り付けられる。第二の三分位は、第一の三分位に相対的なオッズ比が割り付けられる。即ち、第二の三分位の人は、第一の三分位の人に比べて、１つまたは複数の将来の腎臓状態の変化が３倍多く起こる可能性がある。第三の三分位もまた、第一の三分位に相対的なオッズ比が割り付けられる。
【００４３】
特定の実施形態において、アッセイ方法は、イムノアッセイである。そのようなアッセイに使用する抗体は、該当する完全長腎障害マーカーに特異的に結合し、それに「関連する」（この用語は後で定義する）１つまたは複数のポリペプチドにも結合し得る。数多くのイムノアッセイ形式が当業者に公知である。好ましい体液試料は、尿、血液、血清、唾液、涙液、および血漿からなる群から選択される。
【００４４】
本明細書に記載された方法において、腎障害マーカーアッセイの結果が単独で用いられることを意味するものとして、前述の方法のステップを解釈すべきではない。むしろ、追加の変数または他の臨床徴候が、本明細書に記載された方法に含まれ得る。例えば、リスク層別化、診断、分類、モニタリングなどの方法では、アッセイ結果を、人口統計情報（例えば、体重、性別、年齢、人種）、病歴（例えば、家族歴、手術のタイプ、先在の疾患、例えば動脈瘤、うっ血性心不全、子癇前症、子癇、糖尿病、高血圧、冠動脈疾患、タンパク尿、腎不全、または敗血症、毒素暴露のタイプ、例えば、ＮＳＡＩＤ、シクロスポリン、タクロリムス、アミノグリコシド、ホスカルネット、エチレングリコール、ヘモグロビン、ミオグロビン、イホスファミド、重金属、メトトレキサート、放射線不透過性造影剤、またはストレプトゾトシン）、臨床変数（例えば、血圧、温度、呼吸数）、リスクスコア（ＡＰＡＣＨＥスコア、ＰＲＥＤＩＣＴスコア、ＵＡ／ＮＳＴＥＭＩ用のＴＩＭＩリスクスコア、フラミンガムリスクスコア）、糸球体濾過速度、推定糸球体濾過速度、尿産生速度、血清または血漿クレアチニン濃度、尿クレアチニン濃度、ナトリウム排泄率、尿ナトリウム濃度、尿クレアチニン対血清または血漿クレアチニン比率、尿比重、尿浸透圧、尿中尿素窒素対血漿尿素窒素比率、血漿ＢＵＮ対クレアチニン比率、尿ナトリウム／（尿クレアチニン／血漿クレアチニン）として計算される腎機能不全指数、血清または血漿好中球ゼラチナーゼ（ＮＧＡＬ）濃度、尿ＮＧＡＬ濃度、血清または血漿シスタチンＣ濃度、血清または血漿心筋トロポニン濃度、血清または血漿ＢＮＰ濃度、血清または血漿ＮＴｐｒｏＢＮＰ濃度、および血清または血漿ｐｒｏＢＮＰ濃度、からなる群から選択される対象に関して測定される１つまたは複数の変数と組み合わせ得る。１つまたは複数の腎障害マーカーアッセイ結果と組み合わせられ得る他の腎機能の測定は、本明細書の以降に、そしてそれぞれが全体として参照により本明細書に組み入れられるＨａｒｒｉｓｏｎ’ｓ  Ｐｒｉｎｃｉｐｌｅｓ  ｏｆ  Ｉｎｔｅｒｎａｌ  Ｍｅｄｉｃｉｎｅ，  １７ｔｈ  Ｅｄ．，  ＭｃＧｒａｗ  Ｈｉｌｌ，  Ｎｅｗ  Ｙｏｒｋ，  ｐ１７４１−１８３０、およびＣｕｒｒｅｎｔ  Ｍｅｄｉｃａｌ  Ｄｉａｇｎｏｓｉｓ  ＆  Ｔｒｅａｔｍｅｎｔ ２００８，  ４７ｔｈ  Ｅｄ、ＭｃＧｒａｗ  Ｈｉｌｌ，  Ｎｅｗ  Ｙｏｒｋ，  ｐ７８５−８１５に記載されている。
【００４５】
複数のマーカーが測定される場合は、個々のマーカーは、同時に得られた試料で測定され得、または異なる時点で（例えば、より早期または後期に）得た試料から判定され得る。個々のマーカーはまた、同一または異なる体液試料で測定され得る。例えば、１つの腎障害マーカーは、血清または血漿試料で測定され得、別の腎障害マーカーは、尿試料で測定され得る。さらに、尤度の割り付けでは、個々の腎障害マーカーアッセイ結果を、１つまたは複数の追加の変数における時間的変化と組み合わせ得る。
【００４６】
様々な関連する態様において、本発明はまた、本明細書に記載された方法を実施するためのデバイスおよびキットに関する。適切なキットは、少なくとも１つの記載された腎障害マーカーに関するアッセイを実施するのに十分な試薬を、記載された閾値比較を実施するための使用説明書と共に含む。
【００４７】
特定の実施形態において、そのようなアッセイを実施する試薬は、アッセイデバイスの中で提供され、そのようなアッセイデバイスは、そのようなキットの中に含むことができる。好ましい試薬は、１つまたは複数の固相抗体を含み、該固相抗体は、固体支持体に結合した意図するバイオマーカーターゲット（複数可）を検出する抗体を含み得る。サンドイッチイムノアッセイの場合は、そのような試薬は、１つまたは複数の検出可能に標識された抗体を含み、該検出可能に標識された抗体は、検出可能標識に結合された意図するバイオマーカーターゲット（複数可）を検出する抗体を含み得る。アッセイデバイスの一部として提供され得る追加の任意選択の要素は、本明細書の以降に記載される。
【００４８】
検出可能な標識は、それ自体検出可能な分子（例えば、蛍光部分、電気化学標識、ｅｃｌ（電気化学発光）標識、金属キレート、コロイド状金属粒子など）、ならびに検出可能反応産物（例えば、西洋ワサビペルオキシダーゼ、アルカリフォスファターゼなどの酵素）の生成により、またはそれ自体検出可能であり得る特異的結合分子（例えば、第二の抗体、ビオチン、ジゴキシゲニン、マルトース、オリゴヒスチジン、２，４−ジニトロベンゼン（２，４−ｄｉｎｔｒｏｂｅｎｚｅｎｅ）、フェニルアルセナート、ｓｓＤＮＡ、ｄｓＤＮＡなどに結合する標識抗体）の使用により、間接的に検出され得る分子を含み得る。
【００４９】
シグナル発生要素からのシグナルの生成は、当該技術分野で周知の様々な光学的、音響的、および電気化学的方法を使って実施することができる。検出方式の例としては、蛍光、放射化学検出、反射率、吸光度、電流滴定、コンダクタンス、インピーダンス、干渉法、偏光解析法などが挙げられる。これらの方法の特定のものでは、シグナルの生成のために、固相抗体がトランスデューサー（例えば、回折格子、電気化学センサーなど）に連結され、別の方法では、固相抗体から空間的に分離されたトランスデューサー（例えば、励起光源と光学的検出器を用いた蛍光光度計）によってシグナルが生成される。このリストは、限定を意味するものではない。抗体に基づくバイオセンサーもまた、標識分子の必要性を場合により排除する被分析物の存在または量を判定するのに用いることができる。
【発明を実施するための形態】
【００５０】
発明の詳細な記載
本発明は、１つまたは複数の腎障害マーカーの測定を通して腎機能損傷、腎機能低下および／または急性腎不全に罹患した対象または罹患するリスクのある対象における診断、識別的診断、リスク層別化、モニタリング、分類および処置レジメン決定のための方法および組成物に関する。様々な実施形態において、Ｃ−Ｃモチーフケモカイン１６、Ｃ−Ｃモチーフケモカイン１４およびチロシンプロテインキナーゼ受容体ＵＦＯからなる群から選択される１種もしくは複数のマーカー、またはそれに関連する１種もしくは複数のマーカー、そして場合により１種もしくは複数のさらなる腎障害マーカーの測定濃度を、対象の腎臓状態に相関させる。
【００５１】
本文書の目的のために、以下の定義が適用される：
本明細書で用いられる「腎機能損傷」は、腎機能の測定値の急速な（１４日以内、好ましくは７日以内、より好ましくは７２時間以内、より好ましくは４８時間以内の）計測可能な減少である。そのような損傷は、例えば糸球体濾過速度または推定ＧＦＲの低下、尿量の減少、血清クレアチニンの増加、血清シスタチンＣの増加、腎置換療法の要求などにより同定可能である。「腎機能の改善」は、腎機能の測定値の急速な（１４日以内、好ましくは７日以内、より好ましくは７２時間以内、より好ましくは４８時間以内の）計測可能な増加である。ＧＦＲ測定および／または推定の好ましい方法が、以降に記載される。
【００５２】
本明細書で用いられる「腎機能低下」は、０．１ｍｇ／ｄＬ以上（≧８．８μｍｏｌ／Ｌ）の血清クレアチニンの絶対増加、血清クレアチニンの２０％（ベースラインから１．２倍）以上の割合％増加、または尿量の減少（１時間あたり０．５ｍｌ／ｋｇ未満の実証された乏尿）によって同定される腎臓機能の急速な（１４日以内、好ましくは７日以内、より好ましくは７２時間以内、より好ましくは４８時間以内の）低下である。
【００５３】
本明細書で用いられる「急性腎不全」または「ＡＲＦ」は、０．３ｍｇ／ｄｌ以上（≧２６．４μｍｏｌ／ｌ）の血清クレアチニンの絶対増加、血清クレアチニンの５０％（ベースラインから１．５倍）以上の割合％増加、または尿量の減少（少なくとも６時間の間、１時間あたり０．５ｍｌ／ｋｇ未満の実証された乏尿）によって同定される腎臓機能の急速な（１４日以内、好ましくは７日以内、より好ましくは７２時間以内、より好ましくは４８時間以内の）低下である。この用語は、「急性腎障害」または「ＡＫＩ」と同義である。
【００５４】
これに関しては、当業者は、イムノアッセイから得られるシグナルが、１つまたは複数の抗体と、抗体が結合するのに必要なエピトープ（複数可）を含む標的生体分子（すなわち被分析物）およびポリペプチドと、の間に形成された複合体の直接の結果であることを理解するであろう。そのようなアッセイは、完全長バイオマーカーを検出可能で、アッセイ結果を該当するバイオマーカーの濃度として表わすことができるが、アッセイからのシグナルは、事実上、試料中に存在する全てのそのような「免疫反応性」ポリペプチドの結果である。バイオマーカーの発現はまた、タンパク質測定（例えば、ドットブロット、ウェスタンブロット、クロマトグラフ法、質量分析法など）および核酸測定（ｍＲＮＡ定量）をはじめとするイムノアッセイ以外の手段でも判定可能である。このリストは、限定を意味するものではない。
【００５５】
本明細書で用いられる用語「Ｃ−Ｃモチーフケモカイン１６」は、Ｃ−Ｃモチーフケモカイン１６前駆体に由来する生体試料中に存在する１つまたは複数のポリペプチドを指す（ヒト配列：Ｓｗｉｓｓ−Ｐｒｏｔ  Ｏ１５４６７（ＳＥＱ  ＩＤ  ＮＯ：１））：
【化１】
0006792553.tif 000004
【００５６】
以下のドメインは、Ｃ−Ｃモチーフケモカイン１６内で同定された：
残基            長さ        ドメインＩＤ
１−２３        ２３          シグナルペプチド
２４−１２０    ９７        Ｃ−Ｃモチーフケモカイン１６
【００５７】
本明細書で用いられる用語「Ｃ−Ｃモチーフケモカイン１４」は、Ｃ−Ｃモチーフケモカイン１４前駆体に由来する生体試料中に存在する１つまたは複数のポリペプチドを指す（ヒト配列：Ｓｗｉｓｓ−Ｐｒｏｔ  Ｑ１６６２７（ＳＥＱ  ＩＤ  ＮＯ：１））：
【化２】
0006792553.tif 000005
【００５８】
以下のドメインは、Ｃ−Ｃモチーフケモカイン１４内で同定された：
残基          長さ    ドメインＩＤ
１−１９      １９    シグナルペプチド
２０−９３    ７４    Ｃ−Ｃモチーフケモカイン１４
２２−９３    ７２    ＨＣＣ−１（３−７４）
２３−９３    ７１    ＨＣＣ−１（４−７４）
２８−９３    ６６    ＨＣＣ−１（９−７４）
２７                  アイソフォーム２内でＲ→ＱＴＧＧＫＰＫＶＶＫＩＱＬＫＬＶＧ
（ＳＥＱ  ＩＤ  ＮＯ：２）
【００５９】
本明細書で用いられる用語「チロシンキナーゼ受容体ＵＦＯ」は、チロシンプロテインキナーゼ受容体ＵＦＯ前駆体に由来する生体試料中に存在する１つまたは複数のポリペプチドを指す（ヒト配列：Ｓｗｉｓｓ−Ｐｒｏｔ  Ｐ３０５３０（ＳＥＱ  ＩＤ  ＮＯ：１））：
【化３】
0006792553.tif 000006
【００６０】
特定の実施形態において、チロシンプロテインキナーゼ受容体ＵＦＯアッセイは、チロシンプロテインキナーゼ受容体ＵＦＯの１つまたは複数の可溶性形態を検出する。チロシンプロテインキナーゼ受容体ＵＦＯは、膜結合形態のタンパク質分解によって、または選択的スプライシングによって生成されたチロシンプロテインキナーゼ受容体ＵＦＯのチロシンプロテインキナーゼ受容体ＵＦＯ形態内で見出され得る細胞外ドメインを有する一回膜貫通タンパク質である。免疫アッセイの場合、細胞外ドメイン内のエピトープに結合する１つまたは複数の抗体を用いて、これらのチロシンプロテインキナーゼ受容体ＵＦＯ形態（複数可）を検出することができる。以下のドメインは、チロシンプロテインキナーゼ受容体ＵＦＯ内で同定された：
残基              長さ        ドメインＩＤ
１−２５          ２５        シグナルペプチド
２６−８９４      ８６９      チロシンプロテインキナーゼ受容体ＵＦＯ
４７３−８９４    ４２２      細胞質ドメイン
４５２−４７２    ２１        膜貫通ドメイン    
２６−４５１      ４２６      細胞外ドメイン
４２９−４３７                アイソフォーム２の中では欠失
【００６１】
本明細書で用いられる用語：被分析物の「存在または量にシグナルを関連づけること」は、この理解を反映するものである。アッセイシグナルは、典型的には該当する被分析物の既知濃度を用いて計算された標準曲線の使用により、被分析物の存在または量に関連づけられる。この用語が本明細書で使用される場合、アッセイで生理学的関連濃度の被分析物の存在または量を示す検出可能なシグナルを生成し得るならば、アッセイは、被分析物を「検出するように構成されている」。抗体エピトープは、およそ８アミノ酸であるから、該当するマーカーを検出するように構成されたイムノアッセイもまた、それらのポリペプチドが、アッセイで用いられる抗体または複数の抗体に結合するのに必要なエピトープ（複数可）を含む限り、マーカー配列に関連するポリペプチドを検出することになる。
【００６２】
本明細書に記載された１つの腎障害マーカーなどのバイオマーカーに関連して本明細書で用いられる用語「関連のマーカー」は、マーカー自体の代用として、または独立したバイオマーカーとして、検出され得る特定のマーカーまたはその生合成ペアレントの１つまたは複数の断片、変異体などを指す。この用語はまた、追加の種と複合体化されたバイオマーカー前駆体、例えば結合タンパク質、受容体、ヘパリン、脂質、糖などに由来する生物学的試料中に存在する１つまたは複数のポリペプチドを指す。
【００６３】
本明細書で用いられる用語「ポジティブゴーイング」マーカーは、疾患または状態に罹患していない対象に比較して、疾患または状態に罹患している対象において増加していると判定されるマーカーを指す。本明細書で用いられる用語「ネガティブゴーイング」マーカーは、疾患または状態に罹患していない対象に比較して、疾患または状態に罹患している対象において減少していると判定されるマーカーを指す。
【００６４】
本明細書で用いられる用語「対象」は、ヒトまたは非ヒト生物体を指す。したがって、本明細書に記載された方法および組成物は、ヒトおよび獣医学疾患の両方に適用可能である。さらに、対象は、好ましくは生存する生物体であるが、本明細書に記載された発明は、死後分析にも同様に用いられ得る。好ましい対象は、ヒト、最も好ましくは「患者」であり、患者は、本明細書では、疾患または状態に対し医療的ケアを受けている生存するヒトを指す。これには、病態の徴候に対して調査中の未確定の疾病を有する人が含まれる。
【００６５】
好ましくは被分析物は、試料中で測定される。そのような試料は、対象から得ることができ、または対象に提供される予定の生物学的材料から得ることができる。例えば試料は、腎臓から得られ、対象への可能な移植のため、そして腎臓を既存の損傷について評価するために用いられる被分析物測定のために評価され得る。好ましい試料は、体液試料である。
【００６６】
本明細書で用いられる用語「体液試料」は、該当する対象、例えば患者または移植ドナーの診断、予後、分類または評価を目的として得られた体液の試料を指す。特定の実施形態において、そのような試料は、進行中の状態の転帰または状態に及ぼす処置レジメンの影響を決定する目的で得ることができる。好ましい体液試料としては、血液、血清、血漿、脳脊髄液、尿、唾液、痰、および胸水が挙げられる。追加として、当業者は、特定の体液試料が、分画または精製手順、例えば血清または血漿成分への全血の分離、の後に、より即座に分析されることを理解するであろう。
【００６７】
本明細書で用いられる用語「診断」は、患者が所与の疾患または状態に罹患するか否かの確率（「尤度」）を当業者が推定および／または決定し得る方法を指す。本発明の場合、「診断」は、場合により他の臨床的特性と併せて、本発明の腎障害マーカーに関するアッセイ、最も好ましくはイムノアッセイの結果を利用して、試料を採取およびアッセイした対象について急性腎障害またはＡＲＦの診断（即ち、発生または不発生）に至らせることを含む。そのような診断が「決定される」ことは、診断が１００％正確であることを含むという意味ではない。多くのバイオマーカーは、複数の状態を示す。熟練の臨床医は、情報が欠如している状態でバイオマーカーの結果を用いるのではなく、むしろ試験結果を他の臨床徴候と併せて用いて診断に至らせる。したがって、所定の診断閾値の一方の側にある測定バイオマーカーレベルは、所定の診断閾値のもう一方の側にある測定レベルに比較して、対象における疾患の発生のより大きな尤度を示す。
【００６８】
同様に、予後リスクは、所与の経過または転帰が発生する確率（「尤度」）を示唆する。予後指標のレベルまたはレベル変化は、同じく罹患確率の上昇（例えば、腎機能の増悪、将来のＡＲＦ、または死亡）に関連し、患者の有害転帰の「尤度の上昇を示す」と表現される。
【００６９】
マーカーアッセイ
一般にイムノアッセイは、該当するバイオマーカーを含む試料、または含むと疑われる試料を、バイオマーカーに特異的に結合する少なくとも１種の抗体と接触させることを含む。その後、試料中のポリペプチドを抗体に結合させることにより形成された複合体の存在または量を示すシグナルが発生する。シグナルはその後、試料中のバイオマーカーの存在または量に関係づけられる。数多くの方法およびデバイスが、バイオマーカーの検出および分析用として当業者に周知である。例えば、それぞれが全ての表、図および特許請求の範囲を含む全体として参照により本明細書に組み入れられる、米国特許第６，１４３，５７６号；同６，１１３，８５５号；同６，０１９，９４４号；５，９８５，５７９号；同５，９４７，１２４号；同５，９３９，２７２号；同５，９２２，６１５号；同５，８８５，５２７号；同５，８５１，７７６号；同５，８２４，７９９号；同５，６７９，５２６号；同５，５２５，５２４号；および同５，４８０，７９２号、ならびにＴｈｅ  Ｉｍｍｕｎｏａｓｓａｙ  Ｈａｎｄｂｏｏｋ，Ｄａｖｉｄ  Ｗｉｌｄ，ｅｄ．Ｓｔｏｃｋｔｏｎ  Ｐｒｅｓｓ，Ｎｅｗ  Ｙｏｒｋ，１９９４を参照されたい。
【００７０】
当該技術分野で公知のアッセイデバイスおよび方法は、様々なサンドイッチ、競合または非競合アッセイ形式で標識分子を利用し、該当するバイオマーカーの存在または量に関連するシグナルを発生することができる。同じく適切なアッセイ形式には、クロマトグラフ、質量分析、およびタンパク質「ブロッティング」法がある。加えて、特定の方法およびデバイス、例えばバイオセンサーおよび光学的イムノアッセイを利用して、標識分子を必要とせずに被分析物の存在または量を測定することができる。例えば、それぞれが全ての表、図および特許請求の範囲を含む全体として参照により本明細書に組み入れられる、米国特許第５，６３１，１７１号；および同５，９５５，３７７号を参照されたい。同じく当業者は、非限定的にＢｅｃｋｍａｎ  ＡＣＣＥＳＳ（登録商標）、Ａｂｂｏｔｔ  ＡＸＳＹＭ（登録商標）、Ｒｏｃｈｅ  ＥＬＥＣＳＹＳ（登録商標）、Ｄａｄｅ  Ｂｅｈｒｉｎｇ  ＳＴＲＡＴＵＳ（登録商標）システムをはじめとするロボット計測装置が、イムノアッセイを実行し得るイムノアッセイ分析機器の１つであることを認識している。しかし、任意の適切なイムノアッセイ、例えば酵素免疫測定法（ＥＬＩＳＡ）、放射線免疫測定法（ＲＩＡ）、競合結合アッセイなどを、利用することができる。
【００７１】
抗体または他のポリペプチドは、アッセイで使用するために種々の固体支持体上に固定され得る。特異的結合メンバーを固定するのに使用され得る固相に、固相結合アッセイの固相として開発および／または使用されたものがある。適切な固相の例としては、メンブランフィルター、セルロースベースの紙、ビーズ（ポリマー、ラテックスおよび常磁性粒子など）、ガラス、シリコンウエハ、微粒子、ナノ粒子、ＴｅｎｔａＧｅｌ、ＡｇｒｏＧｅｌ、ＰＥＧＡゲル、ＳＰＯＣＣゲル、およびマルチウェルプレートが挙げられる。試験片は、固体支持体上のアレイに１つまたは複数の抗体をコーティングすることによって調製され得る。この試験片をその後、試験試料中に浸漬し、その後、洗浄および検出ステップで迅速に処理して、測定可能シグナル、例えば色付きのスポットを生成し得る。抗体または他のポリペプチドは、アッセイデバイス表面に直接コンジュゲートさせるか、または間接的に結合させることによって、アッセイデバイスの特異的ゾーン結合され得る。後者の一例では、抗体または他のポリペプチドが、粒子または他の固体支持体上に固定され、その固体支持体が、デバイス表面に固定され得る。
【００７２】
生物学的アッセイには、検出方法が必要であり、結果の定量化のための最も一般的な方法の１つが、試験される生物学的システム中の成分の１つに対して親和性を有するタンパク質または核酸に検出可能な標識をコンジュゲートさせることである。検出可能な標識には、それ自体が検出可能な分子（例えば、蛍光部分、電気化学的標識、金属キレートなど）、ならびに検出可能な反応生成物（例えば、西洋ワサビペルオキシダーゼ、アルカリフォスファターゼなどの酵素）の産生により間接的に検出され得る分子、またはそれ自体が検出可能な特異的結合分子（例えば、ビオチン、ジゴキシゲニン、マルトース、オリゴヒスチジン、２、４−ジニトロベンゼン、フェニルアルセナート、ｓｓＤＮＡ、ｄｓＤＮＡなど）を含み得る。
【００７３】
固相および検出可能な標識コンジュゲートの調製は多くの場合、化学架橋剤の使用を含む。架橋試薬は、少なくとも２つの反応性基を含み、一般にホモ官能性架橋剤（同じ反応性基を含む）およびヘテロ官能性架橋剤（非同一反応性基を含む）に分別される。アミン、スルフヒドリルを介してカップリングする、または非特異的に反応するホモ二官能性架橋剤は、多くの商業的供給元から入手可能である。マレイミド、ハロゲン化アルキルおよびアリール、アルファ−ハロアシル、ならびにピリジルジスルフィドは、チオール反応性基である。マレイミド、ハロゲン化アルキルおよびアリール、ならびにアルファ−ハロアシルは、スルフヒドリルと反応して、チオールエーテル結合を形成するが、ピリジルジスルフィドは、スルフヒドリルと反応してジスルフィド混合物を生成する。ピリジルジスルフィド生成物は、切断可能である。イミドエステルはまた、タンパク質−タンパク質架橋に非常に有用である。コンジュゲーションを成功させるために、それぞれが異なる属性を組み合わせた種々のヘテロ二官能性架橋剤が、市販されている。
【００７４】
特定の態様において、本発明は、記載された腎障害マーカーの分析のためのキットを提供する。キットは、腎障害マーカーへの少なくとも１つの抗体（ａｔ  ｌｅａｓｔ  ｏｎｅ  ａｎｔｉｂｏｄｙ  ｔｈａｔ  ａ  ｋｉｄｎｅｙ  ｉｎｊｕｒｙ  ｍａｒｋｅｒ）を含む少なくとも１つの試験試料の分析用試薬を含む。キットにはまた、１つまたは複数の本明細書に記載された診断および／または予後への相関を実施するためのデバイスおよび使用説明書が含まれ得る。好ましいキットは、被分析物について、サンドイッチ法を実施するための抗体ペア、または競合アッセイを実施するための標識種を含むことになる。好ましくは抗体ペアは、固相にコンジュゲートされた第一の抗体および検出可能な標識にコンジュゲートされた第二の抗体を含み、第一および第二の抗体のそれぞれが腎障害マーカーに結合する。最も好ましくは、それぞれの抗体が、モノクローナル抗体である。キットの使用および相関を実施するための使用説明書は、製造、輸送、販売もしくは使用の任意の時点でキットに貼付、または他の方法で付随される任意の文書もしくは記録物を指すラベル表示の形態であり得る。例えば、ラベル表示という用語は、宣伝パンフレットおよび冊子、包装材料、使用説明書、オーディオまたはビデオカセット、コンピュータディスク、ならびにキットに直接刷り込まれた記述を包含する。
【００７５】
抗体
本明細書で用いられる用語「抗体」は、抗原またはエピトープに特異的に結合し得る１つまたは複数の免疫グロブリン遺伝子またはその断片に由来する、またはそれらをモデルにした、またはそれらにより実質的にコードされたペプチドまたはポリペプチドを指す。例えば、Ｆｕｎｄａｍｅｎｔａｌ  Ｉｍｍｕｎｏｌｏｇｙ，  ３ｒｄ  Ｅｄｉｔｉｏｎ，  Ｗ．Ｅ．  Ｐａｕｌ，  ｅｄ．，  Ｒａｖｅｎ  Ｐｒｅｓｓ，  Ｎ．Ｙ．  （１９９３）；  Ｗｉｌｓｏｎ  （１９９４；  Ｊ．  Ｉｍｍｕｎｏｌ．  Ｍｅｔｈｏｄｓ  １７５：２６７−２７３；  Ｙａｒｍｕｓｈ  （１９９２）  Ｊ．  Ｂｉｏｃｈｅｍ．  Ｂｉｏｐｈｙｓ．  Ｍｅｔｈｏｄｓ  ２５：８５−９７を参照されたい。抗体という用語は、抗原結合部分、即ち、抗原に結合する能力を保持する「抗原結合部位」（例えば、断片、部分配列、相補性決定領域（ＣＤＲ））を包含し、これには、（ｉ）ＶＬ、ＶＨ、ＣＬおよびＣＨ１ドメインからなる一価断片であるＦａｂ断片；（ｉｉ）ヒンジ領域でジスルフィド架橋により連結された２つのＦａｂ断片を含む二価断片であるＦ（ａｂ’）２断片；（ｉｉｉ）ＶＨおよびＣＨ１ドメインからなるＦｄ断片；（ｉｖ）抗体の単一アームのＶＬおよびＶＨドメインからなるＦｖ断片、（ｖ）ＶＨドメインからなるｄＡｂ断片（Ｗａｒｄ  ｅｔ  ａｌ．，  （１９８９）  Ｎａｔｕｒｅ  ３４１：５４４−５４６）；ならびに（ｖｉ）単離された相補性決定領域（ＣＤＲ）を包含する。同じく、用語「抗体」の参照によって、一本鎖抗体が含まれる。
【００７６】
本明細書に記載されたイムノアッセイで用いられる抗体は、好ましくは本発明の腎障害マーカーに特異的に結合する。上述の通り、抗体は結合するエピトープ（複数可）を提示している任意のポリペプチドに結合するため、用語「特異的に結合する」は、抗体が予定の標的に専ら結合することを示す意図はない。むしろ、適切なエピトープ（複数可）を提示していない非標的分子への親和性に比べて、予定の標的への親和性が約５倍大きい場合に、抗体は、「特異的に結合する」。好ましくは抗体の親和性は、非標的分子への親和性よりも標的分子に対して少なくとも約５倍、好ましくは１０倍、より好ましくは２５倍、より好ましくは５０倍、最も好ましくは１００倍以上大きい。好ましい実施形態において、好ましい抗体は、少なくとも約１０７Ｍ−１、好ましくは約１０８Ｍ−１〜約１０９Ｍ−１、約１０９Ｍ−１〜約１０１０Ｍ−１、または約１０１０Ｍ−１〜約１０１２Ｍ−１の親和性で結合する。
【００７７】
親和性は、Ｋｄ＝ｋｏｆｆ／ｋｏｎとして計算される（ｋｏｆｆは解離速度定数、Ｋｏｎは会合速度定数、Ｋｄは平衡定数）。親和性は、平衡の際に様々な濃度（ｃ）で標識リガンドの結合分率（ｒ）を測定することにより決定され得る。データは、スキャッチャード式：ｒ／ｃ＝Ｋ（ｎ−ｒ）（式中、ｒ＝平衡時の結合リガンドのモル数／受容体のモル数；ｃ＝平衡時の遊離リガンド濃度；Ｋ＝平衡会合定数；ｎ＝受容体分子あたりのリガンド結合部位の数）を使ってグラフ化される。グラフ解析によって、ｒ／ｃをＹ軸上に、それに対してｒをＸ軸上にプロットして、スキャッチャードプロットを作成する。スキャッチャード解析による抗体親和性測定は、当該技術分野で周知である。例えば、ｖａｎ  Ｅｒｐ  ｅｔ  ａｌ．，  Ｊ．  Ｉｍｍｕｎｏａｓｓａｙ  １２：  ４２５−４３，  １９９１；  Ｎｅｌｓｏｎ  ａｎｄ  Ｇｒｉｓｗｏｌｄ，  Ｃｏｍｐｕｔ．  Ｍｅｔｈｏｄｓ  Ｐｒｏｇｒａｍｓ  Ｂｉｏｍｅｄ．  ２７：  ６５−８，  １９８８を参照されたい。
【００７８】
用語「エピトープ」は、抗体に特異的に結合し得る抗原決定基を指す。エピトープは通常、化学的に活性の表面分子群、例えばアミノ酸または糖側鎖からなり、通常、特異的な三次元構造特性、および特異的電荷特性を有する。立体構造および非立体構造エピトープは、前者に対する結合が変性溶媒の存在下で損なわれ、後者では損なわれないという点で識別される。
【００７９】
多くの発行物で、選択された被分析物への結合のためのポリペプチドのライブラリーを作製およびスクリーニングするためのファージディスプレイ技術の使用が議論されている。例えば、Ｃｗｉｒｌａ  ｅｔ  ａｌ．，  Ｐｒｏｃ．  Ｎａｔｌ．  Ａｃａｄ．  Ｓｃｉ．  ＵＳＡ  ８７，  ６３７８−８２，  １９９０；  Ｄｅｖｌｉｎ  ｅｔ  ａｌ．，  Ｓｃｉｅｎｃｅ  ２４９，  ４０４−６，  １９９０，  Ｓｃｏｔｔ  ａｎｄ  Ｓｍｉｔｈ，  Ｓｃｉｅｎｃｅ  ２４９，  ３８６−８８，  １９９０；およびＬａｄｎｅｒらの米国特許第５，５７１，６９８号を参照されたい。ファージディスプレイ法の基本概念は、スクリーニングされるポリペプチドをコードするＤＮＡと、該ポリペプチドとの物理的会合の確立である。この物理的会合は、ポリペプチドをコードするファージゲノムを内包するカプシドの一部としてポリペプチドを提示するファージ粒子によってもたらされる。ポリペプチドとそれらの遺伝子材料との物理的会合の確立は、異なるポリペプチドを担う非常に多数のファージの同時の大規模スクリーニングを可能にする。標的への親和性を有するポリペプチドを提示するファージは、標的に結合し、これらのファージは、標的への親和性スクリーニングによって濃縮される。これらのファージから提示されたポリペプチドの同一性は、それぞれのゲノムから決定され得る。これらの方法を用いて、その後、所望の標的への結合親和性を有すると同定されたポリペプチドを、従来の手法によって大量に合成することが可能である。例えば、全ての表、図および特許請求の範囲を含む全体として本明細書に組み入れられる米国特許第６，０５７，０９８号を参照されたい。
【００８０】
その後、これらの方法により生成される抗体を、最初、該当する精製ポリペプチドとの親和性および特異性に関してスクリーニングし、そして必要ならば、該抗体の親和性および特異性の結果を、結合から除外されることが望ましいポリペプチドと比較することによって、選択され得る。スクリーニング手順には、マイクロタイタープレートの別々のウェルに精製ポリペプチドを固定することが含まれ得る。その後、潜在的抗体または抗体群を含む溶液を、それぞれのマイクロタイターウェル入れ、約３０分〜２時間インキュベートする。その後、マイクロタイターウェルを洗浄し、標識された二次抗体（例えば、抗体がマウス抗体の場合は、アルカリフォスファターゼにコンジュゲートされた抗マウス抗体）をウェルに添加して、約３０分間インキュベートし、その後、洗浄する。基質をウェルに添加すると、固定化ポリペプチドに対する抗体が存在する場合は、呈色反応が現れる。
【００８１】
このようにして同定された抗体はその後、選択されたアッセイデザインでの親和性および特異性をさらに分析され得る。標的タンパク質のためのイムノアッセイの開発では、精製標的タンパク質が、選択された抗体を使ってイムノアッセイの感度および特異度を判別する標準として作用する。様々な抗体の結合親和性は、異なり得、特定の抗体対（例えば、サンドイッチ法）が、互いに立体障害などで干渉し得るため、抗体のアッセイ性能は、抗体の絶対的親和性および特異性よりもより重要性の高い尺度であり得る。
【００８２】
アッセイの相関
バイオマーカーの使用に関連して本明細書で用いられる用語「相関する」は、患者におけるバイオマーカーの存在または量を、所与の状態に罹患していることが分かっている人、またはそのリスクがあることが分かっている人、または所与の状態がないと分かっている人におけるその存在または量に比較することを指す。これは多くの場合、バイオマーカー濃度としてアッセイ結果を、疾患の発生もしくは不発生、または幾つかの将来の転帰の尤度を示すように選択された所定の閾値と比較する形をとる。
【００８３】
診断閾値の選択は、とりわけ、疾患の確率、異なる試験閾値での陽性診断および陰性診断の分布、ならびに診断に基づいた処置の結果（または処置の失敗）の推定の考慮を伴う。例えば、非常に有効でリスクのレベルが低い特異的治療を実施することを考慮する場合、臨床医は、実質的な診断不確実性を受け入れることができるため、テストがほとんど必要とならない。その一方で、処置選択があまり効果的でなく、よりリスクのある状況では、臨床医は多くの場合、より高度の診断確実性を必要とする。したがって、コスト／利益分析は、診断閾値の選択に関与する。
【００８４】
適切な閾値は、種々の方法で決定され得る。例えば、心筋トロポニンを用いた急性心筋梗塞診断用の１つの推奨される診断閾値は、正常母集団で認められる濃度の９７．５パーセンタイル値である。別の方法は、同じ患者由来の連続した試料に着目することであり得、この場合、過去の「ベースライン」結果が、バイオマーカーレベルの時間的変化をモニタリングするために用いられる。
【００８５】
集団調査を利用して、判定閾値を選択することもできる。受信者動作特性（「ＲＯＣ」）は、第二次大戦中にレーダー画像解析用に開発されたシグナル検出理論の分野から起こり、ＲＯＣ解析は多くの場合、「疾患」亜集団を「非疾患」亜集団から最良に識別することが可能な閾値を選択するために使用される。この例では、人が陽性と検査されたが、実際には疾患を有さない場合に、偽陽性が発生する。その一方で、人が陰性と検査されて、健康であることが示唆されるが、実際には疾患を有する場合に、偽陰性が発生する。判定閾値は連続的に変化するため、ＲＯＣ曲線を描くために、真陽性率（ＴＰＲ）および偽陽性率（ＦＰＲ）が決定される。ＴＰＲは、感度と等しく、ＦＰＲは、１−特異度と等しいため、ＲＯＣグラフは、感度対（１−特異度）プロットと呼ばれることもある。完璧な試験は、ＲＯＣ曲線下面積が１．０となり；ランダム試験は、面積が０．５となることになる。閾値は、許容し得るレベルの特異度および感度を提供するように選択される。
【００８６】
本明細書の文脈において、「疾患」は、１つの特徴を有する母集団（疾患もしくは状態の存在、または幾つかの転帰の発生）を指すことを意味し、「非疾患」は、その特徴を欠く母集団を指すことを意味する。単一の判定閾値は、そのような方法の最も単純な適用であるが、複数の判定閾値も使用され得る。例えば、第一の閾値未満で、疾患の非存在を比較的高い信頼度で割り付けることができ、第二の閾値を超えると、同じく疾患の存在を比較的高い信頼度で割り付けることができる。２つの閾値の間は、不確定と見なされ得る。これは、本質的に例示を意味するに過ぎない。
【００８７】
閾値の比較に加えて、アッセイ結果を患者分類（疾患の発生または非発生、転帰の尤度など）に相関させる他の方法としては、決定木、ルールセット、ベイジアン法、およびニューラルネットワーク法が挙げられる。これらの方法は、対象が複数の分類のうちの１つの分類に属する度合いを表す確率値を生成することができる。
【００８８】
試験の正確度の尺度は、Ｆｉｓｃｈｅｒ  ｅｔ  ａｌ．，  Ｉｎｔｅｎｓｉｖｅ  Ｃａｒｅ  Ｍｅｄ．  ２９：  １０４３−５１，  ２００３に記載された通り得ることができ、所与のバイオマーカーの有効性を決定するために使用することができる。これらの尺度としては、感度および特異度、予測値、尤度比、診断オッズ比、ならびにＲＯＣ曲線下面積が挙げられる。ＲＯＣプロットの曲線下面積（「ＡＵＣ」）は、分類器が無作為に選択された陽性例を、無作為に選択された陰性例より高くランク付けする確率に等しい。ＲＯＣ曲線下面積は、２群が連続データのものであれば検討される、その２群で得られたスコア間の中央値の差について検定するマンホイットニーのＵ検定、またはウイルコクソンの順位検定に等しいと考えることができる。
【００８９】
先に議論された通り、適切な検定では、これらの様々な尺度に対して以下の結果の１つまたは複数を示すことができる：０．５を超える、好ましくは少なくとも０．６、より好ましくは少なくとも０．７、さらに好ましくは少なくとも０．８、より好ましくは少なくとも０．９、最も好ましくは少なくとも０．９５の特異度と、０．２を超える、好ましくは０．３を超える、より好ましくは０．４を超える、さらに好ましくは少なくとも０．５、より好ましくは０．６、より好ましくは０．７を超える、より好ましくは０．８を超える、より好ましくは０．９を超える、最も好ましくは０．９５を超える対応する感度；０．５を超える、好ましくは少なくとも０．６、より好ましくは少なくとも０．７、さらに好ましくは少なくとも０．８、より好ましくは少なくとも０．９、最も好ましくは少なくとも０．９５の感度と、０．２を超える、好ましくは０．３を超える、より好ましくは０．４を超える、より好ましくは少なくとも０．５、より好ましくは０．６、より好ましくは０．７を超える、より好ましくは０．８を超える、より好ましくは０．９を超える、最も好ましくは０．９５を超える対応する特異度；少なくとも７５％の特異性と組み合わされた少なくとも７５％の感度；０．５を超える、好ましくは少なくとも０．６、より好ましくは０．７、より好ましくは少なくとも０．８、より好ましくは少なくとも０．９、最も好ましくは少なくとも０．９５のＲＯＣ曲線下面積；１とは異なる、好ましくは少なくとも約２以上または約０．５以下、より好ましくは少なくとも約３以上または約０．３３以下、より好ましくは少なくとも約４以上または約０．２５以下、より好ましくは少なくとも約５以上または約０．２以下、最も好ましくは少なくとも約１０以上または約０．１以下のオッズ比；１を超える、少なくとも２、より好ましくは少なくとも３、より好ましくは少なくとも５、最も好ましくは少なくとも１０の陽性尤度比（感度／（１−特異度）として計算）；および／または１未満、０．５以下、より好ましくは０．３以下、最も好ましくは０．１以下の陰性尤度比（（１−感度）／特異度として計算）。
【００９０】
追加の臨床徴候を本発明の腎障害マーカーアッセイの結果と組み合わせることができる。これらは、腎臓状態に関連する他のバイオマーカーを包含する。例として、以下のものが挙げられる（一般的バイオマーカー名、続いてそのバイオマーカーまたはそのペアレントのＳｗｉｓｓ−Ｐｒｏｔエントリー番号を列挙する）：アクチン（Ｐ６８１３３）；アデノシンデアミナーゼ結合タンパク質（ＤＰＰ４、Ｐ２７４８７）；アルファ−１−酸糖タンパク質１（Ｐ０２７６３）；アルファ−１−ミクログロブリン（Ｐ０２７６０）；アルブミン（Ｐ０２７６８）；アンギオテンシノーゲナーゼ（Ａｎｇｉｏｔｅｎｓｉｎｏｇｅｎａｓｅ）（レニン、Ｐ００７９７）；アネキシンＡ２（Ｐ０７３５５）；ベータ−グルクロニダーゼ（Ｐ０８２３６）；Ｂ−２−ミクログロブリン（Ｐ６１６７９）；ベータ−ガラクトシダーゼ（Ｐ１６２７８）；ＢＭＰ−７（Ｐ１８０７５）；脳ナトリウム利尿ペプチド（ｐｒｏＢＮＰ、ＢＮＰ−３２、ＮＴｐｒｏＢＮＰ；Ｐ１６８６０）；カルシウム−結合タンパク質ベータ（Ｓ１００−ベータ、Ｐ０４２７１）；炭酸脱水酵素９（Ｑ１６７９０）；カゼインキナーゼ２（Ｐ６８４００）；クラスタリン（Ｐ１０９０９）；補体Ｃ３（Ｐ０１０２４）；システインリッチタンパク質（ＣＹＲ６１、Ｏ００６２２）；チトクロムＣ（Ｐ９９９９９）；上皮増殖因子（ＥＧＦ、Ｐ０１１３３）；エンドセリン−１（Ｐ０５３０５）；エキソソームフェチュイン−Ａ（Ｐ０２７６５）；脂肪酸結合タンパク質、心臓（ＦＡＢＰ３、Ｐ０５４１３）；脂肪酸結合タンパク質、肝臓（Ｐ０７１４８）；フェリチン（軽鎖、Ｐ０２７９３；重鎖Ｐ０２７９４）；フルクトース−１、６−ビホスファターゼ（Ｐ０９４６７）；ＧＲＯアルファ（ＣＸＣＬ１、（Ｐ０９３４１）；成長ホルモン（Ｐ０１２４１）；肝細胞増殖因子（Ｐ１４２１０）；インスリン様増殖因子Ｉ（Ｐ０５０１９）；免疫グロブリンＧ；免疫グロブリン軽鎖（カッパおよびラムダ）；インターフェロンガンマ（Ｐ０１３０８）；リゾチーム（Ｐ６１６２６）；インターロイキン−１アルファ（Ｐ０１５８３）；インターロイキン−２（Ｐ６０５６８）；インターロイキン−４（Ｐ０５１１２）；インターロイキン−９（Ｐ１５２４８）；インターロイキン−１２ｐ４０（Ｐ２９４６０）；インターロイキン−１３（Ｐ３５２２５）；インターロイキン−１６（Ｑ１４００５）；Ｌ１細胞接着分子（Ｐ３２００４）；乳酸脱水素酵素（Ｐ００３３８）；ロイシンアミノペプチダーゼ（Ｐ２８８３８）；メプリンＡ−アルファサブユニット（Ｑ１６８１９）；メプリンＡ−ベータサブユニット（Ｑ１６８２０）；ミッドカイン（Ｐ２１７４１）；ＭＩＰ２−アルファ（ＣＸＣＬ２、Ｐ１９８７５）；ＭＭＰ−２（Ｐ０８２５３）；ＭＭＰ−９（Ｐ１４７８０）；ネトリン−１（Ｏ９５６３１）；中性エンドペプチダーゼ（Ｐ０８４７３）；オステオポンチン（Ｏ１４７８８）；腎乳頭抗原１（ＲＰＡ１）；腎乳頭抗原２（ＲＰＡ２）；レチノール結合タンパク質（Ｐ０９４５５）；リボヌクレアーゼ；Ｓ１００カルシウム結合タンパク質Ａ６（Ｐ０６７０３）；血清アミロイドＰ成分（Ｐ０２７４３）；ナトリウム／水素交換輸送体アイソフォーム（ＮＨＥ３、Ｐ４８７６４）；スペルミジン／スペルミンＮ１−アセチルトランスフェラーゼ（Ｐ２１６７３）；ＴＧＦベータ１（Ｐ０１１３７）；トランスフェリン（Ｐ０２７８７）；トレフォイルファクター３（ＴＦＦ３、Ｑ０７６５４）；Ｔｏｌｌ様タンパク質４（Ｏ００２０６）；総タンパク質；尿細管間質性腎炎抗原（Ｑ９ＵＪＷ２）；ウロモジュリン（タム・ホースフォールタンパク質、Ｐ０７９１１）。
【００９１】
リスク層別化の目的で、アディポネクチン（Ｑ１５８４８）；アルカリフォスファターゼ（Ｐ０５１８６）；アミノペプチダーゼＮ（Ｐ１５１４４）；カルビンジンＤ２８ｋ（Ｐ０５９３７）；シスタチンＣ（Ｐ０１０３４）；Ｆ１ＦＯ  ＡＴＰアーゼの８サブユニット（Ｐ０３９２８）；ガンマ−グルタミルトランスフェラーゼ（Ｐ１９４４０）；ＧＳＴａ（アルファ−グルタチオン−Ｓ−トランスフェラーゼ、Ｐ０８２６３）；ＧＳＴｐｉ（グルタチオン−Ｓ−トランスフェラーゼＰ；ＧＳＴクラス−ｐｉ；Ｐ０９２１１）；ＩＧＦＢＰ−１（Ｐ０８８３３）；ＩＧＦＢＰ−２（Ｐ１８０６５）；ＩＧＦＢＰ−６（Ｐ２４５９２）；内在性膜タンパク質１（Ｉｔｍ１、Ｐ４６９７７）；インターロイキン−６（Ｐ０５２３１）；インターロイキン−８（Ｐ１０１４５）；インターロイキン−１８（Ｑ１４１１６）；ＩＰ−１０（１０ｋＤａインターフェロン−ガンマ誘導タンパク質、Ｐ０２７７８）；ＩＲＰＲ（ＩＦＲＤ１、Ｏ００４５８）；イソバレリル−ＣｏＡ脱水素酵素（ＩＶＤ、Ｐ２６４４０）；Ｉ−ＴＡＣ／ＣＸＣＬ１１（Ｏ１４６２５）；ケラチン１９（Ｐ０８７２７）；Ｋｉｍ−１（Ａ型肝炎ウイルス細胞受容体１、Ｏ４３６５６）；Ｌ−アルギニン：グリシンアミジノトランスフェラーゼ（Ｐ５０４４０）；レプチン（Ｐ４１１５９）；リポカリン２（ＮＧＡＬ、Ｐ８０１８８）；ＭＣＰ−１（Ｐ１３５００）；ＭＩＧ（ガンマインターフェロン誘導モノカインＱ０７３２５）；ＭＩＰ−１ａ（Ｐ１０１４７）；ＭＩＰ−３ａ（Ｐ７８５５６）；ＭＩＰ−１ベータ（Ｐ１３２３６）；ＭＩＰ−１ｄ（Ｑ１６６６３）；ＮＡＧ（Ｎ−アセチル−ベータＤ−グルコサミニダーゼ、Ｐ５４８０２）；有機イオン輸送体（ＯＣＴ２、Ｏ１５２４４）；オステオプロテゲリン（Ｏ１４７８８）；Ｐ８タンパク質（Ｏ６０３５６）；プラスミノーゲンアクチベーターインヒビター１（ＰＡＩ−１、Ｐ０５１２１）；ＰｒｏＡＮＰ（１−９８）（Ｐ０１１６０）；タンパク質ホスファターゼ１ベータ（ＰＰＩ−ベータ、Ｐ６２１４０）；ＲａｂＧＤＩベータ（Ｐ５０３９５）；腎カリクレイン（Ｐ０６８７０）；内在性膜タンパク質のＲＴ１．Ｂ−１（アルファ）鎖（Ｑ５Ｙ７Ａ８）；可溶性腫瘍壊死因子受容体スーパーファミリーメンバー１Ａ（ｓＴＮＦＲ−Ｉ、Ｐ１９４３８）；可溶性腫瘍壊死因子受容体スーパーファミリーメンバー１Ｂ（ｓＴＮＦＲ−ＩＩ、Ｐ２０３３３）；メタロプロテアーゼ３の組織阻害剤（ＴＩＭＰ−３、Ｐ３５６２５）；ｕＰＡＲ（Ｑ０３４０５）を、本発明の腎障害マーカーアッセイの結果と組み合わせることができる。
【００９２】
本発明の腎障害マーカーアッセイの結果と組み合わせることができる他の臨床徴候としては、人口統計情報（例えば、体重、性別、年齢、人種）、病歴（例えば、家族歴、手術のタイプ、先在の疾患、例えば、動脈瘤、うっ血性心不全、子癇前症、子癇、糖尿病、高血圧、冠動脈疾患、タンパク尿、腎不全、または敗血症、毒素暴露のタイプ、例えば、ＮＳＡＩＤ、シクロスポリン、タクロリムス、アミノグリコシド、ホスカルネット、エチレングリコール、ヘモグロビン、ミオグロビン、イホスファミド、重金属、メトトレキサート、放射線不透過性造影剤、またはストレプトゾトシン）、臨床的変数（例えば、血圧、温度、呼吸数）、リスクスコア（ＡＰＡＣＨＥスコア、ＰＲＥＤＩＣＴスコア、ＵＡ／ＮＳＴＥＭＩ用ＴＩＭＩリスクスコア、フラミンガムリスクスコア）、尿総タンパク質量測定値、糸球体濾過速度、推定糸球体濾過速度、尿産生速度、血清または血漿クレアチニン濃度、腎乳頭抗原１（ＲＰＡ１）測定値；腎乳頭抗原２（ＲＰＡ２）測定値；尿クレアチニン濃度、ナトリウム排泄率、尿ナトリウム濃度、尿クレアチニン対血清または血漿クレアチニン比率、尿比重、尿浸透圧、尿中尿素窒素対血漿尿素窒素の比率、血漿ＢＵＮ対クレアチニン比率、および／または尿ナトリウム／（尿クレアチニン／血漿クレアチニンとして計算された腎機能不全指数）が挙げられる。腎障害マーカーアッセイの結果と組み合わせられ得る他の腎機能測定値は、本明細書の以降に、そしてＨａｒｒｉｓｏｎ’ｓ  Ｐｒｉｎｃｉｐｌｅｓ  ｏｆ  Ｉｎｔｅｒｎａｌ  Ｍｅｄｉｃｉｎｅ，  １７ｔｈ  Ｅｄ．，  ＭｃＧｒａｗ  Ｈｉｌｌ，  Ｎｅｗ  Ｙｏｒｋ，  ｐ１７４１−１８３０、およびＣｕｒｒｅｎｔ  Ｍｅｄｉｃａｌ  Ｄｉａｇｎｏｓｉｓ  ＆  Ｔｒｅａｔｍｅｎｔ  ２００８，  ４７ｔｈ  Ｅｄ，  ＭｃＧｒａｗ  Ｈｉｌｌ，  Ｎｅｗ  Ｙｏｒｋ，ｐ７８５−８１５に記載されており、これらの参考資料のそれぞれは、全体として参照により本明細書に組み入れられる。
【００９３】
この手法でのアッセイ結果／臨床徴候の組み合わせアッセイには、多変量ロジスティック回帰分析、対数線形モデル、ニューラルネットワーク解析、ｎ−ｏｆ−ｍ分析、決定木解析などの使用が含まれ得る。このリストは、限定を意味するものではない。
【００９４】
急性腎不全の診断
上述の通り、本明細書で用いられる用語「急性腎（ｒｅｎａｌ）（または腎臓（ｋｉｄｎｅｙ））障害」および「急性の腎（または腎臓）不全」は、血清クレアチニンのベースライン値からの変化によってある程度、定義される。ＡＲＦのほとんどの定義は、血清クレアチニン、そして多くの場合、尿量などの一般的要素を有する。この比較に用いられる入手可能な腎機能のベースライン測定値を含まずに、腎機能障害を呈する患者が存在する場合がある。そのような事象では、患者が最初、正常なＧＦＲを有したと仮定することで、ベースライン血清クレアチニン値を推定することができる。糸球体濾過速度（ＧＦＲ）は、単位時間あたりの腎（腎臓）糸球体毛細管からボーマン嚢へ濾過される体液の容量である。糸球体濾過速度（ＧＦＲ）は、血中レベルが一定であり、自由に濾過されるが、腎臓により再吸収も分泌もされない任意の化学物質の測定により計算され得る。ＧＦＲは典型的には、ｍｌ／分の単位で表される：
【数１】
0006792553.tif 000007
【００９５】
ＧＦＲを体表面積に正規化することによって、１．７３ｍ２あたりおよそ７５〜１００ｍｌ／分のＧＦＲが想定され得る。それゆえ測定された割合は、計算可能な血液容量に基づく尿中物質の量である。
【００９６】
糸球体濾過速度（ＧＦＲまたはｅＧＦＲ）を計算または推定するのに使用される、幾つかの異なる技術が存在する。しかし、臨床現場では、クレアチニンクリアランスが、ＧＦＲを測定するのに用いられる。クレアチニンは、身体で自然に産生される（クレアチニンは、筋肉中に見出されるクレアチンの代謝産物である）。それは糸球体によって自由に濾過されるが、腎尿細管によっても極少量、能動的に分泌されるため、クレアチニンクリアランスは、実際のＧＦＲより１０〜２０％過大評価している。この誤差範囲は、クレアチニンクリアランスの測定の容易さを考慮すれば、許容され得る。
【００９７】
クレアチニンの尿中濃度（ＵＣｒ）、尿流速（Ｖ）、およびクレアチニンの血漿中濃度（ＰＣｒ）の値が既知であれば、クレアチニンクリアランス（ＣＣｒ）は計算され得る。尿中濃度と尿流速の積は、クレアチニンの排出速度になるため、クレアチニンクリアランスは、排出速度（ＵＣｒ×Ｖ）を血漿中濃度で除算されたものとも言える。これは一般的には、数学的に
【数２】
0006792553.tif 000008
として表される。
【００９８】
一般に、ある朝の空の膀胱から翌朝の膀胱の内容物まで２４時間尿採取が行われ、その後、比較血液試験が行われる：
【数３】
0006792553.tif 000009
【００９９】
体格の異なる人の間で結果の比較を可能にするために、ＣＣｒは多くの場合、体表面積（ＢＳＡ）で補正して、平均サイズの人に比較してｍｌ／分／１．７３ｍ２として表される。ほとんどの成人は、１．７（１．６〜１．９）に近似するＢＳＡを有するが、極端に肥満または痩身の患者は、ＣＣｒを実際のＢＳＡで補正しなければならない：
【数４】
0006792553.tif 000010
【０１００】
糸球体濾過速度（ＧＦＲ）が低下するにつれてクレアチニン分泌が増加し、つまり血清クレアチニンの上昇が小さくなるため、クレアチニンクリアランス測定の正確さは、（採取が完璧であっても）、限定される。したがってクレアチニン排出は、濾過量よりもかなり多く、潜在的に大きなＧＦＲ過大評価を生ずる（２倍もの差）。しかし、臨床目的では、腎機能が安定しているか、または増悪もしくは改善しているかを判定することが重要である。これは多くの場合、血清クレアチニンのみのモニタリングによって決定される。クレアチニンクリアランスと同様に、血清クレアチニンは、ＡＲＦの非定常状態の条件下では、ＧＦＲの正確な反映ではなかろう。それにもかかわらず、血清クレアチニンがベースラインから変化する度合いは、ＧＦＲの変化を反映することになる。血清クレアチニンは、即座に、かつ容易に測定され、腎機能に特異的である。
【０１０１】
ｍＬ／ｋｇ／時の基準で尿量を測定する目的では、１時間あたりの尿採取および測定が適切である。例えば、累積２４時間生成量のみが入手可能で、患者の体重が提供されない場合、ＲＩＦＬＥ尿量基準をわずかに修正することが記載されている。例えば、Ｂａｇｓｈａｗ  ｅｔ  ａｌ．，  Ｎｅｐｈｒｏｌ．  Ｄｉａｌ．  Ｔｒａｎｓｐｌａｎｔ．  ２３：  １２０３−１２１０，  ２００８では、平均患者体重７０ｋｇが仮定され、下記に基づいて患者がＲＩＦＬＥ分類に割り付けられている：＜３５ｍＬ／時（リスク）、＜２１ｍＬ／時（障害）または＜４ｍＬ／時（不全）。
【０１０２】
処置レジメンの選択
診断が得られれば、臨床医は、診断との適合性がある処置レジメン、例えば腎置換療法の開始、腎臓を損傷することが知られている化合物の送達中止、腎移植、腎臓を損傷することが知られている処置の延期または回避、利尿薬投与の修正、目標指向型治療の開始などを即座に選択することができる。当業者は、本明細書に記載された診断方法に関連して議論された数多くの疾患の適切な処置を認知している。例えば、Ｍｅｒｃｋ  Ｍａｎｕａｌ  ｏｆ  Ｄｉａｇｎｏｓｉｓ  ａｎｄ  Ｔｈｅｒａｐｙ，  １７ｔｈ  Ｅｄ．  Ｍｅｒｃｋ  Ｒｅｓｅａｒｃｈ  Ｌａｂｏｒａｔｏｒｉｅｓ，  Ｗｈｉｔｅｈｏｕｓｅ  Ｓｔａｔｉｏｎ，  ＮＪ，  １９９９を参照されたい。加えて、本明細書に記載された方法および組成物は、予後情報を提供するため、本発明のマーカーは、処置の過程をモニターするのに用いることができる。例えば、改善または増悪された予後状態は、特定の処置が有効である、または有効でないことを示し得る。
【０１０３】
本発明が目的を実行し、言及された目的および利点、ならびにその中の固有のものを得るために良好に適応されていることを、当業者は即座に理解する。本明細書で提供された例は、好ましい実施形態の代表であり、例示であって、本発明の範囲の限定を意図するものではない。
【０１０４】
実施例１：造影剤腎症の試料採取
この試料採取試験の目的は、血管内造影媒体を投与される前および後の患者から血漿および尿試料ならびに臨床データを回収することである。ヨウ素を標識された造影媒体の血管内投与を伴う放射線検査／血管造影術を受けている成人およそ２５０名が、登録される。この試験に登録するためには、各患者は、以下の組み入れ基準の全てに適合しなければならず、そして以下の除外基準のいずれにも適合してはならない：
組み入れ基準
１８才以上の男女；
造影媒体の血管内投与を伴う放射線検査／血管造影術（例えば、ＣＴスキャンまたは冠動脈インターベンション）を受けている；
造影剤投与後少なくとも４８時間は入院していると予期される；
試験参加に関するインフォームドコンセントに記載し、全ての試験手順に従うことができ、その意思がある。
除外基準
腎性移植レシピエント；
造影剤処置の前に腎機能が急性増悪した；
登録時点で既に透析を受けている（急性または慢性）または透析の必要性が差し迫っている；
造影剤投与後４８時間以内に、大手術（例えば、心肺バイパスを伴う）またはさらなる腎臓損傷の大きなリスクを伴う造影剤を用いた追加の造影処置を受けると予測される；
過去３０日以内に実験的治療を伴った介入性臨床試験に参加した；
ヒト免疫不全ウイルス（ＨＩＶ）または肝炎ウイルスへの感染が分かっている。
【０１０５】
最初の造影剤投与の直前（および任意の処理前水分補給後）に、ＥＤＴＡ抗凝固処理された血液試料（１０ｍＬ）および尿試料（１０ｍＬ）を、各患者から採取する。その後、血液および尿試料を、インデックスコントラスト（ｉｎｄｅｘ  ｃｏｎｔｒａｓｔ）手順の際の造影媒体の最終投与後４（±０．５）、８（±１）、２４（±２）、４８（±２）、および７２（±２）時間目に採取する。直接静脈穿刺または他の利用可能な静脈へのアクセス手段、例えば、既存の大腿鞘、中心静脈ライン、末梢静脈ラインまたはヘパロックを通して血液を採取する。これらの試験血液試料は、臨床現場で血漿に処理され、凍結されて、カリフォルニア州サンディエゴ所在のＡｓｔｕｔｅ  Ｍｅｄｉｃａｌ，Ｉｎｃ．に運搬される。試験尿試料は、凍結され、Ａｓｔｕｔｅ  Ｍｅｄｉｃａｌ，Ｉｎｃ．に運搬される。
【０１０６】
最初の造影剤投与直前（および任意の処理前水分補給後）ならびに造影剤の最終投与後４（±０．５）、８（±１）、２４（±２）、４８（±２））、および７２（±２）時間目に（理想的には、試験試料が得られると同時に）、血清クレアチニンをその現場で評定する。加えて、さらなる血清および尿クレアチニン測定値、透析の必要性、入院状態、ならびに有害臨床転帰（死亡を含む）に関して、各患者の状態を３０日目まで評価する。
【０１０７】
造影剤投与の前に、各患者は、下記の評定に基づいてリスクを割り付けられる：収縮期血圧＜８０ｍｍＨｇ＝５ポイント；動脈内バルーンポンプ＝５ポイント；うっ血性心不全（クラスＩＩＩ〜ＩＶまたは肺水腫の病歴）＝５ポイント；年齢＞７５才＝４ポイント；ヘマトクリット値＜３９％（男性）、＜３５％（女性）＝３ポイント；糖尿病＝３ポイント；造影媒体容量＝１００ｍＬ毎に１ポイント；血清クレアチニンレベル＞１．５ｇ／ｄＬ＝４ポイントまたは推定ＧＦＲ４０〜６０ｍＬ／分／１．７３ｍ２＝２ポイント、２０〜４０ｍＬ／分／１．７３ｍ２＝４ポイント、＜２０ｍＬ／分／１．７３ｍ２＝６ポイント。割り付けられたリスクは、以下の通りである：ＣＩＮおよび透析に関するリスク：５以下の合計ポイント＝ＣＩＮリスク−７．５％、透析リスク−０．０４％；６〜１０合計ポイント＝ＣＩＮリスク−１４％、透析リスク−０．１２％；１１〜１６合計ポイント＝ＣＩＮリスク−２６．１％、透析リスク−１．０９％；＞１６合計ポイント＝ＣＩＮリスク−５７．３％、透析リスク−１２．８％。
【０１０８】
実施例２：心臓手術の試料採取
この試料採取試験の目的は、潜在的に腎臓機能を損傷することが知られている処置である心臓血管の手術を受ける前および後の患者から血漿および尿の試料ならびに臨床データを採取することである。そのような手術を受けている成人およそ９００名が、登録される。この試験に登録されるためには、各患者は、以下の組み入れ基準の全てに適合しなければならず、そして以下の除外基準のいずれにも適合してはならない：
選択基準
１８才以上の男女；
心臓血管手術を受けている；
少なくとも２の腎性置換リスクスコアに関するＴｏｒｏｎｔｏ／Ｏｔｔａｗａ  Ｐｒｅｄｉｃｔｉｖｅ  Ｒｉｓｋ  Ｉｎｄｅｘ（Ｗｉｊｅｙｓｕｎｄｅｒａ  ｅｔ  ａｌ．，  ＪＡＭＡ  ２９７：  １８０１−９，  ２００７）；および
試験参加に関するインフォームドコンセントに記載し、全ての試験手順に従うことができ、その意思がある。
除外基準
妊娠が分かっている；
過去の腎性移植；
登録前に腎機能が急性増悪した（例えば、ＲＩＦＬＥ基準の任意のカテゴリー）；
登録時点で既に透析を受けている（急性または慢性）または透析の必要性が差し迫っている；
別の臨床試験に現在登録している、またはＡＫＩのための薬物輸液もしくは治療的介入を含む心臓手術の７日以内に別の臨床試験に登録すると予測される；
ヒト免疫不全ウイルス（ＨＩＶ）または肝炎ウイルスへの感染が分かっている。
【０１０９】
最初の切開前の３時間以内（および任意の処理前水分補給後）に、ＥＤＴＡ抗凝固処理された血液試料（１０ｍＬ）、全血（３ｍＬ）、および尿試料（３５ｍＬ）を各患者から採取する。その後、処置後３（±０．５）、６（±０．５）、１２（±１）、２４（±２）および４８（±２）時間目に、そして対象が依然として入院している場合にはその後、３〜７日目に毎日、血液および尿試料を採取する。直接静脈穿刺または他の利用可能な静脈へのアクセス手段、例えば、既存の大腿鞘、中心静脈ライン、末梢静脈ラインまたはヘパロックを通して血液を採取する。これらの試験血液試料は、凍結され、カリフォルニア州サンディエゴ所在のＡｓｔｕｔｅ  Ｍｅｄｉｃａｌ，Ｉｎｃ．に運搬される。試験尿試料は、凍結され、Ａｓｔｕｔｅ  Ｍｅｄｉｃａｌ，Ｉｎｃ．に運搬される。
【０１１０】
実施例３：急性疾病対象の試料採取
この試験の目的は、急性疾病患者から試料を採取することである。少なくとも４８時間の間ＩＣＵにいることが予測される成人およそ９００名が、登録されることになる。この試験に登録するためには、各患者は、以下の組み入れ基準の全てに適合しなければならず、そして以下の除外基準のいずれにも適合してはならない：
組み入れ基準
１８才以上の男女；
試験母集団１：ショック（ＳＢＰ＜９０ｍｍＨｇおよび／またはＭＡＰ＞６０ｍｍＨｇを維持するために昇圧剤の支援が必要および／または少なくとも４０ｍｍＨｇのＳＢＰ低下が実証されていること）および敗血症のうちの少なくとも１つを有する患者およそ３００名；
試験母集団２：登録の２４時間以内に医師向けのコンピューターによるオーダーエントリー（ＣＰＯＥ）で指示された抗生物質の静脈内投与；登録の２４時間以内の造影媒体暴露；急性非代償性心不全に伴う腹圧上昇；および重篤な外傷を主な理由とし、登録後４８時間の間、ＩＣＵ（集中治療室）入院の可能性がある、のうちの少なくとも１つを有する患者およそ３００名；
試験母集団３：急性腎障害の既知の危険因子（例えば、敗血症、低血圧／ショック（ショック＝収縮期ＢＰ＜９０ｍｍＨｇおよび／またはＭＡＰ＞６０ｍｍＨｇを維持するために昇圧剤の支援が必要および／または４０ｍｍＨｇを超えるＳＢＰ低下が実証されている）、重度外傷、出血、または大手術）を伴う急性医療環境（ＩＣＵまたはＥＤ）経由での入院が予測される；および／または登録後少なくとも２４時間の間ＩＣＵに入院すると予測される、患者およそ３００名。
除外基準
妊娠が分かっている；
施設に収容された人；
過去の腎移植；
登録の前に腎機能が急性増悪したことが分かっている（例えば、ＲＩＦＬＥ基準の任意のカテゴリー）；
登録前５日以内に透析を受けた（急性または慢性）または登録時に透析の必要性が差し迫っている；
ヒト免疫不全ウイルス（ＨＩＶ）または肝炎ウイルスへの感染が分かっている；
上記のＳＢＰ＜９０ｍｍＨｇ組み入れ基準のみを満たし、主治医または試験責任医師の見解ではショックを有さない。
【０１１１】
インフォームドコンセントを提出した後、ＥＤＴＡ抗凝固処理された血液試料（１０ｍＬ）および尿試料（２５〜３０ｍＬ）を各患者から採取する。その後、造影剤投与後（適用可能な場合）４（±０．５）および８（±１）時間目；登録後１２（±１）、２４（±２）、および４８（±２）時間目、ならびにその後毎日７〜１４日目まで対象が入院している間、血液と尿試料を採取する。直接静脈穿刺または他の利用可能な静脈へのアクセス手段、例えば、既存の大腿鞘、中心静脈ライン、末梢静脈ラインまたはヘパロックを通して血液を採取する。これらの試験血液試料は、臨床現場で血漿に処理され、凍結されて、カリフォルニア州サンディエゴ所在のＡｓｔｕｔｅ  Ｍｅｄｉｃａｌ，Ｉｎｃ．に運搬される。試験尿試料は、凍結され、Ａｓｔｕｔｅ  Ｍｅｄｉｃａｌ，Ｉｎｃ．に運搬される。
【０１１２】
実施例４．イムノアッセイ形式
被分析物は、標準的サンドイッチ酵素免疫測定技術を利用して測定される。被分析物に結合する第一の抗体は、９６ウェルポリスチレンマイクロプレートのウェルに固定される。被分析物標準および試験試料を、適切なウェルにピペット注入し、存在するいずれの被分析物も固定された抗体と結合させる。あらゆる非結合物質を洗い流した後、被分析物に結合した、西洋ワサビペルオキシダーゼとコンジュゲートされた第二の抗体をウェルに添加し、それにより被分析物（存在するなら）と第一の抗体と共にサンドイッチ複合体を形成させる。洗浄していずれの非結合抗体−酵素試薬も除去した後、テトラメチルベンジジンおよび過酸化水素を含む基質溶液をウェルに添加する。試料中に存在する被分析物の量に比例して、発色が起こる。発色を停止させ、色の強度を５４０ｎｍまたは５７０ｎｍで測定する。被分析物標準から決定された検量線との比較により、被分析物濃度を試験試料に割り付ける。本明細書で報告されたＣ−Ｃモチーフケモカイン１６の単位は、ｎｇ／ｍＬである。本明細書で報告されたＣ−Ｃモチーフケモカイン１４の単位は、ｎｇ／ｍＬである。本明細書で報告されたチロシンプロテインキナーゼ受容体ＵＦＯの単位は、ｎｇ／ｍＬである。
【０１１３】
実施例５．見かけ上健常なドナーおよび慢性疾患患者の試料
既知の慢性または急性疾患を有さないドナー（「見かけ上健常なドナー」）由来のヒト尿試料を、２つのベンダー（Ｇｏｌｄｅｎ  Ｗｅｓｔ  Ｂｉｏｌｏｇｉｃａｌｓ，  Ｉｎｃ．，  ２７６２５  Ｃｏｍｍｅｒｃｅ  Ｃｅｎｔｅｒ  Ｄｒ．，  Ｔｅｍｅｃｕｌａ，  ＣＡ  ９２５９０、およびＶｉｒｇｉｎｉａ  Ｍｅｄｉｃａｌ  Ｒｅｓｅａｒｃｈ，  Ｉｎｃ．，  ９１５  Ｆｉｒｓｔ  Ｃｏｌｏｎｉａｌ  Ｒｄ．，  Ｖｉｒｇｉｎｉａ  Ｂｅａｃｈ，  ＶＡ  ２３４５４）から購入した。尿試料を運搬し、−２０℃未満で凍結貯蔵した。ベンダーから、性別、人種（黒人／白人）、喫煙状態および年齢などの個々のドナーの人口統計情報が提供された。
【０１１４】
うっ血性心不全、冠動脈疾患、慢性腎疾患、慢性閉塞性肺疾患、糖尿病および高血圧をはじめとする様々な慢性疾患を有するドナー（「慢性疾患患者」）由来のヒト尿試料を、Ｖｉｒｇｉｎｉａ  Ｍｅｄｉｃａｌ  Ｒｅｓｅａｒｃｈ，  Ｉｎｃ．，  ９１５  Ｆｉｒｓｔ  Ｃｏｌｏｎｉａｌ  Ｒｄ．，  Ｖｉｒｇｉｎｉａ  Ｂｅａｃｈ，  ＶＡ  ２３４５４から購入した。尿試料を運搬し、−２０℃未満で凍結貯蔵した。ベンダーから、年齢、性別、人種（黒人／白人）、喫煙状況およびアルコール使用、身長、体重、慢性疾患（複数可）診断、現在の使用薬剤、および過去の手術などを含む個々のドナーについて症例報告の形態で提供された。
【０１１５】
実施例６．ＩＣＵに入院した患者における腎臓状態を評価するためのＣ−Ｃモチーフケモカイン１４の使用：ＲＩＦＬＥ  ＩおよびＦからのＲＩＦＬＥ  ０までの回復
集中治療室（ＩＣＵ）の患者を、以下の試験に登録する。ＥＤＴＡ抗凝固処理された血液試料（１０ｍＬ）および尿試料（２５〜３０ｍＬ）を登録時、造影剤投与後（適用可能な場合）４（±０．５）および８（±１）時間目；登録後１２（±１）、２４（±２）、および４８（±２）時間目、ならびにその後毎日７〜１４日目まで対象が入院している間、各患者から採取する。Ｃ−Ｃモチーフケモカイン１４を、採取された最も初期の試料で測定し、患者は市販のアッセイ試薬を使用した標準のイムノアッセイ法によってＲＩＦＬＥ  ＩまたはＦとなった。
【０１１６】
腎臓状態を、試料採取後１２、２４、４８もしくは７２時間目に始まる一定期間に、または試料採取後７日以内の任意の時点で、血清クレアチニン、尿量、または血清クレアチニンと尿量の両方に基づきＲＩＦＬＥ基準により評定する。２つのコホートを、「回復」および「非回復」母集団を表すと定義する。「回復」は、２４、４８または７２時間の期間に最大ＲＩＦＬＥステージが非損傷（ＲＩＦＬＥ  ０）である患者を示す。「非回復」は、２４、４８または７２時間の期間に最大ＲＩＦＬＥステージが損傷のリスク（Ｒ）、損傷（Ｉ）または不全（Ｆ）である患者を示す。患者が、登録９日以内に死亡しているか、または腎置換療法（ＲＲＴ）を受けている場合、患者は「非回復」と見なされる。
【０１１７】
「回復」コホートと「非回復」コホートを区別する能力は、受信者動作特性（ＲＯＣ）解析を利用して決定される。
【０１１８】
表６．１：回復が試料採取後１２時間目に開始し、腎臓状態が血清クレアチニン（ｓＣｒ）のみ、尿量（ＵＯ）のみ、または血清クレアチニンもしくは尿量のＲＩＦＬＥ基準によって評定される、「回復」および「非回復」コホートの尿試料中のマーカーレベルおよびＲＯＣ曲線下面積（ＡＵＣ）の比較
【表２】
0006792553.tif 000011
【表３】
0006792553.tif 000012
【表４】
0006792553.tif 000013
【表５】
0006792553.tif 000014
0006792553.tif 000015
【０１１９】
表６．２：回復が試料採取後２４時間目に開始し、腎臓状態が血清クレアチニン（ｓＣｒ）のみ、尿量（ＵＯ）のみ、または血清クレアチニンもしくは尿量のＲＩＦＬＥ基準によって評定される、「回復」および「非回復」コホートの尿試料中のマーカーレベルおよびＲＯＣ曲線下面積（ＡＵＣ）の比較
【表６】
0006792553.tif 000016
【表７】
0006792553.tif 000017
【表８】
0006792553.tif 000018
【表９】
0006792553.tif 000019
0006792553.tif 000020
【０１２０】
表６．３：回復が試料採取後４８時間目に開始し、腎臓状態が血清クレアチニン（ｓＣｒ）のみ、尿量（ＵＯ）のみ、または血清クレアチニンもしくは尿量のＲＩＦＬＥ基準によって評定される、「回復」および「非回復」コホートの尿試料中のマーカーレベルおよびＲＯＣ曲線下面積（ＡＵＣ）の比較
【表１０】
0006792553.tif 000021
【表１１】
0006792553.tif 000022
【表１２】
0006792553.tif 000023
0006792553.tif 000024
【表１３】
0006792553.tif 000025
0006792553.tif 000026
【０１２１】
表６．４：回復が試料採取後７２時間目に開始し、腎臓状態が血清クレアチニン（ｓＣｒ）のみ、尿量（ＵＯ）のみ、または血清クレアチニンもしくは尿量のＲＩＦＬＥ基準によって評定される、「回復」および「非回復」コホートの尿試料中のマーカーレベルおよびＲＯＣ曲線下面積（ＡＵＣ）の比較
【表１４】
0006792553.tif 000027
【表１５】
0006792553.tif 000028
【表１６】
0006792553.tif 000029
【表１７】
0006792553.tif 000030
0006792553.tif 000031
【０１２２】
表６．５：回復が試料採取後７日以内に開始し、腎臓状態が血清クレアチニン（ｓＣｒ）のみ、尿量（ＵＯ）のみ、または血清クレアチニンもしくは尿量のＲＩＦＬＥ基準によって評定される、「回復」および「非回復」コホートの尿試料中のマーカーレベルおよびＲＯＣ曲線下面積（ＡＵＣ）の比較
【表１８】
0006792553.tif 000032
0006792553.tif 000033
【表１９】
0006792553.tif 000034
【表２０】
0006792553.tif 000035
【表２１】
0006792553.tif 000036
0006792553.tif 000037
【０１２３】
表６．６：回復が試料採取後１２時間目に開始し、腎臓状態が血清クレアチニン（ｓＣｒ）のみ、尿量（ＵＯ）のみ、または血清クレアチニンもしくは尿量のＲＩＦＬＥ基準によって評定される、「回復」および「非回復」コホートのＥＤＴＡ試料中のマーカーレベルおよびＲＯＣ曲線下面積（ＡＵＣ）の比較
【表２２】
0006792553.tif 000038
【表２３】
0006792553.tif 000039
0006792553.tif 000040
【表２４】
0006792553.tif 000041
【表２５】
0006792553.tif 000042
0006792553.tif 000043
【０１２４】
表６．７：回復が試料採取後２４時間目に開始し、腎臓状態が血清クレアチニン（ｓＣｒ）のみ、尿量（ＵＯ）のみ、または血清クレアチニンもしくは尿量のＲＩＦＬＥ基準によって評定される、「回復」および「非回復」コホートのＥＤＴＡ試料中のマーカーレベルおよびＲＯＣ曲線下面積（ＡＵＣ）の比較
【表２６】
0006792553.tif 000044
【表２７】
0006792553.tif 000045
【表２８】
0006792553.tif 000046
0006792553.tif 000047
【表２９】
0006792553.tif 000048
【０１２５】
表６．８：回復が試料採取後４８時間目に開始し、腎臓状態が血清クレアチニン（ｓＣｒ）のみ、尿量（ＵＯ）のみ、または血清クレアチニンもしくは尿量のＲＩＦＬＥ基準によって評定される、「回復」および「非回復」コホートのＥＤＴＡ試料中のマーカーレベルおよびＲＯＣ曲線下面積（ＡＵＣ）の比較
【表３０】
0006792553.tif 000049
0006792553.tif 000050
【表３１】
0006792553.tif 000051
【表３２】
0006792553.tif 000052
【表３３】
0006792553.tif 000053
0006792553.tif 000054
【０１２６】
表６．９：回復が試料採取後７２時間目に開始し、腎臓状態が血清クレアチニン（ｓＣｒ）のみ、尿量（ＵＯ）のみ、または血清クレアチニンもしくは尿量のＲＩＦＬＥ基準によって評定される、「回復」および「非回復」コホートのＥＤＴＡ試料中のマーカーレベルおよびＲＯＣ曲線下面積（ＡＵＣ）の比較
【表３４】
0006792553.tif 000055
【表３５】
0006792553.tif 000056
0006792553.tif 000057
【表３６】
0006792553.tif 000058
【表３７】
0006792553.tif 000059
0006792553.tif 000060
【０１２７】
表６．１０：回復が試料採取後７日以内に開始し、腎臓状態が血清クレアチニン（ｓＣｒ）のみ、尿量（ＵＯ）のみ、または血清クレアチニンもしくは尿量のＲＩＦＬＥ基準によって評定される、「回復」および「非回復」コホートのＥＤＴＡ試料中のマーカーレベルおよびＲＯＣ曲線下面積（ＡＵＣ）の比較
【表３８】
0006792553.tif 000061
【表３９】
0006792553.tif 000062
【表４０】
0006792553.tif 000063
0006792553.tif 000064
【表４１】
0006792553.tif 000065
0006792553.tif 000066
【０１２８】
実施例７．ＩＣＵに入院した患者における腎臓状態を評価するためのＣ−Ｃモチーフケモカイン１４の使用：ＲＩＦＬＥ  ＩおよびＦからのＲＩＦＬＥ  ０およびＲまでの回復
集中治療室（ＩＣＵ）の患者を、以下の試験に登録する。ＥＤＴＡ抗凝固処理された血液試料（１０ｍＬ）および尿試料（２５〜３０ｍＬ）を登録時、造影剤投与後（適用可能な場合）４（±０．５）および８（±１）時間目；登録後１２（±１）、２４（±２）、および４８（±２）時間目、ならびにその後毎日７〜１４日目まで対象が入院している間、各患者から採取する。Ｃ−Ｃモチーフケモカイン１４を、採取された最も初期の試料で測定し、患者は市販のアッセイ試薬を使用した標準のイムノアッセイ法によってＲＩＦＬＥ  ＩまたはＦとなった。
【０１２９】
腎臓状態を、試料採取後１２、２４、４８もしくは７２時間目に始まる一定期間に、または試料採取後７日以内の任意の時点で、血清クレアチニン、尿量、または血清クレアチニンと尿量の両方に基づきＲＩＦＬＥ基準により評定する。２つのコホートを、「回復」および「非回復」母集団を表すと定義する。「回復」は、２４、４８または７２時間の期間に最大ＲＩＦＬＥステージが非損傷（ＲＩＦＬＥ  ０）または損傷のリスク（Ｒ）である患者を示す。「非回復」は、２４、４８または７２時間の期間に最大ＲＩＦＬＥステージが損傷（Ｉ）または不全（Ｆ）である患者を示す。患者が、登録９日以内に死亡しているか、または腎置換療法（ＲＲＴ）を受けている場合、患者は「非回復」と見なされる。
【０１３０】
「回復」コホートと「非回復」コホートを区別する能力は、受信者動作特性（ＲＯＣ）解析を利用して決定される。
【０１３１】
表７．１：回復が試料採取後１２時間目に開始し、腎臓状態が血清クレアチニン（ｓＣｒ）のみ、尿量（ＵＯ）のみ、または血清クレアチニンもしくは尿量のＲＩＦＬＥ基準によって評定される、「回復」および「非回復」コホートの尿試料中のマーカーレベルおよびＲＯＣ曲線下面積（ＡＵＣ）の比較
【表４２】
0006792553.tif 000067
【表４３】
0006792553.tif 000068
0006792553.tif 000069
【表４４】
0006792553.tif 000070
【表４５】
0006792553.tif 000071
0006792553.tif 000072
【０１３２】
表７．２：回復が試料採取後２４時間目に開始し、腎臓状態が血清クレアチニン（ｓＣｒ）のみ、尿量（ＵＯ）のみ、または血清クレアチニンもしくは尿量のＲＩＦＬＥ基準によって評定される、「回復」および「非回復」コホートの尿試料中のマーカーレベルおよびＲＯＣ曲線下面積（ＡＵＣ）の比較
【表４６】
0006792553.tif 000073
【表４７】
0006792553.tif 000074
【表４８】
0006792553.tif 000075
0006792553.tif 000076
【表４９】
0006792553.tif 000077
【０１３３】
表７．３：回復が試料採取後４８時間目に開始し、腎臓状態が血清クレアチニン（ｓＣｒ）のみ、尿量（ＵＯ）のみ、または血清クレアチニンもしくは尿量のＲＩＦＬＥ基準によって評定される、「回復」および「非回復」コホートの尿試料中のマーカーレベルおよびＲＯＣ曲線下面積（ＡＵＣ）の比較
【表５０】
0006792553.tif 000078
【表５１】
0006792553.tif 000079
【表５２】
0006792553.tif 000080
【表５３】
0006792553.tif 000081
0006792553.tif 000082
【０１３４】
表７．４：回復が試料採取後７２時間目に開始し、腎臓状態が血清クレアチニン（ｓＣｒ）のみ、尿量（ＵＯ）のみ、または血清クレアチニンもしくは尿量のＲＩＦＬＥ基準によって評定される、「回復」および「非回復」コホートの尿試料中のマーカーレベルおよびＲＯＣ曲線下面積（ＡＵＣ）の比較
【表５４】
0006792553.tif 000083
【表５５】
0006792553.tif 000084
0006792553.tif 000085
【表５６】
0006792553.tif 000086
【表５７】
0006792553.tif 000087
0006792553.tif 000088
【０１３５】
表７．５：回復が試料採取後７日以内に開始し、腎臓状態が血清クレアチニン（ｓＣｒ）のみ、尿量（ＵＯ）のみ、または血清クレアチニンもしくは尿量のＲＩＦＬＥ基準によって評定される、「回復」および「非回復」コホートの尿試料中のマーカーレベルおよびＲＯＣ曲線下面積（ＡＵＣ）の比較
【表５８】
0006792553.tif 000089
【表５９】
0006792553.tif 000090
【表６０】
0006792553.tif 000091
0006792553.tif 000092
【表６１】
0006792553.tif 000093
0006792553.tif 000094
【０１３６】
表７．６：回復が試料採取後１２時間目に開始し、腎臓状態が血清クレアチニン（ｓＣｒ）のみ、尿量（ＵＯ）のみ、または血清クレアチニンもしくは尿量のＲＩＦＬＥ基準によって評定される、「回復」および「非回復」コホートのＥＤＴＡ試料中のマーカーレベルおよびＲＯＣ曲線下面積（ＡＵＣ）の比較
【表６２】
0006792553.tif 000095
【表６３】
0006792553.tif 000096
【表６４】
0006792553.tif 000097
【表６５】
0006792553.tif 000098
0006792553.tif 000099
【０１３７】
表７．７：回復が試料採取後２４時間目に開始し、腎臓状態が血清クレアチニン（ｓＣｒ）のみ、尿量（ＵＯ）のみ、または血清クレアチニンもしくは尿量のＲＩＦＬＥ基準によって評定される、「回復」および「非回復」コホートのＥＤＴＡ試料中のマーカーレベルおよびＲＯＣ曲線下面積（ＡＵＣ）の比較
【表６６】
0006792553.tif 000100
0006792553.tif 000101
【表６７】
0006792553.tif 000102
【表６８】
0006792553.tif 000103
【表６９】
0006792553.tif 000104
0006792553.tif 000105
【０１３８】
表７．８：回復が試料採取後４８時間目に開始し、腎臓状態が血清クレアチニン（ｓＣｒ）のみ、尿量（ＵＯ）のみ、または血清クレアチニンもしくは尿量のＲＩＦＬＥ基準によって評定される、「回復」および「非回復」コホートのＥＤＴＡ試料中のマーカーレベルおよびＲＯＣ曲線下面積（ＡＵＣ）の比較
【表７０】
0006792553.tif 000106
【表７１】
0006792553.tif 000107
0006792553.tif 000108
【表７２】
0006792553.tif 000109
【表７３】
0006792553.tif 000110
0006792553.tif 000111
【０１３９】
表７．９：回復が試料採取後７２時間目に開始し、腎臓状態が血清クレアチニン（ｓＣｒ）のみ、尿量（ＵＯ）のみ、または血清クレアチニンもしくは尿量のＲＩＦＬＥ基準によって評定される、「回復」および「非回復」コホートのＥＤＴＡ試料中のマーカーレベルおよびＲＯＣ曲線下面積（ＡＵＣ）の比較
【表７４】
0006792553.tif 000112
【表７５】
0006792553.tif 000113
【表７６】
0006792553.tif 000114
0006792553.tif 000115
【表７７】
0006792553.tif 000116
【０１４０】
表７．１０：回復が試料採取後７日以内に開始し、腎臓状態が血清クレアチニン（ｓＣｒ）のみ、尿量（ＵＯ）のみ、または血清クレアチニンもしくは尿量のＲＩＦＬＥ基準によって評定される、「回復」および「非回復」コホートのＥＤＴＡ試料中のマーカーレベルおよびＲＯＣ曲線下面積（ＡＵＣ）の比較
【表７８】
0006792553.tif 000117
0006792553.tif 000118
【表７９】
0006792553.tif 000119
【表８０】
0006792553.tif 000120
【表８１】
0006792553.tif 000121
0006792553.tif 000122
【０１４１】
実施例８．ＩＣＵに入院した患者における腎臓状態を評価するためのＣ−Ｃモチーフケモカイン１６の使用：ＲＩＦＬＥ  ＩおよびＦからのＲＩＦＬＥ  ０までの回復
集中治療室（ＩＣＵ）の患者を、以下の試験に登録する。ＥＤＴＡ抗凝固処理された血液試料（１０ｍＬ）および尿試料（２５〜３０ｍＬ）を登録時、造影剤投与後（適用可能な場合）４（±０．５）および８（±１）時間目；登録後１２（±１）、２４（±２）、および４８（±２）時間目、ならびにその後毎日７〜１４日目まで対象が入院している間、各患者から採取する。Ｃ−Ｃモチーフケモカイン１６を、採取された最も初期の試料で測定し、患者は市販のアッセイ試薬を使用した標準のイムノアッセイ法によってＲＩＦＬＥ  ＩまたはＦとなった。
【０１４２】
腎臓状態を、試料採取後１２、２４、４８もしくは７２時間目に始まる一定期間に、または試料採取後７日以内の任意の時点で、血清クレアチニン、尿量、または血清クレアチニンと尿量の両方に基づきＲＩＦＬＥ基準により評定する。２つのコホートを、「回復」および「非回復」母集団を表すと定義する。「回復」は、２４、４８または７２時間の期間に最大ＲＩＦＬＥステージが非損傷（ＲＩＦＬＥ  ０）である患者を示す。「非回復」は、２４、４８または７２時間の期間に最大ＲＩＦＬＥステージが損傷のリスク（Ｒ）、損傷（Ｉ）または不全（Ｆ）である患者を示す。患者が、登録９日以内に死亡しているか、または腎置換療法（ＲＲＴ）を受けている場合、患者は「非回復」と見なされる。
【０１４３】
「回復」コホートと「非回復」コホートを区別する能力は、受信者動作特性（ＲＯＣ）解析を利用して決定される。
【０１４４】
表８．１：回復が試料採取後１２時間目に開始し、腎臓状態が血清クレアチニン（ｓＣｒ）のみ、尿量（ＵＯ）のみ、または血清クレアチニンもしくは尿量のＲＩＦＬＥ基準によって評定される、「回復」および「非回復」コホートの尿試料中のマーカーレベルおよびＲＯＣ曲線下面積（ＡＵＣ）の比較
【表８２】
0006792553.tif 000123
【表８３】
0006792553.tif 000124
【表８４】
0006792553.tif 000125
【表８５】
0006792553.tif 000126
0006792553.tif 000127
【０１４５】
表８．２：回復が試料採取後２４時間目に開始し、腎臓状態が血清クレアチニン（ｓＣｒ）のみ、尿量（ＵＯ）のみ、または血清クレアチニンもしくは尿量のＲＩＦＬＥ基準によって評定される、「回復」および「非回復」コホートの尿試料中のマーカーレベルおよびＲＯＣ曲線下面積（ＡＵＣ）の比較
【表８６】
0006792553.tif 000128
0006792553.tif 000129
【表８７】
0006792553.tif 000130
【表８８】
0006792553.tif 000131
【表８９】
0006792553.tif 000132
0006792553.tif 000133
【０１４６】
表８．３：回復が試料採取後４８時間目に開始し、腎臓状態が血清クレアチニン（ｓＣｒ）のみ、尿量（ＵＯ）のみ、または血清クレアチニンもしくは尿量のＲＩＦＬＥ基準によって評定される、「回復」および「非回復」コホートの尿試料中のマーカーレベルおよびＲＯＣ曲線下面積（ＡＵＣ）の比較
【表９０】
0006792553.tif 000134
【表９１】
0006792553.tif 000135
0006792553.tif 000136
【表９２】
0006792553.tif 000137
【表９３】
0006792553.tif 000138
0006792553.tif 000139
【０１４７】
表８．４：回復が試料採取後７２時間目に開始し、腎臓状態が血清クレアチニン（ｓＣｒ）のみ、尿量（ＵＯ）のみ、または血清クレアチニンもしくは尿量のＲＩＦＬＥ基準によって評定される、「回復」および「非回復」コホートの尿試料中のマーカーレベルおよびＲＯＣ曲線下面積（ＡＵＣ）の比較
【表９４】
0006792553.tif 000140
【表９５】
0006792553.tif 000141
【表９６】
0006792553.tif 000142
0006792553.tif 000143
【表９７】
0006792553.tif 000144
【０１４８】
表８．５：回復が試料採取後７日以内に開始し、腎臓状態が血清クレアチニン（ｓＣｒ）のみ、尿量（ＵＯ）のみ、または血清クレアチニンもしくは尿量のＲＩＦＬＥ基準によって評定される、「回復」および「非回復」コホートの尿試料中のマーカーレベルおよびＲＯＣ曲線下面積（ＡＵＣ）の比較
【表９８】
0006792553.tif 000145
0006792553.tif 000146
【表９９】
0006792553.tif 000147
【表１００】
0006792553.tif 000148
【表１０１】
0006792553.tif 000149
0006792553.tif 000150
【０１４９】
表８．６：回復が試料採取後１２時間目に開始し、腎臓状態が血清クレアチニン（ｓＣｒ）のみ、尿量（ＵＯ）のみ、または血清クレアチニンもしくは尿量のＲＩＦＬＥ基準によって評定される、「回復」および「非回復」コホートのＥＤＴＡ試料中のマーカーレベルおよびＲＯＣ曲線下面積（ＡＵＣ）の比較
【表１０２】
0006792553.tif 000151
【表１０３】
0006792553.tif 000152
0006792553.tif 000153
【表１０４】
0006792553.tif 000154
【表１０５】
0006792553.tif 000155
0006792553.tif 000156
【０１５０】
表８．７：回復が試料採取後２４時間目に開始し、腎臓状態が血清クレアチニン（ｓＣｒ）のみ、尿量（ＵＯ）のみ、または血清クレアチニンもしくは尿量のＲＩＦＬＥ基準によって評定される、「回復」および「非回復」コホートのＥＤＴＡ試料中のマーカーレベルおよびＲＯＣ曲線下面積（ＡＵＣ）の比較
【表１０６】
0006792553.tif 000157
【表１０７】
0006792553.tif 000158
【表１０８】
0006792553.tif 000159
0006792553.tif 000160
【表１０９】
0006792553.tif 000161
0006792553.tif 000162
【０１５１】
表８．８：回復が試料採取後４８時間目に開始し、腎臓状態が血清クレアチニン（ｓＣｒ）のみ、尿量（ＵＯ）のみ、または血清クレアチニンもしくは尿量のＲＩＦＬＥ基準によって評定される、「回復」および「非回復」コホートのＥＤＴＡ試料中のマーカーレベルおよびＲＯＣ曲線下面積（ＡＵＣ）の比較
【表１１０】
0006792553.tif 000163
【表１１１】
0006792553.tif 000164
【表１１２】
0006792553.tif 000165
【表１１３】
0006792553.tif 000166
0006792553.tif 000167
【０１５２】
表８．９：回復が試料採取後７２時間目に開始し、腎臓状態が血清クレアチニン（ｓＣｒ）のみ、尿量（ＵＯ）のみ、または血清クレアチニンもしくは尿量のＲＩＦＬＥ基準によって評定される、「回復」および「非回復」コホートのＥＤＴＡ試料中のマーカーレベルおよびＲＯＣ曲線下面積（ＡＵＣ）の比較
【表１１４】
0006792553.tif 000168
0006792553.tif 000169
【表１１５】
0006792553.tif 000170
【表１１６】
0006792553.tif 000171
【表１１７】
0006792553.tif 000172
0006792553.tif 000173
【０１５３】
表８．１０：回復が試料採取後７日以内に開始し、腎臓状態が血清クレアチニン（ｓＣｒ）のみ、尿量（ＵＯ）のみ、または血清クレアチニンもしくは尿量のＲＩＦＬＥ基準によって評定される、「回復」および「非回復」コホートのＥＤＴＡ試料中のマーカーレベルおよびＲＯＣ曲線下面積（ＡＵＣ）の比較
【表１１８】
0006792553.tif 000174
【表１１９】
0006792553.tif 000175
0006792553.tif 000176
【表１２０】
0006792553.tif 000177
【表１２１】
0006792553.tif 000178
0006792553.tif 000179
【０１５４】
実施例９．ＩＣＵに入院した患者における腎臓状態を評価するためのＣ−Ｃモチーフケモカイン１６の使用：ＲＩＦＬＥ  ＩおよびＦからのＲＩＦＬＥ  ０およびＲまでの回復
集中治療室（ＩＣＵ）の患者を、以下の試験に登録する。ＥＤＴＡ抗凝固処理された血液試料（１０ｍＬ）および尿試料（２５〜３０ｍＬ）を登録時、造影剤投与後（適用可能な場合）４（±０．５）および８（±１）時間目；登録後１２（±１）、２４（±２）、および４８（±２）時間目、ならびにその後毎日７〜１４日目まで対象が入院している間、各患者から採取する。Ｃ−Ｃモチーフケモカイン１６を、採取された最も初期の試料で測定し、患者は市販のアッセイ試薬を使用した標準のイムノアッセイ法によってＲＩＦＬＥ  ＩまたはＦとなった。
【０１５５】
腎臓状態を、試料採取後１２、２４、４８もしくは７２時間目に始まる一定期間に、または試料採取後７日以内の任意の時点で、血清クレアチニン、尿量、または血清クレアチニンと尿量の両方に基づきＲＩＦＬＥ基準により評定する。２つのコホートを、「回復」および「非回復」母集団を表すと定義する。「回復」は、２４、４８または７２時間の期間に最大ＲＩＦＬＥステージが非損傷（ＲＩＦＬＥ  ０）または損傷のリスク（Ｒ）である患者を示す。「非回復」は、２４、４８または７２時間の期間に最大ＲＩＦＬＥステージが損傷（Ｉ）または不全（Ｆ）である患者を示す。患者が、登録９日以内に死亡しているか、または腎置換療法（ＲＲＴ）を受けている場合、患者は「非回復」と見なされる。
【０１５６】
「回復」コホートと「非回復」コホートを区別する能力は、受信者動作特性（ＲＯＣ）解析を利用して決定される。
【０１５７】
表９．１：回復が試料採取後１２時間目に開始し、腎臓状態が血清クレアチニン（ｓＣｒ）のみ、尿量（ＵＯ）のみ、または血清クレアチニンもしくは尿量のＲＩＦＬＥ基準によって評定される、「回復」および「非回復」コホートの尿試料中のマーカーレベルおよびＲＯＣ曲線下面積（ＡＵＣ）の比較
【表１２２】
0006792553.tif 000180
【表１２３】
0006792553.tif 000181
0006792553.tif 000182
【表１２４】
0006792553.tif 000183
【表１２５】
0006792553.tif 000184
0006792553.tif 000185
【０１５８】
表９．２：回復が試料採取後２４時間目に開始し、腎臓状態が血清クレアチニン（ｓＣｒ）のみ、尿量（ＵＯ）のみ、または血清クレアチニンもしくは尿量のＲＩＦＬＥ基準によって評定される、「回復」および「非回復」コホートの尿試料中のマーカーレベルおよびＲＯＣ曲線下面積（ＡＵＣ）の比較
【表１２６】
0006792553.tif 000186
【表１２７】
0006792553.tif 000187
【表１２８】
0006792553.tif 000188
0006792553.tif 000189
【表１２９】
0006792553.tif 000190
0006792553.tif 000191
【０１５９】
表９．３：回復が試料採取後４８時間目に開始し、腎臓状態が血清クレアチニン（ｓＣｒ）のみ、尿量（ＵＯ）のみ、または血清クレアチニンもしくは尿量のＲＩＦＬＥ基準によって評定される、「回復」および「非回復」コホートの尿試料中のマーカーレベルおよびＲＯＣ曲線下面積（ＡＵＣ）の比較
【表１３０】
0006792553.tif 000192
【表１３１】
0006792553.tif 000193
【表１３２】
0006792553.tif 000194
【表１３３】
0006792553.tif 000195
0006792553.tif 000196
【０１６０】
表９．４：回復が試料採取後７２時間目に開始し、腎臓状態が血清クレアチニン（ｓＣｒ）のみ、尿量（ＵＯ）のみ、または血清クレアチニンもしくは尿量のＲＩＦＬＥ基準によって評定される、「回復」および「非回復」コホートの尿試料中のマーカーレベルおよびＲＯＣ曲線下面積（ＡＵＣ）の比較
【表１３４】
0006792553.tif 000197
0006792553.tif 000198
【表１３５】
0006792553.tif 000199
【表１３６】
0006792553.tif 000200
【表１３７】
0006792553.tif 000201
0006792553.tif 000202
【０１６１】
表９．５：回復が試料採取後７日以内に開始し、腎臓状態が血清クレアチニン（ｓＣｒ）のみ、尿量（ＵＯ）のみ、または血清クレアチニンもしくは尿量のＲＩＦＬＥ基準によって評定される、「回復」および「非回復」コホートの尿試料中のマーカーレベルおよびＲＯＣ曲線下面積（ＡＵＣ）の比較
【表１３８】
0006792553.tif 000203
【表１３９】
0006792553.tif 000204
0006792553.tif 000205
【表１４０】
0006792553.tif 000206
【表１４１】
0006792553.tif 000207
0006792553.tif 000208
【０１６２】
表９．６：回復が試料採取後１２時間目に開始し、腎臓状態が血清クレアチニン（ｓＣｒ）のみ、尿量（ＵＯ）のみ、または血清クレアチニンもしくは尿量のＲＩＦＬＥ基準によって評定される、「回復」および「非回復」コホートのＥＤＴＡ試料中のマーカーレベルおよびＲＯＣ曲線下面積（ＡＵＣ）の比較
【表１４２】
0006792553.tif 000209
【表１４３】
0006792553.tif 000210
【表１４４】
0006792553.tif 000211
0006792553.tif 000212
【表１４５】
0006792553.tif 000213
【０１６３】
表９．７：回復が試料採取後２４時間目に開始し、腎臓状態が血清クレアチニン（ｓＣｒ）のみ、尿量（ＵＯ）のみ、または血清クレアチニンもしくは尿量のＲＩＦＬＥ基準によって評定される、「回復」および「非回復」コホートのＥＤＴＡ試料中のマーカーレベルおよびＲＯＣ曲線下面積（ＡＵＣ）の比較
【表１４６】
0006792553.tif 000214
0006792553.tif 000215
【表１４７】
0006792553.tif 000216
【表１４８】
0006792553.tif 000217
【表１４９】
0006792553.tif 000218
0006792553.tif 000219
【０１６４】
表９．８：回復が試料採取後４８時間目に開始し、腎臓状態が血清クレアチニン（ｓＣｒ）のみ、尿量（ＵＯ）のみ、または血清クレアチニンもしくは尿量のＲＩＦＬＥ基準によって評定される、「回復」および「非回復」コホートのＥＤＴＡ試料中のマーカーレベルおよびＲＯＣ曲線下面積（ＡＵＣ）の比較
【表１５０】
0006792553.tif 000220
【表１５１】
0006792553.tif 000221
0006792553.tif 000222
【表１５２】
0006792553.tif 000223
【表１５３】
0006792553.tif 000224
0006792553.tif 000225
【０１６５】
表９．９：回復が試料採取後７２時間目に開始し、腎臓状態が血清クレアチニン（ｓＣｒ）のみ、尿量（ＵＯ）のみ、または血清クレアチニンもしくは尿量のＲＩＦＬＥ基準によって評定される、「回復」および「非回復」コホートのＥＤＴＡ試料中のマーカーレベルおよびＲＯＣ曲線下面積（ＡＵＣ）の比較
【表１５４】
0006792553.tif 000226
【表１５５】
0006792553.tif 000227
【表１５６】
0006792553.tif 000228
0006792553.tif 000229
【表１５７】
0006792553.tif 000230
0006792553.tif 000231
【０１６６】
表９．１０：回復が試料採取後７日以内に開始し、腎臓状態が血清クレアチニン（ｓＣｒ）のみ、尿量（ＵＯ）のみ、または血清クレアチニンもしくは尿量のＲＩＦＬＥ基準によって評定される、「回復」および「非回復」コホートのＥＤＴＡ試料中のマーカーレベルおよびＲＯＣ曲線下面積（ＡＵＣ）の比較
【表１５８】
0006792553.tif 000232
【表１５９】
0006792553.tif 000233
【表１６０】
0006792553.tif 000234
【表１６１】
0006792553.tif 000235
0006792553.tif 000236
【０１６７】
実施例１０．ＩＣＵに入院した患者における腎臓状態を評価するためのチロシンプロテインキナーゼ受容体ＵＦＯの使用：ＲＩＦＬＥ  ＩおよびＦからのＲＩＦＬＥ  ０までの回復
集中治療室（ＩＣＵ）の患者を、以下の試験に登録する。ＥＤＴＡ抗凝固処理された血液試料（１０ｍＬ）および尿試料（２５〜３０ｍＬ）を登録時、造影剤投与後（適用可能な場合）４（±０．５）および８（±１）時間目；登録後１２（±１）、２４（±２）、および４８（±２）時間目、ならびにその後毎日７〜１４日目まで対象が入院している間、各患者から採取する。チロシンプロテインキナーゼ受容体ＵＦＯを、採取された最も初期の試料で測定し、患者は市販のアッセイ試薬を使用した標準のイムノアッセイ法によってＲＩＦＬＥ  ＩまたはＦとなった。
【０１６８】
腎臓状態を、試料採取後１２、２４、４８もしくは７２時間目に始まる一定期間に、または試料採取後７日以内の任意の時点で、血清クレアチニン、尿量、または血清クレアチニンと尿量の両方に基づきＲＩＦＬＥ基準により評定する。２つのコホートを、「回復」および「非回復」母集団を表すと定義する。「回復」は、２４、４８または７２時間の期間に最大ＲＩＦＬＥステージが非損傷（ＲＩＦＬＥ  ０）である患者を示す。「非回復」は、２４、４８または７２時間の期間に最大ＲＩＦＬＥステージが損傷のリスク（Ｒ）、損傷（Ｉ）または不全（Ｆ）である患者を示す。患者が、登録９日以内に死亡しているか、または腎置換療法（ＲＲＴ）を受けている場合、患者は「非回復」と見なされる。
【０１６９】
「回復」コホートと「非回復」コホートを区別する能力は、受信者動作特性（ＲＯＣ）解析を利用して決定される。
【０１７０】
表１０．１：回復が試料採取後１２時間目に開始し、腎臓状態が血清クレアチニン（ｓＣｒ）のみ、尿量（ＵＯ）のみ、または血清クレアチニンもしくは尿量のＲＩＦＬＥ基準によって評定される、「回復」および「非回復」コホートの尿試料中のマーカーレベルおよびＲＯＣ曲線下面積（ＡＵＣ）の比較
【表１６２】
0006792553.tif 000237
【表１６３】
0006792553.tif 000238
【表１６４】
0006792553.tif 000239
0006792553.tif 000240
【表１６５】
0006792553.tif 000241
【０１７１】
表１０．２：回復が試料採取後２４時間目に開始し、腎臓状態が血清クレアチニン（ｓＣｒ）のみ、尿量（ＵＯ）のみ、または血清クレアチニンもしくは尿量のＲＩＦＬＥ基準によって評定される、「回復」および「非回復」コホートの尿試料中のマーカーレベルおよびＲＯＣ曲線下面積（ＡＵＣ）の比較
【表１６６】
0006792553.tif 000242
【表１６７】
0006792553.tif 000243
【表１６８】
0006792553.tif 000244
【表１６９】
0006792553.tif 000245
0006792553.tif 000246
【０１７２】
表１０．３：回復が試料採取後４８時間目に開始し、腎臓状態が血清クレアチニン（ｓＣｒ）のみ、尿量（ＵＯ）のみ、または血清クレアチニンもしくは尿量のＲＩＦＬＥ基準によって評定される、「回復」および「非回復」コホートの尿試料中のマーカーレベルおよびＲＯＣ曲線下面積（ＡＵＣ）の比較
【表１７０】
0006792553.tif 000247
【表１７１】
0006792553.tif 000248
【表１７２】
0006792553.tif 000249
【表１７３】
0006792553.tif 000250
0006792553.tif 000251
【０１７３】
表１０．４：回復が試料採取後７２時間目に開始し、腎臓状態が血清クレアチニン（ｓＣｒ）のみ、尿量（ＵＯ）のみ、または血清クレアチニンもしくは尿量のＲＩＦＬＥ基準によって評定される、「回復」および「非回復」コホートの尿試料中のマーカーレベルおよびＲＯＣ曲線下面積（ＡＵＣ）の比較
【表１７４】
0006792553.tif 000252
【表１７５】
0006792553.tif 000253
【表１７６】
0006792553.tif 000254
0006792553.tif 000255
【表１７７】
0006792553.tif 000256
0006792553.tif 000257
【０１７４】
表１０．５：回復が試料採取後７日以内に開始し、腎臓状態が血清クレアチニン（ｓＣｒ）のみ、尿量（ＵＯ）のみ、または血清クレアチニンもしくは尿量のＲＩＦＬＥ基準によって評定される、「回復」および「非回復」コホートの尿試料中のマーカーレベルおよびＲＯＣ曲線下面積（ＡＵＣ）の比較
【表１７８】
0006792553.tif 000258
【表１７９】
0006792553.tif 000259
【表１８０】
0006792553.tif 000260
【表１８１】
0006792553.tif 000261
0006792553.tif 000262
【０１７５】
表１０．６：回復が試料採取後１２時間目に開始し、腎臓状態が血清クレアチニン（ｓＣｒ）のみ、尿量（ＵＯ）のみ、または血清クレアチニンもしくは尿量のＲＩＦＬＥ基準によって評定される、「回復」および「非回復」コホートのＥＤＴＡ試料中のマーカーレベルおよびＲＯＣ曲線下面積（ＡＵＣ）の比較
【表１８２】
0006792553.tif 000263
0006792553.tif 000264
【表１８３】
0006792553.tif 000265
【表１８４】
0006792553.tif 000266
【表１８５】
0006792553.tif 000267
0006792553.tif 000268
【０１７６】
表１０．７：回復が試料採取後２４時間目に開始し、腎臓状態が血清クレアチニン（ｓＣｒ）のみ、尿量（ＵＯ）のみ、または血清クレアチニンもしくは尿量のＲＩＦＬＥ基準によって評定される、「回復」および「非回復」コホートのＥＤＴＡ試料中のマーカーレベルおよびＲＯＣ曲線下面積（ＡＵＣ）の比較
【表１８６】
0006792553.tif 000269
【表１８７】
0006792553.tif 000270
0006792553.tif 000271
【表１８８】
0006792553.tif 000272
【表１８９】
0006792553.tif 000273
0006792553.tif 000274
【０１７７】
表１０．８：回復が試料採取後４８時間目に開始し、腎臓状態が血清クレアチニン（ｓＣｒ）のみ、尿量（ＵＯ）のみ、または血清クレアチニンもしくは尿量のＲＩＦＬＥ基準によって評定される、「回復」および「非回復」コホートのＥＤＴＡ試料中のマーカーレベルおよびＲＯＣ曲線下面積（ＡＵＣ）の比較
【表１９０】
0006792553.tif 000275
【表１９１】
0006792553.tif 000276
【表１９２】
0006792553.tif 000277
0006792553.tif 000278
【表１９３】
0006792553.tif 000279
【０１７８】
表１０．９：回復が試料採取後７２時間目に開始し、腎臓状態が血清クレアチニン（ｓＣｒ）のみ、尿量（ＵＯ）のみ、または血清クレアチニンもしくは尿量のＲＩＦＬＥ基準によって評定される、「回復」および「非回復」コホートのＥＤＴＡ試料中のマーカーレベルおよびＲＯＣ曲線下面積（ＡＵＣ）の比較
【表１９４】
0006792553.tif 000280
0006792553.tif 000281
【表１９５】
0006792553.tif 000282
【表１９６】
0006792553.tif 000283
【表１９７】
0006792553.tif 000284
0006792553.tif 000285
【０１７９】
表１０．１０：回復が試料採取後７日以内に開始し、腎臓状態が血清クレアチニン（ｓＣｒ）のみ、尿量（ＵＯ）のみ、または血清クレアチニンもしくは尿量のＲＩＦＬＥ基準によって評定される、「回復」および「非回復」コホートのＥＤＴＡ試料中のマーカーレベルおよびＲＯＣ曲線下面積（ＡＵＣ）の比較
【表１９８】
0006792553.tif 000286
【表１９９】
0006792553.tif 000287
0006792553.tif 000288
【表２００】
0006792553.tif 000289
【表２０１】
0006792553.tif 000290
0006792553.tif 000291
【０１８０】
実施例１１．ＩＣＵに入院した患者における腎臓状態を評価するためのチロシンプロテインキナーゼ受容体ＵＦＯの使用：ＲＩＦＬＥ  ＩおよびＦからのＲＩＦＬＥ  ０およびＲまでの回復
集中治療室（ＩＣＵ）の患者を、以下の試験に登録する。ＥＤＴＡ抗凝固処理された血液試料（１０ｍＬ）および尿試料（２５〜３０ｍＬ）を登録時、造影剤投与後（適用可能な場合）４（±０．５）および８（±１）時間目；登録後１２（±１）、２４（±２）、および４８（±２）時間目、ならびにその後毎日７〜１４日目まで対象が入院している間、各患者から採取する。チロシンプロテインキナーゼ受容体ＵＦＯを、採取された最も初期の試料で測定し、患者は市販のアッセイ試薬を使用した標準のイムノアッセイ法によってＲＩＦＬＥ  ＩまたはＦとなった。
【０１８１】
腎臓状態を、試料採取後１２、２４、４８もしくは７２時間目に始まる一定期間に、または試料採取後７日以内の任意の時点で、血清クレアチニン、尿量、または血清クレアチニンと尿量の両方に基づきＲＩＦＬＥ基準により評定する。２つのコホートを、「回復」および「非回復」母集団を表すと定義する。「回復」は、２４、４８または７２時間の期間に最大ＲＩＦＬＥステージが非損傷（ＲＩＦＬＥ  ０）または損傷のリスク（Ｒ）である患者を示す。「非回復」は、２４、４８または７２時間の期間に最大ＲＩＦＬＥステージが損傷（Ｉ）または不全（Ｆ）である患者を示す。患者が、登録９日以内に死亡しているか、または腎置換療法（ＲＲＴ）を受けている場合、患者は「非回復」と見なされる。
【０１８２】
「回復」コホートと「非回復」コホートを区別する能力は、受信者動作特性（ＲＯＣ）解析を利用して決定される。
【０１８３】
表１１．１：回復が試料採取後１２時間目に開始し、腎臓状態が血清クレアチニン（ｓＣｒ）のみ、尿量（ＵＯ）のみ、または血清クレアチニンもしくは尿量のＲＩＦＬＥ基準によって評定される、「回復」および「非回復」コホートの尿試料中のマーカーレベルおよびＲＯＣ曲線下面積（ＡＵＣ）の比較
【表２０２】
0006792553.tif 000292
0006792553.tif 000293
【表２０３】
0006792553.tif 000294
【表２０４】
0006792553.tif 000295
【表２０５】
0006792553.tif 000296
0006792553.tif 000297
【０１８４】
表１１．２：回復が試料採取後２４時間目に開始し、腎臓状態が血清クレアチニン（ｓＣｒ）のみ、尿量（ＵＯ）のみ、または血清クレアチニンもしくは尿量のＲＩＦＬＥ基準によって評定される、「回復」および「非回復」コホートの尿試料中のマーカーレベルおよびＲＯＣ曲線下面積（ＡＵＣ）の比較
【表２０６】
0006792553.tif 000298
【表２０７】
0006792553.tif 000299
0006792553.tif 000300
【表２０８】
0006792553.tif 000301
【表２０９】
0006792553.tif 000302
0006792553.tif 000303
【０１８５】
表１１．３：回復が試料採取後４８時間目に開始し、腎臓状態が血清クレアチニン（ｓＣｒ）のみ、尿量（ＵＯ）のみ、または血清クレアチニンもしくは尿量のＲＩＦＬＥ基準によって評定される、「回復」および「非回復」コホートの尿試料中のマーカーレベルおよびＲＯＣ曲線下面積（ＡＵＣ）の比較
【表２１０】
0006792553.tif 000304
【表２１１】
0006792553.tif 000305
【表２１２】
0006792553.tif 000306
0006792553.tif 000307
【表２１３】
0006792553.tif 000308
【０１８６】
表１１．４：回復が試料採取後７２時間目に開始し、腎臓状態が血清クレアチニン（ｓＣｒ）のみ、尿量（ＵＯ）のみ、または血清クレアチニンもしくは尿量のＲＩＦＬＥ基準によって評定される、「回復」および「非回復」コホートの尿試料中のマーカーレベルおよびＲＯＣ曲線下面積（ＡＵＣ）の比較
【表２１４】
0006792553.tif 000309
【表２１５】
0006792553.tif 000310
【表２１６】
0006792553.tif 000311
【表２１７】
0006792553.tif 000312
0006792553.tif 000313
【０１８７】
表１１．５：回復が試料採取後７日以内に開始し、腎臓状態が血清クレアチニン（ｓＣｒ）のみ、尿量（ＵＯ）のみ、または血清クレアチニンもしくは尿量のＲＩＦＬＥ基準によって評定される、「回復」および「非回復」コホートの尿試料中のマーカーレベルおよびＲＯＣ曲線下面積（ＡＵＣ）の比較
【表２１８】
0006792553.tif 000314
【表２１９】
0006792553.tif 000315
0006792553.tif 000316
【表２２０】
0006792553.tif 000317
【表２２１】
0006792553.tif 000318
0006792553.tif 000319
【０１８８】
表１１．６：回復が試料採取後１２時間目に開始し、腎臓状態が血清クレアチニン（ｓＣｒ）のみ、尿量（ＵＯ）のみ、または血清クレアチニンもしくは尿量のＲＩＦＬＥ基準によって評定される、「回復」および「非回復」コホートのＥＤＴＡ試料中のマーカーレベルおよびＲＯＣ曲線下面積（ＡＵＣ）の比較
【表２２２】
0006792553.tif 000320
【表２２３】
0006792553.tif 000321
【表２２４】
0006792553.tif 000322
0006792553.tif 000323
【表２２５】
0006792553.tif 000324
0006792553.tif 000325
【０１８９】
表１１．７：回復が試料採取後２４時間目に開始し、腎臓状態が血清クレアチニン（ｓＣｒ）のみ、尿量（ＵＯ）のみ、または血清クレアチニンもしくは尿量のＲＩＦＬＥ基準によって評定される、「回復」および「非回復」コホートのＥＤＴＡ試料中のマーカーレベルおよびＲＯＣ曲線下面積（ＡＵＣ）の比較
【表２２６】
0006792553.tif 000326
【表２２７】
0006792553.tif 000327
【表２２８】
0006792553.tif 000328
【表２２９】
0006792553.tif 000329
0006792553.tif 000330
【０１９０】
表１１．８：回復が試料採取後４８時間目に開始し、腎臓状態が血清クレアチニン（ｓＣｒ）のみ、尿量（ＵＯ）のみ、または血清クレアチニンもしくは尿量のＲＩＦＬＥ基準によって評定される、「回復」および「非回復」コホートのＥＤＴＡ試料中のマーカーレベルおよびＲＯＣ曲線下面積（ＡＵＣ）の比較
【表２３０】
0006792553.tif 000331
0006792553.tif 000332
【表２３１】
0006792553.tif 000333
【表２３２】
0006792553.tif 000334
【表２３３】
0006792553.tif 000335
0006792553.tif 000336
【０１９１】
表１１．９：回復が試料採取後７２時間目に開始し、腎臓状態が血清クレアチニン（ｓＣｒ）のみ、尿量（ＵＯ）のみ、または血清クレアチニンもしくは尿量のＲＩＦＬＥ基準によって評定される、「回復」および「非回復」コホートのＥＤＴＡ試料中のマーカーレベルおよびＲＯＣ曲線下面積（ＡＵＣ）の比較
【表２３４】
0006792553.tif 000337
【表２３５】
0006792553.tif 000338
0006792553.tif 000339
【表２３６】
0006792553.tif 000340
【表２３７】
0006792553.tif 000341
0006792553.tif 000342
【０１９２】
表１１．１０：回復が試料採取後７日以内に開始し、腎臓状態が血清クレアチニン（ｓＣｒ）のみ、尿量（ＵＯ）のみ、または血清クレアチニンもしくは尿量のＲＩＦＬＥ基準によって評定される、「回復」および「非回復」コホートのＥＤＴＡ試料中のマーカーレベルおよびＲＯＣ曲線下面積（ＡＵＣ）の比較
【表２３８】
0006792553.tif 000343
【表２３９】
0006792553.tif 000344
【表２４０】
0006792553.tif 000345
0006792553.tif 000346
【表２４１】
0006792553.tif 000347
【０１９３】
実施例１２．ＩＣＵに入院した患者における腎臓状態を評価するためのＣ−Ｃモチーフケモカイン１４の使用：ＲＩＦＬＥ  Ｆでの持続
集中治療室（ＩＣＵ）の患者を、以下の試験に登録する。ＥＤＴＡ抗凝固処理された血液試料（１０ｍＬ）および尿試料（２５〜３０ｍＬ）を登録時、造影剤投与後（適用可能な場合）４（±０．５）および８（±１）時間目；登録後１２（±１）、２４（±２）、および４８（±２）時間目、ならびにその後毎日７〜１４日目まで対象が入院している間、各患者から採取する。Ｃ−Ｃモチーフケモカイン１４を、採取された最も初期の試料で測定し、患者は市販のアッセイ試薬を使用した標準のイムノアッセイ法によってＲＩＦＬＥ  ＩまたはＦとなった。
【０１９４】
腎臓状態を、血清クレアチニン、尿量、または血清クレアチニンと尿量の両方に基づきＲＩＦＬＥ基準により評定する。２つのコホートを、「持続」および「非持続」母集団を表すと定義する。「持続」は、２４、４８または７２時間の期間の最小ＲＩＦＬＥステージが不全（Ｆ）であり、その持続期間が、試料採取時間に開始して採取後２４、４８、７２、９６または１６８時間目までであり得る患者を示す。「非持続」は、不全（Ｆ）が持続的でなく、２４、４８または７２時間の期間の最小ＲＩＦＬＥステージが非損傷（ＲＩＦＬＥ  ０）、損傷のリスク（Ｒ）、または損傷（Ｉ）であり、その持続期間が、試料採取時間に開始して採取後２４、４８、７２、９６または１６８時間目までであり得る患者を示す。患者が、不全（Ｆ）後に死亡するか、または試料採取時から試料採取後２４、４８、７２、９６または１６８時間目までの任意の時点で腎置換療法（ＲＲＴ）を受ける場合、患者は「持続」と見なされる。
【０１９５】
「持続」コホートと「非持続」コホートを区別する能力は、受信者動作特性（ＲＯＣ）解析を利用して決定される。
【０１９６】
表１２．１：持続が試料採取後２４時間以内に開始し、腎臓状態が血清クレアチニン（ｓＣｒ）のみ、尿量（ＵＯ）のみ、または血清クレアチニンもしくは尿量のＲＩＦＬＥ基準によって評定される、「持続」および「非持続」コホートの尿試料中のマーカーレベルおよびＲＯＣ曲線下面積（ＡＵＣ）の比較
【表２４２】
0006792553.tif 000348
【表２４３】
0006792553.tif 000349
【表２４４】
0006792553.tif 000350
【表２４５】
0006792553.tif 000351
0006792553.tif 000352
【０１９７】
表１２．２：持続が試料採取後４８時間以内に開始し、腎臓状態が血清クレアチニン（ｓＣｒ）のみ、尿量（ＵＯ）のみ、または血清クレアチニンもしくは尿量のＲＩＦＬＥ基準によって評定される、「持続」および「非持続」コホートの尿試料中のマーカーレベルおよびＲＯＣ曲線下面積（ＡＵＣ）の比較
【表２４６】
0006792553.tif 000353
【表２４７】
0006792553.tif 000354
【表２４８】
0006792553.tif 000355
【表２４９】
0006792553.tif 000356
【０１９８】
表１２．３：持続が試料採取後７２時間以内に開始し、腎臓状態が血清クレアチニン（ｓＣｒ）のみ、尿量（ＵＯ）のみ、または血清クレアチニンもしくは尿量のＲＩＦＬＥ基準によって評定される、「持続」および「非持続」コホートの尿試料中のマーカーレベルおよびＲＯＣ曲線下面積（ＡＵＣ）の比較
【表２５０】
0006792553.tif 000357
0006792553.tif 000358
【表２５１】
0006792553.tif 000359
【表２５２】
0006792553.tif 000360
【表２５３】
0006792553.tif 000361
0006792553.tif 000362
【０１９９】
表１２．４：持続が試料採取後９６時間以内に開始し、腎臓状態が血清クレアチニン（ｓＣｒ）のみ、尿量（ＵＯ）のみ、または血清クレアチニンもしくは尿量のＲＩＦＬＥ基準によって評定される、「持続」および「非持続」コホートの尿試料中のマーカーレベルおよびＲＯＣ曲線下面積（ＡＵＣ）の比較
【表２５４】
0006792553.tif 000363
【表２５５】
0006792553.tif 000364
0006792553.tif 000365
【表２５６】
0006792553.tif 000366
【表２５７】
0006792553.tif 000367
0006792553.tif 000368
【０２００】
表１２．５：持続が試料採取後１６８時間以内に開始し、腎臓状態が血清クレアチニン（ｓＣｒ）のみ、尿量（ＵＯ）のみ、または血清クレアチニンもしくは尿量のＲＩＦＬＥ基準によって評定される、「持続」および「非持続」コホートの尿試料中のマーカーレベルおよびＲＯＣ曲線下面積（ＡＵＣ）の比較
【表２５８】
0006792553.tif 000369
【表２５９】
0006792553.tif 000370
【表２６０】
0006792553.tif 000371
0006792553.tif 000372
【表２６１】
0006792553.tif 000373
【０２０１】
表１２．６：持続が試料採取後２４時間以内に開始し、腎臓状態が血清クレアチニン（ｓＣｒ）のみ、尿量（ＵＯ）のみ、または血清クレアチニンもしくは尿量のＲＩＦＬＥ基準によって評定される、「持続」および「非持続」コホートのＥＤＴＡ試料中のマーカーレベルおよびＲＯＣ曲線下面積（ＡＵＣ）の比較
【表２６２】
0006792553.tif 000374
【表２６３】
0006792553.tif 000375
【表２６４】
0006792553.tif 000376
【表２６５】
0006792553.tif 000377
0006792553.tif 000378
【０２０２】
表１２．７：持続が試料採取後４８時間以内に開始し、腎臓状態が血清クレアチニン（ｓＣｒ）のみ、尿量（ＵＯ）のみ、または血清クレアチニンもしくは尿量のＲＩＦＬＥ基準によって評定される、「持続」および「非持続」コホートのＥＤＴＡ試料中のマーカーレベルおよびＲＯＣ曲線下面積（ＡＵＣ）の比較
【表２６６】
0006792553.tif 000379
【表２６７】
0006792553.tif 000380
【表２６８】
0006792553.tif 000381
【表２６９】
0006792553.tif 000382
0006792553.tif 000383
【０２０３】
表１２．８：持続が試料採取後７２時間以内に開始し、腎臓状態が血清クレアチニン（ｓＣｒ）のみ、尿量（ＵＯ）のみ、または血清クレアチニンもしくは尿量のＲＩＦＬＥ基準によって評定される、「持続」および「非持続」コホートのＥＤＴＡ試料中のマーカーレベルおよびＲＯＣ曲線下面積（ＡＵＣ）の比較
【表２７０】
0006792553.tif 000384
【表２７１】
0006792553.tif 000385
【表２７２】
0006792553.tif 000386
0006792553.tif 000387
【表２７３】
0006792553.tif 000388
0006792553.tif 000389
【０２０４】
表１２．９：持続が試料採取後９６時間以内に開始し、腎臓状態が血清クレアチニン（ｓＣｒ）のみ、尿量（ＵＯ）のみ、または血清クレアチニンもしくは尿量のＲＩＦＬＥ基準によって評定される、「持続」および「非持続」コホートのＥＤＴＡ試料中のマーカーレベルおよびＲＯＣ曲線下面積（ＡＵＣ）の比較
【表２７４】
0006792553.tif 000390
【表２７５】
0006792553.tif 000391
【表２７６】
0006792553.tif 000392
【表２７７】
0006792553.tif 000393
0006792553.tif 000394
【０２０５】
表１２．１０：持続が試料採取後１６８時間以内に開始し、腎臓状態が血清クレアチニン（ｓＣｒ）のみ、尿量（ＵＯ）のみ、または血清クレアチニンもしくは尿量のＲＩＦＬＥ基準によって評定される、「持続」および「非持続」コホートのＥＤＴＡ試料中のマーカーレベルおよびＲＯＣ曲線下面積（ＡＵＣ）の比較
【表２７８】
0006792553.tif 000395
0006792553.tif 000396
【表２７９】
0006792553.tif 000397
【表２８０】
0006792553.tif 000398
【表２８１】
0006792553.tif 000399
0006792553.tif 000400
【０２０６】
実施例１３．ＩＣＵに入院した患者における腎臓状態を評価するためのＣ−Ｃモチーフケモカイン１４の使用：ＲＩＦＬＥ  ＩまたはＦでの持続
集中治療室（ＩＣＵ）の患者を、以下の試験に登録する。ＥＤＴＡ抗凝固処理された血液試料（１０ｍＬ）および尿試料（２５〜３０ｍＬ）を登録時、造影剤投与後（適用可能な場合）４（±０．５）および８（±１）時間目；登録後１２（±１）、２４（±２）、および４８（±２）時間目、ならびにその後毎日７〜１４日目まで対象が入院している間、各患者から採取する。Ｃ−Ｃモチーフケモカイン１４を、採取された最も初期の試料で測定し、患者は市販のアッセイ試薬を使用した標準のイムノアッセイ法によってＲＩＦＬＥ  ＩまたはＦとなった。
【０２０７】
腎臓状態を、血清クレアチニン、尿量、または血清クレアチニンと尿量の両方に基づきＲＩＦＬＥ基準により評定する。２つのコホートを、「持続」および「非持続」母集団を表すと定義する。「持続」は、２４、４８または７２時間の期間の最小ＲＩＦＬＥステージが損傷（Ｉ）または不全（Ｆ）であり、その持続期間が、試料採取時間に開始して採取後２４、４８、７２、９６または１６８時間目までであり得る患者を示す。「非持続」は、損傷（Ｉ）または不全（Ｆ）が持続的でなく、２４、４８または７２時間の期間の最小ＲＩＦＬＥステージが非損傷（ＲＩＦＬＥ  ０）または損傷のリスク（Ｒ）であり、その持続期間が、試料採取時間に開始して採取後２４、４８、７２、９６または１６８時間目までであり得る患者を示す。患者が、損傷（Ｉ）もしくは不全（Ｆ）後に死亡するか、または試料採取時から試料採取後２４、４８、７２、９６または１６８時間目までの任意の時点で腎置換療法（ＲＲＴ）を受ける場合、患者は「持続」と見なされる。
【０２０８】
「持続」コホートと「非持続」コホートを区別する能力は、受信者動作特性（ＲＯＣ）解析を利用して決定される。
【０２０９】
表１３．１：持続が試料採取後２４時間以内に開始し、腎臓状態が血清クレアチニン（ｓＣｒ）のみ、尿量（ＵＯ）のみ、または血清クレアチニンもしくは尿量のＲＩＦＬＥ基準によって評定される、「持続」および「非持続」コホートの尿試料中のマーカーレベルおよびＲＯＣ曲線下面積（ＡＵＣ）の比較
【表２８２】
0006792553.tif 000401
【表２８３】
0006792553.tif 000402
【表２８４】
0006792553.tif 000403
【表２８５】
0006792553.tif 000404
0006792553.tif 000405
【０２１０】
表１３．２：持続が試料採取後４８時間以内に開始し、腎臓状態が血清クレアチニン（ｓＣｒ）のみ、尿量（ＵＯ）のみ、または血清クレアチニンもしくは尿量のＲＩＦＬＥ基準によって評定される、「持続」および「非持続」コホートの尿試料中のマーカーレベルおよびＲＯＣ曲線下面積（ＡＵＣ）の比較
【表２８６】
0006792553.tif 000406
0006792553.tif 000407
【表２８７】
0006792553.tif 000408
【表２８８】
0006792553.tif 000409
【表２８９】
0006792553.tif 000410
0006792553.tif 000411
【０２１１】
表１３．３：持続が試料採取後７２時間以内に開始し、腎臓状態が血清クレアチニン（ｓＣｒ）のみ、尿量（ＵＯ）のみ、または血清クレアチニンもしくは尿量のＲＩＦＬＥ基準によって評定される、「持続」および「非持続」コホートの尿試料中のマーカーレベルおよびＲＯＣ曲線下面積（ＡＵＣ）の比較
【表２９０】
0006792553.tif 000412
【表２９１】
0006792553.tif 000413
【表２９２】
0006792553.tif 000414
【表２９３】
0006792553.tif 000415
0006792553.tif 000416
【０２１２】
表１３．４：持続が試料採取後９６時間以内に開始し、腎臓状態が血清クレアチニン（ｓＣｒ）のみ、尿量（ＵＯ）のみ、または血清クレアチニンもしくは尿量のＲＩＦＬＥ基準によって評定される、「持続」および「非持続」コホートの尿試料中のマーカーレベルおよびＲＯＣ曲線下面積（ＡＵＣ）の比較
【表２９４】
0006792553.tif 000417
【表２９５】
0006792553.tif 000418
【表２９６】
0006792553.tif 000419
【表２９７】
0006792553.tif 000420
【０２１３】
表１３．５：持続が試料採取後１６８時間以内に開始し、腎臓状態が血清クレアチニン（ｓＣｒ）のみ、尿量（ＵＯ）のみ、または血清クレアチニンもしくは尿量のＲＩＦＬＥ基準によって評定される、「持続」および「非持続」コホートの尿試料中のマーカーレベルおよびＲＯＣ曲線下面積（ＡＵＣ）の比較
【表２９８】
0006792553.tif 000421
0006792553.tif 000422
【表２９９】
0006792553.tif 000423
【表３００】
0006792553.tif 000424
【表３０１】
0006792553.tif 000425
0006792553.tif 000426
【０２１４】
表１３．６：持続が試料採取後２４時間以内に開始し、腎臓状態が血清クレアチニン（ｓＣｒ）のみ、尿量（ＵＯ）のみ、または血清クレアチニンもしくは尿量のＲＩＦＬＥ基準によって評定される、「持続」および「非持続」コホートのＥＤＴＡ試料中のマーカーレベルおよびＲＯＣ曲線下面積（ＡＵＣ）の比較
【表３０２】
0006792553.tif 000427
【表３０３】
0006792553.tif 000428
0006792553.tif 000429
【表３０４】
0006792553.tif 000430
【表３０５】
0006792553.tif 000431
0006792553.tif 000432
【０２１５】
表１３．７：持続が試料採取後４８時間以内に開始し、腎臓状態が血清クレアチニン（ｓＣｒ）のみ、尿量（ＵＯ）のみ、または血清クレアチニンもしくは尿量のＲＩＦＬＥ基準によって評定される、「持続」および「非持続」コホートのＥＤＴＡ試料中のマーカーレベルおよびＲＯＣ曲線下面積（ＡＵＣ）の比較
【表３０６】
0006792553.tif 000433
【表３０７】
0006792553.tif 000434
【表３０８】
0006792553.tif 000435
0006792553.tif 000436
【表３０９】
0006792553.tif 000437
【０２１６】
表１３．８：持続が試料採取後７２時間以内に開始し、腎臓状態が血清クレアチニン（ｓＣｒ）のみ、尿量（ＵＯ）のみ、または血清クレアチニンもしくは尿量のＲＩＦＬＥ基準によって評定される、「持続」および「非持続」コホートのＥＤＴＡ試料中のマーカーレベルおよびＲＯＣ曲線下面積（ＡＵＣ）の比較
【表３１０】
0006792553.tif 000438
【表３１１】
0006792553.tif 000439
【表３１２】
0006792553.tif 000440
【表３１３】
0006792553.tif 000441
0006792553.tif 000442
【０２１７】
表１３．９：持続が試料採取後９６時間以内に開始し、腎臓状態が血清クレアチニン（ｓＣｒ）のみ、尿量（ＵＯ）のみ、または血清クレアチニンもしくは尿量のＲＩＦＬＥ基準によって評定される、「持続」および「非持続」コホートのＥＤＴＡ試料中のマーカーレベルおよびＲＯＣ曲線下面積（ＡＵＣ）の比較
【表３１４】
0006792553.tif 000443
【表３１５】
0006792553.tif 000444
【表３１６】
0006792553.tif 000445
【表３１７】
0006792553.tif 000446
0006792553.tif 000447
【０２１８】
表１３．１０：持続が試料採取後１６８時間以内に開始し、腎臓状態が血清クレアチニン（ｓＣｒ）のみ、尿量（ＵＯ）のみ、または血清クレアチニンもしくは尿量のＲＩＦＬＥ基準によって評定される、「持続」および「非持続」コホートのＥＤＴＡ試料中のマーカーレベルおよびＲＯＣ曲線下面積（ＡＵＣ）の比較
【表３１８】
0006792553.tif 000448
【表３１９】
0006792553.tif 000449
【表３２０】
0006792553.tif 000450
0006792553.tif 000451
【表３２１】
0006792553.tif 000452
0006792553.tif 000453
【０２１９】
実施例１４．ＩＣＵに入院した患者における腎臓状態を評価するためのＣ−Ｃモチーフケモカイン１６の使用：ＲＩＦＬＥ  Ｆでの持続
集中治療室（ＩＣＵ）の患者を、以下の試験に登録する。ＥＤＴＡ抗凝固処理された血液試料（１０ｍＬ）および尿試料（２５〜３０ｍＬ）を登録時、造影剤投与後（適用可能な場合）４（±０．５）および８（±１）時間目；登録後１２（±１）、２４（±２）、および４８（±２）時間目、ならびにその後毎日７〜１４日目まで対象が入院している間、各患者から採取する。Ｃ−Ｃモチーフケモカイン１６を、採取された最も初期の試料で測定し、患者は市販のアッセイ試薬を使用した標準のイムノアッセイ法によってＲＩＦＬＥ  ＩまたはＦとなった。
【０２２０】
腎臓状態を、血清クレアチニン、尿量、または血清クレアチニンと尿量の両方に基づきＲＩＦＬＥ基準により評定する。２つのコホートを、「持続」および「非持続」母集団を表すと定義する。「持続」は、２４、４８または７２時間の期間の最小ＲＩＦＬＥステージが不全（Ｆ）であり、その持続期間が、試料採取時間に開始して採取後２４、４８、７２、９６または１６８時間目までであり得る患者を示す。「非持続」は、不全（Ｆ）が持続的でなく、２４、４８または７２時間の期間の最小ＲＩＦＬＥステージが非損傷（ＲＩＦＬＥ  ０）、損傷のリスク（Ｒ）、または損傷（Ｉ）であり、その持続期間が、試料採取時間に開始して採取後２４、４８、７２、９６または１６８時間目までであり得る患者を示す。患者が、不全（Ｆ）後に死亡するか、または試料採取時から試料採取後２４、４８、７２、９６または１６８時間目までの任意の時点で腎置換療法（ＲＲＴ）を受ける場合、患者は「持続」と見なされる。
【０２２１】
「持続」コホートと「非持続」コホートを区別する能力は、受信者動作特性（ＲＯＣ）解析を利用して決定される。
【０２２２】
表１４．１：持続が試料採取後２４時間以内に開始し、腎臓状態が血清クレアチニン（ｓＣｒ）のみ、尿量（ＵＯ）のみ、または血清クレアチニンもしくは尿量のＲＩＦＬＥ基準によって評定される、「持続」および「非持続」コホートの尿試料中のマーカーレベルおよびＲＯＣ曲線下面積（ＡＵＣ）の比較
【表３２２】
0006792553.tif 000454
【表３２３】
0006792553.tif 000455
0006792553.tif 000456
【表３２４】
0006792553.tif 000457
【表３２５】
0006792553.tif 000458
0006792553.tif 000459
【０２２３】
表１４．２：持続が試料採取後４８時間以内に開始し、腎臓状態が血清クレアチニン（ｓＣｒ）のみ、尿量（ＵＯ）のみ、または血清クレアチニンもしくは尿量のＲＩＦＬＥ基準によって評定される、「持続」および「非持続」コホートの尿試料中のマーカーレベルおよびＲＯＣ曲線下面積（ＡＵＣ）の比較
【表３２６】
0006792553.tif 000460
【表３２７】
0006792553.tif 000461
【表３２８】
0006792553.tif 000462
0006792553.tif 000463
【表３２９】
0006792553.tif 000464
【０２２４】
表１４．３：持続が試料採取後７２時間以内に開始し、腎臓状態が血清クレアチニン（ｓＣｒ）のみ、尿量（ＵＯ）のみ、または血清クレアチニンもしくは尿量のＲＩＦＬＥ基準によって評定される、「持続」および「非持続」コホートの尿試料中のマーカーレベルおよびＲＯＣ曲線下面積（ＡＵＣ）の比較
【表３３０】
0006792553.tif 000465
【表３３１】
0006792553.tif 000466
【表３３２】
0006792553.tif 000467
【表３３３】
0006792553.tif 000468
0006792553.tif 000469
【０２２５】
表１４．４：持続が試料採取後９６時間以内に開始し、腎臓状態が血清クレアチニン（ｓＣｒ）のみ、尿量（ＵＯ）のみ、または血清クレアチニンもしくは尿量のＲＩＦＬＥ基準によって評定される、「持続」および「非持続」コホートの尿試料中のマーカーレベルおよびＲＯＣ曲線下面積（ＡＵＣ）の比較
【表３３４】
0006792553.tif 000470
0006792553.tif 000471
【表３３５】
0006792553.tif 000472
【表３３６】
0006792553.tif 000473
【表３３７】
0006792553.tif 000474
0006792553.tif 000475
【０２２６】
表１４．５：持続が試料採取後１６８時間以内に開始し、腎臓状態が血清クレアチニン（ｓＣｒ）のみ、尿量（ＵＯ）のみ、または血清クレアチニンもしくは尿量のＲＩＦＬＥ基準によって評定される、「持続」および「非持続」コホートの尿試料中のマーカーレベルおよびＲＯＣ曲線下面積（ＡＵＣ）の比較
【表３３８】
0006792553.tif 000476
【表３３９】
0006792553.tif 000477
【表３４０】
0006792553.tif 000478
【表３４１】
0006792553.tif 000479
0006792553.tif 000480
【０２２７】
表１４．６：持続が試料採取後２４時間以内に開始し、腎臓状態が血清クレアチニン（ｓＣｒ）のみ、尿量（ＵＯ）のみ、または血清クレアチニンもしくは尿量のＲＩＦＬＥ基準によって評定される、「持続」および「非持続」コホートのＥＤＴＡ試料中のマーカーレベルおよびＲＯＣ曲線下面積（ＡＵＣ）の比較
【表３４２】
0006792553.tif 000481
【表３４３】
0006792553.tif 000482
【表３４４】
0006792553.tif 000483
【表３４５】
0006792553.tif 000484
【０２２８】
表１４．７：持続が試料採取後４８時間以内に開始し、腎臓状態が血清クレアチニン（ｓＣｒ）のみ、尿量（ＵＯ）のみ、または血清クレアチニンもしくは尿量のＲＩＦＬＥ基準によって評定される、「持続」および「非持続」コホートのＥＤＴＡ試料中のマーカーレベルおよびＲＯＣ曲線下面積（ＡＵＣ）の比較
【表３４６】
0006792553.tif 000485
0006792553.tif 000486
【表３４７】
0006792553.tif 000487
【表３４８】
0006792553.tif 000488
【表３４９】
0006792553.tif 000489
0006792553.tif 000490
【０２２９】
表１４．８：持続が試料採取後７２時間以内に開始し、腎臓状態が血清クレアチニン（ｓＣｒ）のみ、尿量（ＵＯ）のみ、または血清クレアチニンもしくは尿量のＲＩＦＬＥ基準によって評定される、「持続」および「非持続」コホートのＥＤＴＡ試料中のマーカーレベルおよびＲＯＣ曲線下面積（ＡＵＣ）の比較
【表３５０】
0006792553.tif 000491
【表３５１】
0006792553.tif 000492
0006792553.tif 000493
【表３５２】
0006792553.tif 000494
【表３５３】
0006792553.tif 000495
0006792553.tif 000496
【０２３０】
表１４．９：持続が試料採取後９６時間以内に開始し、腎臓状態が血清クレアチニン（ｓＣｒ）のみ、尿量（ＵＯ）のみ、または血清クレアチニンもしくは尿量のＲＩＦＬＥ基準によって評定される、「持続」および「非持続」コホートのＥＤＴＡ試料中のマーカーレベルおよびＲＯＣ曲線下面積（ＡＵＣ）の比較
【表３５４】
0006792553.tif 000497
【表３５５】
0006792553.tif 000498
【表３５６】
0006792553.tif 000499
0006792553.tif 000500
【表３５７】
0006792553.tif 000501
【０２３１】
表１４．１０：持続が試料採取後１６８時間以内に開始し、腎臓状態が血清クレアチニン（ｓＣｒ）のみ、尿量（ＵＯ）のみ、または血清クレアチニンもしくは尿量のＲＩＦＬＥ基準によって評定される、「持続」および「非持続」コホートのＥＤＴＡ試料中のマーカーレベルおよびＲＯＣ曲線下面積（ＡＵＣ）の比較
【表３５８】
0006792553.tif 000502
【表３５９】
0006792553.tif 000503
【表３６０】
0006792553.tif 000504
【表３６１】
0006792553.tif 000505
0006792553.tif 000506
【０２３２】
実施例１５．ＩＣＵに入院した患者における腎臓状態を評価するためのＣ−Ｃモチーフケモカイン１６の使用：ＲＩＦＬＥ  ＩまたはＦでの持続
集中治療室（ＩＣＵ）の患者を、以下の試験に登録する。ＥＤＴＡ抗凝固処理された血液試料（１０ｍＬ）および尿試料（２５〜３０ｍＬ）を登録時、造影剤投与後（適用可能な場合）４（±０．５）および８（±１）時間目；登録後１２（±１）、２４（±２）、および４８（±２）時間目、ならびにその後毎日７〜１４日目まで対象が入院している間、各患者から採取する。Ｃ−Ｃモチーフケモカイン１６を、採取された最も初期の試料で測定し、患者は市販のアッセイ試薬を使用した標準のイムノアッセイ法によってＲＩＦＬＥ  ＩまたはＦとなった。
【０２３３】
腎臓状態を、血清クレアチニン、尿量、または血清クレアチニンと尿量の両方に基づきＲＩＦＬＥ基準により評定する。２つのコホートを、「持続」および「非持続」母集団を表すと定義する。「持続」は、２４、４８または７２時間の期間の最小ＲＩＦＬＥステージが損傷（Ｉ）または不全（Ｆ）であり、その持続期間が、試料採取時間に開始して採取後２４、４８、７２、９６または１６８時間目までであり得る患者を示す。「非持続」は、損傷（Ｉ）または不全（Ｆ）が持続的でなく、２４、４８または７２時間の期間の最小ＲＩＦＬＥステージが非損傷（ＲＩＦＬＥ  ０）または損傷のリスク（Ｒ）であり、その持続期間が、試料採取時間に開始して採取後２４、４８、７２、９６または１６８時間目までであり得る患者を示す。患者が、損傷（Ｉ）もしくは不全（Ｆ）後に死亡するか、または試料採取時から試料採取後２４、４８、７２、９６または１６８時間目までの任意の時点で腎置換療法（ＲＲＴ）を受ける場合、患者は「持続」と見なされる。
【０２３４】
「持続」コホートと「非持続」コホートを区別する能力は、受信者動作特性（ＲＯＣ）解析を利用して決定される。
【０２３５】
表１５．１：持続が試料採取後２４時間以内に開始し、腎臓状態が血清クレアチニン（ｓＣｒ）のみ、尿量（ＵＯ）のみ、または血清クレアチニンもしくは尿量のＲＩＦＬＥ基準によって評定される、「持続」および「非持続」コホートの尿試料中のマーカーレベルおよびＲＯＣ曲線下面積（ＡＵＣ）の比較
【表３６２】
0006792553.tif 000507
【表３６３】
0006792553.tif 000508
【表３６４】
0006792553.tif 000509
0006792553.tif 000510
【表３６５】
0006792553.tif 000511
【０２３６】
表１５．２：持続が試料採取後４８時間以内に開始し、腎臓状態が血清クレアチニン（ｓＣｒ）のみ、尿量（ＵＯ）のみ、または血清クレアチニンもしくは尿量のＲＩＦＬＥ基準によって評定される、「持続」および「非持続」コホートの尿試料中のマーカーレベルおよびＲＯＣ曲線下面積（ＡＵＣ）の比較
【表３６６】
0006792553.tif 000512
0006792553.tif 000513
【表３６７】
0006792553.tif 000514
【表３６８】
0006792553.tif 000515
【表３６９】
0006792553.tif 000516
0006792553.tif 000517
【０２３７】
表１５．３：持続が試料採取後７２時間以内に開始し、腎臓状態が血清クレアチニン（ｓＣｒ）のみ、尿量（ＵＯ）のみ、または血清クレアチニンもしくは尿量のＲＩＦＬＥ基準によって評定される、「持続」および「非持続」コホートの尿試料中のマーカーレベルおよびＲＯＣ曲線下面積（ＡＵＣ）の比較
【表３７０】
0006792553.tif 000518
【表３７１】
0006792553.tif 000519
0006792553.tif 000520
【表３７２】
0006792553.tif 000521
【表３７３】
0006792553.tif 000522
0006792553.tif 000523
【０２３８】
表１５．４：持続が試料採取後９６時間以内に開始し、腎臓状態が血清クレアチニン（ｓＣｒ）のみ、尿量（ＵＯ）のみ、または血清クレアチニンもしくは尿量のＲＩＦＬＥ基準によって評定される、「持続」および「非持続」コホートの尿試料中のマーカーレベルおよびＲＯＣ曲線下面積（ＡＵＣ）の比較
【表３７４】
0006792553.tif 000524
【表３７５】
0006792553.tif 000525
【表３７６】
0006792553.tif 000526
0006792553.tif 000527
【表３７７】
0006792553.tif 000528
【０２３９】
表１５．５：持続が試料採取後１６８時間以内に開始し、腎臓状態が血清クレアチニン（ｓＣｒ）のみ、尿量（ＵＯ）のみ、または血清クレアチニンもしくは尿量のＲＩＦＬＥ基準によって評定される、「持続」および「非持続」コホートの尿試料中のマーカーレベルおよびＲＯＣ曲線下面積（ＡＵＣ）の比較
【表３７８】
0006792553.tif 000529
【表３７９】
0006792553.tif 000530
【表３８０】
0006792553.tif 000531
【表３８１】
0006792553.tif 000532
0006792553.tif 000533
【０２４０】
表１５．６：持続が試料採取後２４時間以内に開始し、腎臓状態が血清クレアチニン（ｓＣｒ）のみ、尿量（ＵＯ）のみ、または血清クレアチニンもしくは尿量のＲＩＦＬＥ基準によって評定される、「持続」および「非持続」コホートのＥＤＴＡ試料中のマーカーレベルおよびＲＯＣ曲線下面積（ＡＵＣ）の比較
【表３８２】
0006792553.tif 000534
0006792553.tif 000535
【表３８３】
0006792553.tif 000536
【表３８４】
0006792553.tif 000537
【表３８５】
0006792553.tif 000538
0006792553.tif 000539
【０２４１】
表１５．７：持続が試料採取後４８時間以内に開始し、腎臓状態が血清クレアチニン（ｓＣｒ）のみ、尿量（ＵＯ）のみ、または血清クレアチニンもしくは尿量のＲＩＦＬＥ基準によって評定される、「持続」および「非持続」コホートのＥＤＴＡ試料中のマーカーレベルおよびＲＯＣ曲線下面積（ＡＵＣ）の比較
【表３８６】
0006792553.tif 000540
【表３８７】
0006792553.tif 000541
【表３８８】
0006792553.tif 000542
【表３８９】
0006792553.tif 000543
0006792553.tif 000544
【０２４２】
表１５．８：持続が試料採取後７２時間以内に開始し、腎臓状態が血清クレアチニン（ｓＣｒ）のみ、尿量（ＵＯ）のみ、または血清クレアチニンもしくは尿量のＲＩＦＬＥ基準によって評定される、「持続」および「非持続」コホートのＥＤＴＡ試料中のマーカーレベルおよびＲＯＣ曲線下面積（ＡＵＣ）の比較
【表３９０】
0006792553.tif 000545
【表３９１】
0006792553.tif 000546
【表３９２】
0006792553.tif 000547
【表３９３】
0006792553.tif 000548
【０２４３】
表１５．９：持続が試料採取後９６時間以内に開始し、腎臓状態が血清クレアチニン（ｓＣｒ）のみ、尿量（ＵＯ）のみ、または血清クレアチニンもしくは尿量のＲＩＦＬＥ基準によって評定される、「持続」および「非持続」コホートのＥＤＴＡ試料中のマーカーレベルおよびＲＯＣ曲線下面積（ＡＵＣ）の比較
【表３９４】
0006792553.tif 000549
0006792553.tif 000550
【表３９５】
0006792553.tif 000551
【表３９６】
0006792553.tif 000552
【表３９７】
0006792553.tif 000553
0006792553.tif 000554
【０２４４】
表１５．１０：持続が試料採取後１６８時間以内に開始し、腎臓状態が血清クレアチニン（ｓＣｒ）のみ、尿量（ＵＯ）のみ、または血清クレアチニンもしくは尿量のＲＩＦＬＥ基準によって評定される、「持続」および「非持続」コホートのＥＤＴＡ試料中のマーカーレベルおよびＲＯＣ曲線下面積（ＡＵＣ）の比較
【表３９８】
0006792553.tif 000555
【表３９９】
0006792553.tif 000556
0006792553.tif 000557
【表４００】
0006792553.tif 000558
【表４０１】
0006792553.tif 000559
0006792553.tif 000560
【０２４５】
実施例１６．ＩＣＵに入院した患者における腎臓状態を評価するためのチロシンプロテインキナーゼ受容体ＵＦＯの使用：ＲＩＦＬＥ  Ｆでの持続
集中治療室（ＩＣＵ）の患者を、以下の試験に登録する。ＥＤＴＡ抗凝固処理された血液試料（１０ｍＬ）および尿試料（２５〜３０ｍＬ）を登録時、造影剤投与後（適用可能な場合）４（±０．５）および８（±１）時間目；登録後１２（±１）、２４（±２）、および４８（±２）時間目、ならびにその後毎日７〜１４日目まで対象が入院している間、各患者から採取する。チロシンプロテインキナーゼ受容体ＵＦＯを、採取された最も初期の試料で測定し、患者は市販のアッセイ試薬を使用した標準のイムノアッセイ法によってＲＩＦＬＥ  ＩまたはＦとなった。
【０２４６】
腎臓状態を、血清クレアチニン、尿量、または血清クレアチニンと尿量の両方に基づきＲＩＦＬＥ基準により評定する。２つのコホートを、「持続」および「非持続」母集団を表すと定義する。「持続」は、２４、４８または７２時間の期間の最小ＲＩＦＬＥステージが不全（Ｆ）であり、その持続期間が、試料採取時間に開始して採取後２４、４８、７２、９６または１６８時間目までであり得る患者を示す。「非持続」は、不全（Ｆ）が持続的でなく、２４、４８または７２時間の期間の最小ＲＩＦＬＥステージが非損傷（ＲＩＦＬＥ  ０）、損傷のリスク（Ｒ）、または損傷（Ｉ）であり、その持続期間が、試料採取時間に開始して採取後２４、４８、７２、９６または１６８時間目までであり得る患者を示す。患者が、不全（Ｆ）後に死亡するか、または試料採取時から試料採取後２４、４８、７２、９６または１６８時間目までの任意の時点で腎置換療法（ＲＲＴ）を受ける場合、患者は「持続」と見なされる。
【０２４７】
「持続」コホートと「非持続」コホートを区別する能力は、受信者動作特性（ＲＯＣ）解析を利用して決定される。
【０２４８】
表１６．１：持続が試料採取後２４時間以内に開始し、腎臓状態が血清クレアチニン（ｓＣｒ）のみ、尿量（ＵＯ）のみ、または血清クレアチニンもしくは尿量のＲＩＦＬＥ基準によって評定される、「持続」および「非持続」コホートの尿試料中のマーカーレベルおよびＲＯＣ曲線下面積（ＡＵＣ）の比較
【表４０２】
0006792553.tif 000561
0006792553.tif 000562
【表４０３】
0006792553.tif 000563
【表４０４】
0006792553.tif 000564
【表４０５】
0006792553.tif 000565
0006792553.tif 000566
【０２４９】
表１６．２：持続が試料採取後４８時間以内に開始し、腎臓状態が血清クレアチニン（ｓＣｒ）のみ、尿量（ＵＯ）のみ、または血清クレアチニンもしくは尿量のＲＩＦＬＥ基準によって評定される、「持続」および「非持続」コホートの尿試料中のマーカーレベルおよびＲＯＣ曲線下面積（ＡＵＣ）の比較
【表４０６】
0006792553.tif 000567
【表４０７】
0006792553.tif 000568
0006792553.tif 000569
【表４０８】
0006792553.tif 000570
【表４０９】
0006792553.tif 000571
0006792553.tif 000572
【０２５０】
表１６．３：持続が試料採取後７２時間以内に開始し、腎臓状態が血清クレアチニン（ｓＣｒ）のみ、尿量（ＵＯ）のみ、または血清クレアチニンもしくは尿量のＲＩＦＬＥ基準によって評定される、「持続」および「非持続」コホートの尿試料中のマーカーレベルおよびＲＯＣ曲線下面積（ＡＵＣ）の比較
【表４１０】
0006792553.tif 000573
【表４１１】
0006792553.tif 000574
【表４１２】
0006792553.tif 000575
0006792553.tif 000576
【表４１３】
0006792553.tif 000577
【０２５１】
表１６．４：持続が試料採取後９６時間以内に開始し、腎臓状態が血清クレアチニン（ｓＣｒ）のみ、尿量（ＵＯ）のみ、または血清クレアチニンもしくは尿量のＲＩＦＬＥ基準によって評定される、「持続」および「非持続」コホートの尿試料中のマーカーレベルおよびＲＯＣ曲線下面積（ＡＵＣ）の比較
【表４１４】
0006792553.tif 000578
0006792553.tif 000579
【表４１５】
0006792553.tif 000580
【表４１６】
0006792553.tif 000581
【表４１７】
0006792553.tif 000582
0006792553.tif 000583
【０２５２】
表１６．５：持続が試料採取後１６８時間以内に開始し、腎臓状態が血清クレアチニン（ｓＣｒ）のみ、尿量（ＵＯ）のみ、または血清クレアチニンもしくは尿量のＲＩＦＬＥ基準によって評定される、「持続」および「非持続」コホートの尿試料中のマーカーレベルおよびＲＯＣ曲線下面積（ＡＵＣ）の比較
【表４１８】
0006792553.tif 000584
【表４１９】
0006792553.tif 000585
0006792553.tif 000586
【表４２０】
0006792553.tif 000587
【表４２１】
0006792553.tif 000588
0006792553.tif 000589
【０２５３】
表１６．６：持続が試料採取後２４時間以内に開始し、腎臓状態が血清クレアチニン（ｓＣｒ）のみ、尿量（ＵＯ）のみ、または血清クレアチニンもしくは尿量のＲＩＦＬＥ基準によって評定される、「持続」および「非持続」コホートのＥＤＴＡ試料中のマーカーレベルおよびＲＯＣ曲線下面積（ＡＵＣ）の比較
【表４２２】
0006792553.tif 000590
【表４２３】
0006792553.tif 000591
【表４２４】
0006792553.tif 000592
0006792553.tif 000593
【表４２５】
0006792553.tif 000594
【０２５４】
表１６．７：持続が試料採取後４８時間以内に開始し、腎臓状態が血清クレアチニン（ｓＣｒ）のみ、尿量（ＵＯ）のみ、または血清クレアチニンもしくは尿量のＲＩＦＬＥ基準によって評定される、「持続」および「非持続」コホートのＥＤＴＡ試料中のマーカーレベルおよびＲＯＣ曲線下面積（ＡＵＣ）の比較
【表４２６】
0006792553.tif 000595
【表４２７】
0006792553.tif 000596
【表４２８】
0006792553.tif 000597
【表４２９】
0006792553.tif 000598
0006792553.tif 000599
【０２５５】
表１６．８：持続が試料採取後７２時間以内に開始し、腎臓状態が血清クレアチニン（ｓＣｒ）のみ、尿量（ＵＯ）のみ、または血清クレアチニンもしくは尿量のＲＩＦＬＥ基準によって評定される、「持続」および「非持続」コホートのＥＤＴＡ試料中のマーカーレベルおよびＲＯＣ曲線下面積（ＡＵＣ）の比較
【表４３０】
0006792553.tif 000600
0006792553.tif 000601
【表４３１】
0006792553.tif 000602
【表４３２】
0006792553.tif 000603
【表４３３】
0006792553.tif 000604
0006792553.tif 000605
【０２５６】
表１６．９：持続が試料採取後９６時間目に開始し、腎臓状態が血清クレアチニン（ｓＣｒ）のみ、尿量（ＵＯ）のみ、または血清クレアチニンもしくは尿量のＲＩＦＬＥ基準によって評定される、「持続」および「非持続」コホートのＥＤＴＡ試料中のマーカーレベルおよびＲＯＣ曲線下面積（ＡＵＣ）の比較
【表４３４】
0006792553.tif 000606
【表４３５】
0006792553.tif 000607
【表４３６】
0006792553.tif 000608
【表４３７】
0006792553.tif 000609
0006792553.tif 000610
【０２５７】
表１６．１０：持続が試料採取後１６８時間以内に開始し、腎臓状態が血清クレアチニン（ｓＣｒ）のみ、尿量（ＵＯ）のみ、または血清クレアチニンもしくは尿量のＲＩＦＬＥ基準によって評定される、「持続」および「非持続」コホートのＥＤＴＡ試料中のマーカーレベルおよびＲＯＣ曲線下面積（ＡＵＣ）の比較
【表４３８】
0006792553.tif 000611
【表４３９】
0006792553.tif 000612
【表４４０】
0006792553.tif 000613
【表４４１】
0006792553.tif 000614
【０２５８】
実施例１７．ＩＣＵに入院した患者における腎臓状態を評価するためのチロシンプロテインキナーゼ受容体ＵＦＯの使用：ＲＩＦＬＥ  ＩまたはＦでの持続
集中治療室（ＩＣＵ）の患者を、以下の試験に登録する。ＥＤＴＡ抗凝固処理された血液試料（１０ｍＬ）および尿試料（２５〜３０ｍＬ）を登録時、造影剤投与後（適用可能な場合）４（±０．５）および８（±１）時間目；登録後１２（±１）、２４（±２）、および４８（±２）時間目、ならびにその後毎日７〜１４日目まで対象が入院している間、各患者から採取する。チロシンプロテインキナーゼ受容体ＵＦＯを、採取された最も初期の試料で測定し、患者は市販のアッセイ試薬を使用した標準のイムノアッセイ法によってＲＩＦＬＥ  ＩまたはＦとなった。
【０２５９】
腎臓状態を、血清クレアチニン、尿量、または血清クレアチニンと尿量の両方に基づきＲＩＦＬＥ基準により評定する。２つのコホートを、「持続」および「非持続」母集団を表すと定義する。「持続」は、２４、４８または７２時間の期間の最小ＲＩＦＬＥステージが損傷（Ｉ）または不全（Ｆ）であり、その持続期間が、試料採取時間に開始して採取後２４、４８、７２、９６または１６８時間目までであり得る患者を示す。「非持続」は、損傷（Ｉ）または不全（Ｆ）が持続的でなく、２４、４８または７２時間の期間の最小ＲＩＦＬＥステージが非損傷（ＲＩＦＬＥ  ０）または損傷のリスク（Ｒ）であり、その持続期間が、試料採取時間に開始して採取後２４、４８、７２、９６または１６８時間目までであり得る患者を示す。患者が、損傷（Ｉ）もしくは不全（Ｆ）後に死亡するか、または試料採取時から試料採取後２４、４８、７２、９６または１６８時間目までの任意の時点で腎置換療法（ＲＲＴ）を受ける場合、患者は「持続」と見なされる。
【０２６０】
「持続」コホートと「非持続」コホートを区別する能力は、受信者動作特性（ＲＯＣ）解析を利用して決定される。
【０２６１】
表１７．１：持続が試料採取後２４時間以内に開始し、腎臓状態が血清クレアチニン（ｓＣｒ）のみ、尿量（ＵＯ）のみ、または血清クレアチニンもしくは尿量のＲＩＦＬＥ基準によって評定される、「持続」および「非持続」コホートの尿試料中のマーカーレベルおよびＲＯＣ曲線下面積（ＡＵＣ）の比較
【表４４２】
0006792553.tif 000615
【表４４３】
0006792553.tif 000616
【表４４４】
0006792553.tif 000617
0006792553.tif 000618
【表４４５】
0006792553.tif 000619
【０２６２】
表１７．２：持続が試料採取後４８時間以内に開始し、腎臓状態が血清クレアチニン（ｓＣｒ）のみ、尿量（ＵＯ）のみ、または血清クレアチニンもしくは尿量のＲＩＦＬＥ基準によって評定される、「持続」および「非持続」コホートの尿試料中のマーカーレベルおよびＲＯＣ曲線下面積（ＡＵＣ）の比較
【表４４６】
0006792553.tif 000620
【表４４７】
0006792553.tif 000621
【表４４８】
0006792553.tif 000622
【表４４９】
0006792553.tif 000623
0006792553.tif 000624
【０２６３】
表１７．３：持続が試料採取後７２時間以内に開始し、腎臓状態が血清クレアチニン（ｓＣｒ）のみ、尿量（ＵＯ）のみ、または血清クレアチニンもしくは尿量のＲＩＦＬＥ基準によって評定される、「持続」および「非持続」コホートの尿試料中のマーカーレベルおよびＲＯＣ曲線下面積（ＡＵＣ）の比較
【表４５０】
0006792553.tif 000625
0006792553.tif 000626
【表４５１】
0006792553.tif 000627
【表４５２】
0006792553.tif 000628
【表４５３】
0006792553.tif 000629
0006792553.tif 000630
【０２６４】
表１７．４：持続が試料採取後９６時間以内に開始し、腎臓状態が血清クレアチニン（ｓＣｒ）のみ、尿量（ＵＯ）のみ、または血清クレアチニンもしくは尿量のＲＩＦＬＥ基準によって評定される、「持続」および「非持続」コホートの尿試料中のマーカーレベルおよびＲＯＣ曲線下面積（ＡＵＣ）の比較
【表４５４】
0006792553.tif 000631
【表４５５】
0006792553.tif 000632
0006792553.tif 000633
【表４５６】
0006792553.tif 000634
【表４５７】
0006792553.tif 000635
0006792553.tif 000636
【０２６５】
表１７．５：持続が試料採取後１６８時間以内に開始し、腎臓状態が血清クレアチニン（ｓＣｒ）のみ、尿量（ＵＯ）のみ、または血清クレアチニンもしくは尿量のＲＩＦＬＥ基準によって評定される、「持続」および「非持続」コホートの尿試料中のマーカーレベルおよびＲＯＣ曲線下面積（ＡＵＣ）の比較
【表４５８】
0006792553.tif 000637
【表４５９】
0006792553.tif 000638
【表４６０】
0006792553.tif 000639
【表４６１】
0006792553.tif 000640
【０２６６】
表１７．６：持続が試料採取後２４時間以内に開始し、腎臓状態が血清クレアチニン（ｓＣｒ）のみ、尿量（ＵＯ）のみ、または血清クレアチニンもしくは尿量のＲＩＦＬＥ基準によって評定される、「持続」および「非持続」コホートのＥＤＴＡ試料中のマーカーレベルおよびＲＯＣ曲線下面積（ＡＵＣ）の比較
【表４６２】
0006792553.tif 000641
0006792553.tif 000642
【表４６３】
0006792553.tif 000643
【表４６４】
0006792553.tif 000644
【表４６５】
0006792553.tif 000645
0006792553.tif 000646
【０２６７】
表１７．７：持続が試料採取後４８時間以内に開始し、腎臓状態が血清クレアチニン（ｓＣｒ）のみ、尿量（ＵＯ）のみ、または血清クレアチニンもしくは尿量のＲＩＦＬＥ基準によって評定される、「持続」および「非持続」コホートのＥＤＴＡ試料中のマーカーレベルおよびＲＯＣ曲線下面積（ＡＵＣ）の比較
【表４６６】
0006792553.tif 000647
【表４６７】
0006792553.tif 000648
0006792553.tif 000649
【表４６８】
0006792553.tif 000650
【表４６９】
0006792553.tif 000651
0006792553.tif 000652
【０２６８】
表１７．８：持続が試料採取後７２時間以内に開始し、腎臓状態が血清クレアチニン（ｓＣｒ）のみ、尿量（ＵＯ）のみ、または血清クレアチニンもしくは尿量のＲＩＦＬＥ基準によって評定される、「持続」および「非持続」コホートのＥＤＴＡ試料中のマーカーレベルおよびＲＯＣ曲線下面積（ＡＵＣ）の比較
【表４７０】
0006792553.tif 000653
【表４７１】
0006792553.tif 000654
【表４７２】
0006792553.tif 000655
0006792553.tif 000656
【表４７３】
0006792553.tif 000657
【０２６９】
表１７．９：持続が試料採取後９６時間以内に開始し、腎臓状態が血清クレアチニン（ｓＣｒ）のみ、尿量（ＵＯ）のみ、または血清クレアチニンもしくは尿量のＲＩＦＬＥ基準によって評定される、「持続」および「非持続」コホートのＥＤＴＡ試料中のマーカーレベルおよびＲＯＣ曲線下面積（ＡＵＣ）の比較
【表４７４】
0006792553.tif 000658
【表４７５】
0006792553.tif 000659
【表４７６】
0006792553.tif 000660
【表４７７】
0006792553.tif 000661
0006792553.tif 000662
【０２７０】
表１７．１０：持続が試料採取後１６８時間以内に開始し、腎臓状態が血清クレアチニン（ｓＣｒ）のみ、尿量（ＵＯ）のみ、または血清クレアチニンもしくは尿量のＲＩＦＬＥ基準によって評定される、「持続」および「非持続」コホートのＥＤＴＡ試料中のマーカーレベルおよびＲＯＣ曲線下面積（ＡＵＣ）の比較
【表４７８】
0006792553.tif 000663
【表４７９】
0006792553.tif 000664
【表４８０】
0006792553.tif 000665
【表４８１】
0006792553.tif 000666
0006792553.tif 000667
【０２７１】
実施例１８．ＩＣＵ患者におけるＡＫＩバイオマーカー
集中治療室（ＩＣＵ）の患者を、以下の試験に登録する。各患者を、腎臓状態により、ＲＩＦＬＥ基準によって判定された登録の７日以内に達した最大ステージに従って、非損傷（０）、損傷のリスク（Ｒ）、損傷（Ｉ）、および不全（Ｆ）として分類する。ＥＤＴＡ抗凝固処理された血液試料（１０ｍＬ）および尿試料（５０ｍＬ）を登録時、登録後１２（±１）、２４（±２）、３６（±２）、４８（±２）、６０（±２）、７２（±２）、および８４（±２）時間目、ならびにその後毎日７日目まで対象が入院している間、各患者から採取する。Ｃ−Ｃモチーフケモカイン１４、Ｃ−Ｃモチーフケモカイン１６およびチロシンプロテインキナーゼ受容体ＵＦＯを、採取された尿試料および血液試料の血漿成分中で市販のアッセイ試薬を用いた標準のイムノアッセイ法によって測定する。
【０２７２】
２つのコホートを、「疾患」および「正常」母集団を表すように定義する。これらの用語は、簡便さのために用いられているが、「疾患」および「正常」は単に、比較のための２つのコホートを表している（つまり、ＲＩＦＬＥ  ０対ＲＩＦＬＥ  Ｒ、ＩおよびＦ；ＲＩＦＬＥ  ０対ＲＩＦＬＥ  Ｒ；ＲＩＦＬＥ  ０およびＲ対ＲＩＦＬＥ  ＩおよびＦなど）。「前の最大ステージ」という時点は、特定患者が、＋／−１２時間である３つの群にビン化されたコホートについて定義された最低の疾患ステージに達した時点に対する、試料が採取された時点を表す。例えば２つのコホートとして０対Ｒ、Ｉ、Ｆを用いる「２４時間前」は、ステージＲ（またはＲの試料がなければＩ、またはＲもしくはＩの試料がなければＦ）に達する２４時間前を意味することになる。
【０２７３】
受信者動作特性（ＲＯＣ）曲線を各バイオマーカーについて作成し、ＲＯＣ曲線下面積（ＡＵＣ）を測定する。コホート２の患者も、血清クレアチニン測定値（ｓＣｒ）、尿量（ＵＯ）、または血清クレアチニン測定値もしくは尿量のいずれかに基づく、コホート２への判定の理由に従って分別する。先に議論されたものと同じ例を利用すると（０対Ｒ、Ｉ、Ｆ）、血清クレアチニン測定値のみに基づいてステージＲ、Ｉ、またはＦに判定された患者では、ステージ０のコホートは、尿量に基づいてステージＲ、Ｉ、またはＦに判定された患者を含み得；尿量のみに基づいてステージＲ、Ｉ、またはＦに判定された患者では、ステージ０のコホートは、血清クレアチニン測定値に基づいてステージＲ、Ｉ、またはＦに判定された患者を含み得；血清クレアチニン測定値または尿量に基づいてステージＲ、Ｉ、またはＦに判定された患者では、ステージ０のコホートは、血清クレアチニン測定値と尿量の両方でステージ０の患者のみを含む。同じく、血清クレアチニン測定値または尿量に基づいて判定された患者のデータにおいて、最も重度のＲＩＦＬＥステージを生じた判定方法が用いられる。
【０２７４】
コホート１をコホート２と区別する能力は、ＲＯＣ解析を利用して決定される。ＳＥは、ＡＵＣの標準誤差であり、ｎは、試料または個々の患者（「ｐｔｓ」と示される）の数である。標準誤差は、Ｈａｎｌｅｙ，  Ｊ．  Ａ．，  ａｎｄ  ＭｃＮｅｉｌ，  Ｂ．  Ｊ．，  Ｔｈｅ  ｍｅａｎｉｎｇ  ａｎｄ  ｕｓｅ  ｏｆ  ｔｈｅ  ａｒｅａ  ｕｎｄｅｒ  ａ  ｒｅｃｅｉｖｅｒ  ｏｐｅｒａｔｉｎｇ  ｃｈａｒａｃｔｅｒｉｓｔｉｃ  （ＲＯＣ）  ｃｕｒｖｅ．  Ｒａｄｉｏｌｏｇｙ  （１９８２）  １４３：  ２９−３６に記載された通り計算され；ｐ値は、両側Ｚ検定を用いて計算される。０．５未満のＡＵＣは、比較のためのネガティブゴーイングマーカーを示し、０．５を超えるＡＵＣは、比較のためのポジティブゴーングマーカーを示す。
【０２７５】
様々なバイオマーカー閾値（または「カットオフ」）濃度が選択され、コホート１をコホート２と区別するための関連する感度および特異度が決定される。ＯＲは、特定のカットオフ濃度のために計算されるオッズ比であり、９５％ＣＩは、オッズ比のための信頼区間である。
【０２７６】
表１８．１：コホート１（ＲＩＦＬＥステージ０を超えて進行しなかった患者）から採取された尿試料と、コホート２のステージＲ、ＩまたはＦに達する０、２４および４８時間前に対象から採取された尿試料との、マーカーレベルの比較
【表４８２】
0006792553.tif 000668
【表４８３】
0006792553.tif 000669
【表４８４】
0006792553.tif 000670
0006792553.tif 000671
【表４８５】
0006792553.tif 000672
0006792553.tif 000673
【０２７７】
表１８．２：コホート１（ＲＩＦＬＥステージ０またはＲを超えて進行しなかった患者）から採取された尿試料と、コホート２のステージＩまたはＦに達する０、２４および４８時間前に対象から採取された尿試料とのマーカーレベルの比較
【表４８６】
0006792553.tif 000674
【表４８７】
0006792553.tif 000675
【表４８８】
0006792553.tif 000676
【表４８９】
0006792553.tif 000677
0006792553.tif 000678
【０２７８】
表１８．３：コホート１（ＲＩＦＬＥステージＲに達したが、それを超えて進行しなかった患者）と、コホート２（ＲＩＦＬＥステージＩまたはＦに達した患者）との、ステージＲに達した１２時間以内に採取された尿試料中のマーカーレベルの比較
【表４９０】
0006792553.tif 000679
0006792553.tif 000680
【表４９１】
0006792553.tif 000681
【０２７９】
表１８．４：コホート１（ＲＩＦＬＥステージ０を超えて進行しなかった患者）から採取された尿試料の最大マーカーレベルと、コホート２の登録時からステージＦに達する０、２４および４８時間前までに対象から採取された尿試料の最大値との比較
【表４９２】
0006792553.tif 000682
【表４９３】
0006792553.tif 000683
【表４９４】
0006792553.tif 000684
【表４９５】
0006792553.tif 000685
0006792553.tif 000686
【０２８０】
表１８．５：コホート１（ＲＩＦＬＥステージ０を超えて進行しなかった患者）から採取された尿試料と、コホート２のステージＲ、ＩまたはＦに達する０、２４および４８時間前に対象から採取された尿試料とのマーカーレベルの比較
【表４９６】
0006792553.tif 000687
0006792553.tif 000688
【表４９７】
0006792553.tif 000689
【表４９８】
0006792553.tif 000690
【表４９９】
0006792553.tif 000691
0006792553.tif 000692
【０２８１】
表１８．６：コホート１（ＲＩＦＬＥステージ０またはＲを超えて進行しなかった患者）から採取された尿試料と、コホート２のステージＩまたはＦに達する０、２４および４８時間前に対象から採取された尿試料と、のマーカーレベルの比較
【表５００】
0006792553.tif 000693
【表５０１】
0006792553.tif 000694
0006792553.tif 000695
【表５０２】
0006792553.tif 000696
【表５０３】
0006792553.tif 000697
0006792553.tif 000698
【０２８２】
表１８．７：コホート１（ＲＩＦＬＥステージＲに達したが、それを超えて進行しなかった患者）と、コホート２（ＲＩＦＬＥステージＩまたはＦに達した患者）との、ステージＲに達した１２時間以内に採取された尿試料中のマーカーレベルの比較
【表５０４】
0006792553.tif 000699
【表５０５】
0006792553.tif 000700
0006792553.tif 000701
【０２８３】
表１８．８：コホート１（ＲＩＦＬＥステージ０を超えて進行しなかった患者）から採取された尿試料の最大マーカーレベルと、コホート２の登録時からステージＦに達する０、２４および４８時間前までに対象から採取された尿試料の最大値との比較
【表５０６】
0006792553.tif 000702
【表５０７】
0006792553.tif 000703
【表５０８】
0006792553.tif 000704
【表５０９】
0006792553.tif 000705
0006792553.tif 000706
【０２８４】
表１８．９：コホート１（ＲＩＦＬＥステージ０を超えて進行しなかった患者）から採取された尿試料と、コホート２のステージＲ、ＩまたはＦに達する０、２４および４８時間前に対象から採取された尿試料とのマーカーレベルの比較
【表５１０】
0006792553.tif 000707
【表５１１】
0006792553.tif 000708
【表５１２】
0006792553.tif 000709
【表５１３】
0006792553.tif 000710
【０２８５】
表１８．１０：コホート１（ＲＩＦＬＥステージ０またはＲを超えて進行しなかった患者）から採取された尿試料と、コホート２のステージＩまたはＦに達する０、２４および４８時間前に対象から採取された尿試料とのマーカーレベルの比較
【表５１４】
0006792553.tif 000711
0006792553.tif 000712
【表５１５】
0006792553.tif 000713
【表５１６】
0006792553.tif 000714
【表５１７】
0006792553.tif 000715
0006792553.tif 000716
【０２８６】
表１８．１１：コホート１（ＲＩＦＬＥステージＲに達したが、それを超えて進行しなかった患者）と、コホート２（ＲＩＦＬＥステージＩまたはＦに達した患者）との、ステージＲに達した１２時間以内に採取された尿試料中のマーカーレベルの比較
【表５１８】
0006792553.tif 000717
【表５１９】
0006792553.tif 000718
0006792553.tif 000719
【０２８７】
表１８．１２：コホート１（ＲＩＦＬＥステージ０を超えて進行しなかった患者）から採取された尿試料の最大マーカーレベルと、コホート２の登録時からステージＦに達する０、２４および４８時間前までに対象から採取された尿試料の最大値との比較
【表５２０】
0006792553.tif 000720
0006792553.tif 000721
【表５２１】
0006792553.tif 000722
【表５２２】
0006792553.tif 000723
【表５２３】
0006792553.tif 000724
0006792553.tif 000725
【０２８８】
当業者が本発明を作製および使用するのに十分、詳細に本発明を記載および例示したが、本発明の主旨および範囲を逸脱することなく、様々な変更、修正および改良が明白となるはずである。本明細書に示された実施例は、好ましい実施形態の代表で、模範であり、本発明の範囲の限定を意図するものではない。その修正および他の使用が、当業者に考案されるであろう。これらの修正は、本発明の主旨に包含され、特許請求の範囲によって定義される。
【０２８９】
本発明の範囲および主旨を逸脱することなく、多様な置換および修正を本明細書に開示された発明に施し得ることは、当業者に即座に明白となろう。
【０２９０】
本明細書において言及された全ての特許および発行物は、本発明が属する技術分野の当業者のレベルを示している。個々の発行物が具体的かつ個別に参照により組み入れられるのと同程度に、全ての特許および発行物が参照により本明細書に組み入れられる。
【０２９１】
本明細書に適宜、例示的に記載された本発明は、本明細書に具体的に開示されていない任意の要素または複数の要素、限定または複数の限定の非存在下で実践され得る。したがって、例えば本明細書の各例において、用語「含んでいる」、「から本質的になる」、および「からなる」は、他の２つの方後のいずれかと交換され得る。使用された用語および表現は、説明の用語であり限定ではなく、そのような用語および表現を使用する際、図示および記載された特色またはその一部の任意の均等物を除外する意図はなく、様々な修正が請求された発明の範囲内で可能であることが認識されたい。したがって、本発明を好ましい実施形態および任意の特色によって具体的に開示したが、本明細書に開示された概念の修正および変更が当業者によって求められ得ること、ならびにそのような修正および変更が添付の特許請求の範囲に定義された通り本発明の範囲内のものと見なされることが、理解されなければならない。
【０２９２】
他の実施形態を、以下の特許請求の範囲に示す。